(57)【要約】【課題】  周辺機器側で適切な制御を行なえ、記録の際に適切な情報を記録し、周辺機器側で設定情報の保存、管理が効率よく行なえる内視鏡装置を提供する。【解決手段】  内視鏡と、光源と、前記内視鏡により撮影した画像を処理するプロセッサと、前記プロセッサに接続される周辺機器から構成される内視鏡装置において、前記周辺機器が前記内視鏡又は前記光源又は前記プロセッサに関する設定情報を取得可能であり、かつ前記周辺機器が前記設定情報を変更可能であることを特徴とする内視鏡システムにより、課題の解決を図る。【選択図】      図１Ａ
2005349142.tif 000002
【特許請求の範囲】
【請求項１】
内視鏡と、該内視鏡による観察のための観察光を生成する光源装置と、該内視鏡により撮影した画像を処理する画像処理装置と、該画像処理装置に接続される少なくとも１つの周辺機器とから構成される内視鏡システムにおいて、
前記画像処理装置は、
前記内視鏡と前記光源装置と前記画像処理装置とのうち少なくとも１つに関する設定情報と、該内視鏡と該光源装置と該画像処理装置とのうち少なくとも１つの動作状態の履歴に関する履歴情報と、のうちの少なくともいずれかを含む装置設定動作履歴情報が格納される格納手段と、
前記格納手段に格納された前記装置設定動作履歴情報を変更する装置設定動作履歴情報変更手段と、
を備え、
前記周辺機器は、
前記格納手段から前記装置設定動作履歴情報を取得する取得手段と、
前記取得した前記装置設定動作履歴情報の変更の指示をする変更指示手段と、
を備え、
前記装置設定動作履歴情報変更手段は、前記変更指示手段からの指示情報に基づいて、前記格納手段に格納された前記装置設定動作履歴情報を変更する
ことを特徴とする内視鏡システム。
【請求項２】
前記周辺機器のうちの１つは観察モニタであり、前記装置設定動作履歴情報は該観察モニタにより表示されることを特徴とする請求項１に記載の内視鏡システム。
【請求項３】
前記周辺機器のうちの１つは記憶装置であり、前記装置設定動作履歴情報は前記記憶装置により記憶可能であり、かつ前記装置設定動作履歴情報の種類に応じて、前記記憶装置に該装置設定動作履歴情報を記憶させるか否かを設定することを特徴とする請求項２に記載の内視鏡システム。
【請求項４】
前記装置設定動作履歴情報の一部は、該情報に対応付けたメッセージであることを特徴とする請求項３に記載の内視鏡システム。
【請求項５】
前記メッセージは、前記内視鏡と前記光源装置と前記画像処理装置装置とのうちの少なくともいずれか１つに関するものであることを特徴とする請求項４に記載の内視鏡システム。
【請求項６】
前記装置設定動作履歴情報の一部は、前記内視鏡と共に使用される鉗子に関する鉗子情報であり、
前記鉗子情報は、前記鉗子の種類を識別する識別色に関する情報であることを特徴とする請求項３に記載の内視鏡システム。
【請求項７】
前記装置設定動作履歴情報は、前記内視鏡毎、前記光源装置毎、または前記画像処理装置毎に保存または管理又は表示されることを特徴とする請求項１に記載の内視鏡システム。
【請求項８】
前記画像処理装置は、さらに、前記装置設定動作履歴情報に基づいて前記内視鏡と前記光源装置と前記画像処理装置とのうち少なくとも１つの再設定を行なう再設定手段を備えることを特徴とする請求項１に記載の内視鏡システム。
【請求項９】
前記装置設定動作履歴情報には、前記装置設定動作履歴情報が正しく格納されているか否かを確認するためのチェックデータが含まれ、
前記再設定手段では、該チェックデータに基づいて、前記再設定を行うことを特徴とする請求項８に記載の内視鏡システム。
【請求項１０】
前記装置設定動作履歴情報は、体系付けられたデータ構造を有して格納されることを特徴とする請求項１に記載の内視鏡システム。
【請求項１１】
前記装置設定動作履歴情報は、前記画像処理装置の設定に関する複数の情報である画像処理装置設定情報を含んでおり、該画像処理装置設定情報は、前記画像処理装置の状態に応じて各画像処理装置設定情報毎に格納されることを特徴とする請求項１に記載の内視鏡システム。
【請求項１２】
各画像処理装置設定情報毎に格納される前記画像処理装置設定情報は、所定値に変更可能であることを特徴とする請求項１１に記載の内視鏡システム。
【請求項１３】
前記装置設定動作履歴情報は、前記格納手段に時系列に格納されることを特徴とする請求項１に記載の内視鏡システム。
【請求項１４】
前記装置設定動作履歴情報は、前記内視鏡と前記光源装置と前記画像処理装置とのうち少なくとも１つに関しての設定がなされた日時、または前記内視鏡と前記光源装置と前記画像処理装置とのうち少なくとも１つの所定のタイミングでの動作状況を取得した日時と共に格納されることを特徴とする請求項１３に記載の内視鏡システム。
【発明の詳細な説明】
【技術分野】
【０００１】
内視鏡と、光源と、前記内視鏡により撮影した画像を処理するプロセッサと、前記プロセッサに接続される周辺機器から構成される内視鏡装置に関する。
【背景技術】
【０００２】
従来より、内視鏡と、光源と、前記内視鏡により撮影した画像を処理するプロセッサと、前記プロセッサに接続される周辺機器から構成される内視鏡装置が提案されている。例えば、特許文献１、特許文献２においては、プロセッサ（ＣＣＵ）に複数の周辺機器（プリンタ、デジタルファイル、ＶＴＲなど）が接続され、プロセッサが周辺機器を制御している。
【特許文献１】特開平７−１３１７４５号公報
【特許文献２】特開平８−１２３５９５号公報
【特許文献３】特開２００３−２６５４１０号公報
【発明の開示】
【発明が解決しようとする課題】
【０００３】
しかし、前述した従来例においては、
・周辺機器が内視鏡又は光源又はプロセッサに関する設定情報を取得可能であり、かつ周辺機器が前記設定情報の変更を行なう事ができなかった。
【０００４】
・設定情報がモニタに表示可能ではなかった。
・設定情報（メッセージ含む）のそれぞれについて、記録装置への記録期間中に、記録装置への表示／非表示（＝記録装置へ記録させるか否か）を独立に設定可能ではなかった。
【０００５】
・設定情報の一部が内視鏡の鉗子情報であり、鉗子情報の色が鉗子や前記内視鏡に付随する識別色と一致するものではなかった。
・設定情報は、前記内視鏡ごと又は前記光源ごと又は前記プロセッサごとに保存、管理可能でなかった。
【０００６】
・設定情報は、バックアップデータやチェックデータも含み、前記設定情報が不正である場合は、バックアップデータやチェックデータによる復帰処理を行なっていなかった。
・設定情報は、体系付けられたテーブルとして格納されていなかった。
【０００７】
・設定情報のそれぞれについて、プロセッサの状態に応じて独立して保持／特定値（所定値）に変更可能でなかった。
・前記設定情報の一部は時系列に格納可能であり、かつ前記周辺機器が前記設定情報を取得可能ではなかった。
【０００８】
・前記設定情報は、処理時の日時と共に格納可能ではなかった。
そのため、
・周辺機器側で適切な制御を行なう事ができず、ユーザーにとって不便であった。
【０００９】
・記録の際、適切な情報を記録できずユーザーにとって不便であった。
・周辺機器側で設定情報の保存、管理が効率よく行なえず、ユーザーにとって不便であった。
【００１０】
本発明は、上記事情に鑑みてなされたものであり、周辺機器側で適切な制御を行なえ、記録の際に適切な情報を記録し、周辺機器側で設定情報の保存、管理が効率よく行なえる内視鏡装置を提供することを目的としている。
【課題を解決するための手段】
【００１１】
上記課題は、特許請求の範囲の請求項１に記載の発明によれば、内視鏡と、該内視鏡による観察のための観察光を生成する光源装置と、該内視鏡により撮影した画像を処理する画像処理装置と、該画像処理装置に接続される少なくとも１つの周辺機器とから構成される内視鏡システムにおいて、前記画像処理装置は、前記内視鏡と前記光源装置と前記画像処理装置とのうち少なくとも１つに関する設定情報と、該内視鏡と該光源装置と該画像処理装置とのうち少なくとも１つの動作状態の履歴に関する履歴情報と、のうちの少なくともいずれかを含む装置設定動作履歴情報が格納される格納手段と、前記格納手段に格納された前記装置設定動作履歴情報を変更する装置設定動作履歴情報変更手段と、を備え、前記周辺機器は、前記格納手段から前記装置設定動作履歴情報を取得する取得手段と、前記取得した前記装置設定動作履歴情報の変更の指示をする変更指示手段と、を備え、前記装置設定動作履歴情報変更手段は、前記変更指示手段からの指示情報に基づいて、前記格納手段に格納された前記装置設定動作履歴情報を変更することを特徴とする内視鏡システムを提供することによって達成できる。
【００１２】
上記課題は、特許請求の範囲の請求項２に記載の発明によれば、前記周辺機器のうちの１つは観察モニタであり、前記装置設定動作履歴情報は該観察モニタにより表示されることを特徴とする請求項１に記載の内視鏡システムを提供することによって達成できる。
【００１３】
上記課題は、特許請求の範囲の請求項３に記載の発明によれば、前記周辺機器のうちの１つは記憶装置であり、前記装置設定動作履歴情報は前記記憶装置により記憶可能であり、かつ前記装置設定動作履歴情報の種類に応じて、前記記憶装置に該装置設定動作履歴情報を記憶させるか否かを設定することを特徴とする請求項２に記載の内視鏡システムを提供することによって達成できる。
【００１４】
上記課題は、特許請求の範囲の請求項４に記載の発明によれば、前記装置設定動作履歴情報の一部は、該情報に対応付けたメッセージであることを特徴とする請求項３に記載の内視鏡システムを提供することによって達成できる。
【００１５】
上記課題は、特許請求の範囲の請求項５に記載の発明によれば、前記メッセージは、前記内視鏡と前記光源装置と前記画像処理装置装置とのうちの少なくともいずれか１つに関するものであることを特徴とする請求項４に記載の内視鏡システムを提供することによって達成できる。
【００１６】
上記課題は、特許請求の範囲の請求項６に記載の発明によれば、前記装置設定動作履歴情報の一部は、前記内視鏡と共に使用される鉗子に関する鉗子情報であり、前記鉗子情報は、前記鉗子の種類を識別する識別色に関する情報であることを特徴とする請求項３に記載の内視鏡システムを提供することによって達成できる。
【００１７】
上記課題は、特許請求の範囲の請求項７に記載の発明によれば、前記装置設定動作履歴情報は、前記内視鏡毎、前記光源装置毎、または前記画像処理装置毎に保存または管理又は表示されることを特徴とする請求項１に記載の内視鏡システムを提供することによって達成できる。
【００１８】
上記課題は、特許請求の範囲の請求項８に記載の発明によれば、前記画像処理装置は、さらに、前記装置設定動作履歴情報に基づいて前記内視鏡と前記光源装置と前記画像処理装置とのうち少なくとも１つの再設定を行なう再設定手段を備えることを特徴とする請求項１に記載の内視鏡システムを提供することによって達成できる。
【００１９】
上記課題は、特許請求の範囲の請求項９に記載の発明によれば、前記装置設定動作履歴情報には、前記装置設定動作履歴情報が正しく格納されているか否かを確認するためのチェックデータが含まれ、前記再設定手段では、該チェックデータに基づいて、前記再設定を行うことを特徴とする請求項８に記載の内視鏡システムを提供することによって達成できる。
【００２０】
上記課題は、特許請求の範囲の請求項１０に記載の発明によれば、前記装置設定動作履歴情報は、体系付けられたデータ構造を有して格納されることを特徴とする請求項１に記載の内視鏡システムを提供することによって達成できる。
【００２１】
上記課題は、特許請求の範囲の請求項１１に記載の発明によれば、前記装置設定動作履歴情報は、前記画像処理装置の設定に関する複数の情報である画像処理装置設定情報を含んでおり、該画像処理装置設定情報は、前記画像処理装置の状態に応じて各画像処理装置設定情報毎に格納されることを特徴とする請求項１に記載の内視鏡システムを提供することによって達成できる。
【００２２】
上記課題は、特許請求の範囲の請求項１２に記載の発明によれば、各画像処理装置設定情報毎に格納される前記画像処理装置設定情報は、所定値に変更可能であることを特徴とする請求項１１に記載の内視鏡システムを提供することによって達成できる。
【００２３】
上記課題は、特許請求の範囲の請求項１３に記載の発明によれば、前記装置設定動作履歴情報は、前記格納手段に時系列に格納されることを特徴とする請求項１に記載の内視鏡システムを提供することによって達成できる。
【００２４】
上記課題は、特許請求の範囲の請求項１４に記載の発明によれば、前記装置設定動作履歴情報は、前記内視鏡と前記光源装置と前記画像処理装置とのうち少なくとも１つに関しての設定がなされた日時、または前記内視鏡と前記光源装置と前記画像処理装置とのうち少なくとも１つの所定のタイミングでの動作状況を取得した日時と共に格納されることを特徴とする請求項１３に記載の内視鏡システムを提供することによって達成できる。
【発明の効果】
【００２５】
本発明を用いることにより、周辺機器が、内視鏡１又は光源１７又はプロセッサ１３に関する設定情報（プログラム動作のログやメンテナンス情報や設定情報）を取得可能であり、周辺機器側からも前記設定情報を変更可能である。これより周辺機器側で適切な制御を行なう事ができる。
【発明を実施するための最良の形態】
【００２６】
以下、図面を参照しながら本発明の実施の形態について述べる。
図１Ａは、内視鏡システムの全体構成の一実施例を示す。図２（図２−１〜図２−４）は、プロセッサ１３の詳細図を示す。図１Ａにおいて、内視鏡１は、患者の体腔内に挿入する挿入部先端に設けられたＣＣＤ２と、挿入部先端へ観察照明光を導くライトガイド７と、内視鏡の操作を行う操作部に設けられた操作スイッチ部３と、プロセッサ１３と接続する為のコネクタ１５と、プログラムや内視鏡固有情報データ（ＣＣＤの種類、スコープ種類、スコープのシリアルナンバー、複数のホワイトバランスデータ、鉗子チャネルの数やチャネル径、ＣＰＵ９への通電回数、操作スイッチ部３の押下回数、挿入部の屈曲特性など）を記憶する不揮発性のメモリ８（ＥＥＰＲＯＭ，ＦＬＡＳＨ  ＲＯＭ，ＦＲＡＭ，ＦｅＲＡＭ，ＭＲＡＭ，ＯＵＭ，バッテリー付きＳＲＡＭ，等である。ＣＰＵ９とのインターフェースは、パラレルインターフェース、シリアルインターフェースどちらでもよい）と、メモリ８へのデータ読み出しや書き込み制御、またメモリ８に格納されたデータをプロセッサ１３と信号線１１ａ，コネクタ１５，ケーブル３２，コネクタ３１，信号線１１ｂを経由して送受信したり、演算処理（スコープの接続回数の演算、操作スイッチ部の押下回数の演算、ＣＰＵ９への通電回数の演算等）を行うＣＰＵ９（シリアルインターフェースやパラレルインターフェース，ウォッチドッグタイマ，タイマ，ＳＲＡＭ，プログラム用ＦＬＡＳＨ  ＲＯＭなどを内蔵する）と、プロセッサ１３からの供給される電源の変動時やＣＰＵ９のウォッチドッグタイマによりリセット処理を行うＲＥＳＥＴ回路１０を備えて構成される。
【００２７】
なおプロセッサ１３からＣＰＵ９、メモリ８、ＲＥＳＥＴ回路１０に電源を供給する方法は、駆動回路６３（図２参照）から６ａ，６ｂを経由して送られるＣＣＤ２の駆動電源を用いても良いし、（図示しない）専用の電源線を使用しても良い。操作スイッチ部３のスイッチＯＮ／ＯＦＦ信号（駆動回路６３から供給される電源レベルやＧＮＤレベルに相当する）は、信号線４ａ，コネクタ１５，ケーブル３２，コネクタ３１，信号線４ｂを経由してパラシリ回路６４（図２参照）に入力される。
【００２８】
ＣＣＤ２で撮像された内視鏡画像は、信号線５ａ，コネクタ１５，ケーブル３２，コネクタ３１，信号線５ｂを経由し、プロセッサ１３内のＣＤＳ回路５１（図２参照）に入力される。
【００２９】
ＣＰＵ９からデータを送受信する信号は信号線１１ａ，コネクタ１５，ケーブル３２，コネクタ３１，信号線１１ｂを経由し、プロセッサ１３内の絶縁回路５４に入力される（なお、インターフェースは、本実施例のようなシリアルインターフェースの他、パラレルインターフェースでも良い。）。
【００３０】
ＣＣＤ２を駆動する駆動信号は、プロセッサ１３内の駆動回路６４から信号線６ｂ，コネクタ３１，ケーブル３２，コネクタ１４，信号線６ａを経由してＣＣＤ２に入力される。コネクタ１５に実装されている内視鏡１（もしくはＣＣＤ２）検知信号はケーブル３２，コネクタ３１，信号線１２ｂを経由してプロセッサ１３内の絶縁回路５４に入力される。
【００３１】
光源１７は、観察光を生成する白色光を発光するランプ１８と、ランプ１８の観察光をＲＧＢの面順次光に変換する為のＲＧＢフィルタ１９と、ランプ１８から観察光の特定波長をカットして特殊光を生成する複数、例えば３つの特殊光フィルタ２０ａ，２０ｂ，２０ｃと、ランプ１８からの観察光の光量を制御するしぼり１６と、ＲＧＢフィルタ１９及び特殊光フィルタ２０ａ，２０ｂ，２０ｃの切替を行うと共にしぼり１６を制御するフィルタ切替＋しぼり制御２１と、光量調整や電源ＯＮ／ＯＦＦ、ランプ点灯／消灯、透過照明、フィルタ切替など各種設定を行う操作パネル２５と、プログラムや光量調整データやランプ寿命，光源のシリアルナンバー，フィルタ１９，２０ａ，２０ｂ，２０ｃの種類、メンテナンス情報などを記憶する不揮発性のメモリ２３（ＥＥＰＲＯＭ，ＦＬＡＳＨ  ＲＯＭ，ＦＲＡＭ，ＦｅＲＡＭ，ＭＲＡＭ，ＯＵＭ，バッテリー付きＳＲＡＭ等。パラレルインターフェース、シリアルインターフェースどちらでもよい）と、メモリ２３へのデータ読み出し／書き込み制御及び、メモリ２３に格納されたデータを信号線２８ａ，２８ｂを経由してプロセッサ１３と送受信したり、フィルタ切替＋しぼり制御２１や操作パネル２５を制御するＣＰＵ２４と、プロセッサ１３からの調光信号をアナログ信号に変更しフィルタ切替＋しぼり制御２１に出力することでしぼり２５を制御させるＤ／Ａ変換器２２からなる。
【００３２】
ＣＰＵ２４内のＳＩＯからデータを送受信する信号は、信号線２８ａ，コネクタ２６，ケーブル３４，コネクタ３３，信号線２８ｂを経由し、プロセッサ１３内の制御回路６７内のＳＩＯ２５０（図７参照）に入力される。
【００３３】
Ｄ／Ａ変換器２２に入力される信号は、ＣＣＤ２で撮像された内視鏡画像の光量情報（測光信号、調光信号など）を示し、プロセッサ１３の絶縁回路６６から信号線２７ｂ，コネクタ３３，ケーブル３４，コネクタ２６，信号線２７ａを経由して入力される（データ形式はパラレル又は同期式シリアル、もしくは調歩同期式であってもよい）。
【００３４】
２９ｂは光源の種類の検知する信号であり、光源１７の場合は、ＧＮＤに接続された信号２９ａがコネクタ２６，ケーブル３４，コネクタ３３を経由してプロセッサ１３内の制御回路６７内のＰＩＯ２５１に入力される。プロセッサ１３ではＰＩＯ２５１を経由してＣＰＵ７４がＬＯＷの信号レベルを検出することにより、光源の種類（光源１７）を判別できる。なお、ＣＰＵ２４内のシリアルインターフェース回路ＳＩＯがなく、プロセッサ１３との通信機能を有さない光源１７ａもある（図１Ｂ参照）。
【００３５】
Ｄ／Ａ変換器３７の出力を有し、プロセッサ１３は、ＣＰＵ２４ａ，Ｄ／Ａ変換器３７，信号線３８ａ，コネクタ２６，ケーブル３４ａ，信号線３８ｂ，Ａ／Ｄ変換器６８，ＰＩＯ２５１を経由して、光源１７ａの操作パネル２５にて調整された調光信号を得る(なお、光源１７接続時では、前記操作パネル２５にて調整された調光信号は、ＣＰＵ２４内のＳＩＯを経由したデータの送受信にて行う。)。
【００３６】
２９ｂは、光源１７ａの場合はＯＰＥＮになっている。プロセッサ１３側でプルアップとなるため、信号レベルが“Ｈｉ”となりその結果、プロセッサ１３ではＰＩＯ２５１を経由してＣＰＵ７４がＨＩの信号レベルを検出することにより、光源の種類（光源１７ａ）を判別できる。
【００３７】
プロセッサ１３は、制御動作を行うキーボード１４、後述する複数の周辺機器と接続される（キーボード１４、複数の周辺機器とプロセッサ１３間のケーブル、コネクタの詳細は省略する。）。なお、プロセッサ１３と接続される全ての機器間のケーブルは取り外しが自由なように着脱可能であっても良いし、容易に外れないようにケーブル間が一体になっていても良い。電源ケーブルやアース線も同様である。
【００３８】
図２において、内視鏡１内のＣＣＤ２で撮像された内視鏡画像は、信号線５ａ，コネクタ１５，ケーブル３２，コネクタ３１，信号線５ｂを経由しＣＤＳ回路５１に入力されてＣＤＳ処理をされた後、Ａ／Ｄ変換器５２によりアナログ→デジタル変換され、周波数変換器５３により所定の周波数（例えば、１３．５ＭＨｚ）に変換し、フォトカプラなどの絶縁回路５４を通し、映像処理回路１（５５），映像処理回路２（５７），合成処理回路（１０２）で画像処理やマスク処理、内視鏡関連情報などの文字重畳処理された後、その内視鏡合成画像をＤ／Ａ変換器５９でデジタル→アナログ変換され、調整回路６０にてレベル調整された後、合成処理回路１（６１）を経由して、複数の周辺機器に出力される（詳細は後述）。
【００３９】
また、デジタルエンコーダー６２では、Ｙ／Ｃ信号やコンポジット信号などに変換後、複数の周辺機器に出力される（内視鏡関連情報とは、患者ＩＤ，名前，生年月日，性別，年齢，現在時刻，診察しているドクター名，コメント，内視鏡１，ＣＣＤ２の種類，内視鏡１に関する情報（例えば、シリアルナンバー、鉗子チャネルの数、各チャネル径、操作スイッチ３に割り当てられた機能、メモリ８に格納された内視鏡毎の固有情報など）、インデックス画像などのことを言う。）。
【００４０】
一方、脱着可能なオプション基板１１６がプロセッサ１３に装着された場合は、オプション基板検知信号１１７がＧＮＤに接続される。ＣＰＵ７４は制御回路（６７）を経由して、検知信号１１７がＬＯＷレベルであることを検出し、映像処理回路１（５５）、映像処理回路２（５７）にて内視鏡画像の切替を行う（詳細は後述）。
【００４１】
オプション基板１１６では、ＨＤＴＶ，ＳＸＧＡ，ＵＸＧＡ，ＱＸＧＡ，ＱＳＸＧＡなど高画質なアナログもしくはデジタル内視鏡画像、内視鏡合成信号を出力する。オプション基板１１６接続時は、映像処理回路１（５５）の出力が映像処理回路３（８９）に入力され、ＩＨｂや色ずれ防止などの映像処理が行われた後、周波数変換３（１１５）及び映像処理回路１（５５）に出力される。
【００４２】
周波数変換３（１１５）で周波数変換を行い（例えば、７４ＭＨｚ）、映像処理回路４（９４）、映像＋合成処理回路（９３）で画像処理やマスク処理、内視鏡関連情報、インデックス画像などの文字・画像重畳処理された後、その内視鏡合成画像をＤ／Ａ変換器９７でデジタル→アナログ変換され、調整回路９８にてレベル調整された後、合成処理回路２（９９）を経由して、周辺機器に出力される（詳細は後述）。
【００４３】
またＳｅｒｉａｌ  ＤＲＶ（９６）で、内視鏡合成画像をＬＶＤＳ，ＰａｎｅｌＬｉｎｋ，ＧＶＩＦ，ＨＤ−ＳＤＩ，ＤＶＩ，ＤＶ，ＭＰＥＧ，ＪＰＥＧなどのシリアルデジタルデータに変換して、記録装置（１００）などに出力することで、画質劣化のないデジタル信号が記録、表示可能となる。
【００４４】
内視鏡１（もしくはＣＣＤ２）検知信号は、信号線１２ｂを経由して絶縁回路５４を通過後、映像処理回路１（５５）に入力され、内視鏡１（もしくはＣＣＤ２）ごとの画像処理（ホワイトバランス、色調など）が行われる。
【００４５】
またＣＰＵ７４は、映像処理回路１（５５）のＣＰＵＩ／Ｆ１５８、バッファドライバＢＵＦ１（７８）を経由して内視鏡１（もしくはＣＣＤ２）検知データをＲＥＡＤし、その検知データを、バッファドライバＢＵＦ１（７８）、バッファドライバＢＵＦ２（７９）を経由して、映像処理回路１（５５）、映像処理回路２（５７）、合成処理回路（１０２）、映像処理回路３（８９）、映像処理回路４（９４）、映像＋合成処理回路（９３）に出力する。
【００４６】
各回路は、内視鏡１（もしくはＣＣＤ２）検知信号ごとの画像処理、マスク処理、文字重畳処理を行う（詳細は、図１７参照）。操作スイッチ部３のスイッチＯＮ／ＯＦＦ信号は、信号線４ｂを経由してパラシリ回路６４に入力され、同期式または調歩同期式シリアルデータに変換された後、絶縁回路５４を通り、制御回路６７内のシリパラ回路２５３でシリパラ変換される。
【００４７】
ＣＰＵ７４はＣＰＵＩ／Ｆ２５２、バッファドライバＢＵＦ１（７８）を経由してＲＥＡＤすることで、スイッチ部３にある複数のスイッチのどれがＯＮになっているかを判別し、各スイッチごとに割り当てられた処理動作を行う(詳細は表５参照)。内視鏡１内のＣＰＵ９からのデータ信号は、絶縁回路５４を通過後、制御回路６７のシリアルインターフェース部ＳＩＯ（２５０）に入力される。
【００４８】
調光回路（６５）は、ＣＤＳ５１から出力される内視鏡画像から光量情報（測光信号、調光信号など）を算出し、パラシリ回路（６４）にてシリアルデータに変換した後、絶縁回路６６を通過して信号線２７bにて送信される。制御回路６７は、前記処理の他、各周辺機器とシリアルインターフェース、またはパラレルインターフェースによるデータの送受信、キーボード１４とのシリアルインターフェース、信号線２８ｂを経由した光源１７とのインターフェース、Ａ／Ｄ変換器６８でアナログ→デジタル変換された光源１７ａの調光信号デジタル信号の入力、フロントパネル６９とのインターフェース、ブザー７１制御、内視鏡合成画像の信号レベルの微調整を行う（電子ボリューム、ＶＣＡなどの）調整回路６０，９８の制御、などを行う。
【００４９】
ＣＰＵ７４は、システムバス１１８を経由して、以下の回路を制御する（ＲＥＡＤ，ＷＲＩＴＥするレジスタは図１７参照）。
・プログラム関連データ、内視鏡情報データ、内視鏡画像データなどを格納するＲＡＭ７６（ＳＲＡＭ，ＳＤＲＡＭ，ＤＲＡＭ，ＲＤＲＡＭなどＷＯＲＫ処理用の揮発性メモリ。パラレルインターフェース、シリアルインターフェースどちらでも良い）
・時計などの管理するリアルタイムクロックＲＴＣ８１
・プログラムデータ、プログラムのバージョン、ＥＴＨＥＲＮＥＴのＭＡＣアドレス等を格納するプログラムＲＯＭ８３
・プログラム動作のログやメンテナンス情報などを格納するログデータ格納ＲＯＭ８２
・フロントパネル６９やキーボード１４の設定情報、各種設定画面情報、ホワイトバランスデータなど、電源ＯＦＦ時もデータを保持すべき内視鏡関連情報を格納するＢＡＣＫＵＰ  ＲＡＭ７７（ＥＥＰＲＯＭ，ＦＬＡＳＨ  ＲＯＭ，ＦＲＡＭ，ＦｅＲＡＭ，ＭＲＡＭ，ＯＵＭ，バッテリー付きＳＲＡＭ等）
・内視鏡関連情報、内視鏡合成画像、リモート信号等をＵＳＢ１．０，１．１，２．０などのインターフェースで記録装置（８６）に送受信するＵＳＢ回路８５
・内視鏡関連情報、内視鏡合成画像、リモート信号等を、１０Ｂａｓｅ−Ｔ，１００Ｂａｓｅ−ＴＸ，１０００Ｂａｓｅ−Ｔや１０００Ｂａｓｅ−Ｘ（ＧＩＧＡＥＴＨＥＲＮＥＴ），無線ＬＡＮなどＥｔｈｅｒｎｅｔ規格に準ずるインターフェースで記録装置（８７）に送受信するＥＴＨＥＲＮＥＴ回路部８４
・各回路にチップセレクト信号を送信するアドレスデコーダー８０
・バスドライバＢＵＦ１（７８）を経由して接続されるコンフィグレーションＩＣ１（１０９）、コンフィグレーションＩＣ２（１０５）、コンフィグレーションＩＣ４（７２）、映像処理回路１（５５）、映像処理回路２（５７）、合成処理回路（１０２）、制御回路（６７）、グラフィック処理回路１（１０３）
・バスドライバBUF2(79)を経由して接続される、映像処理回路３（８９）、映像処理回路４（９４），映像＋合成処理回路（９３）、コンフィグレーションＩＣ３（９１）。
【００５０】
ＲＥＳＥＴ回路（７５）はウォッチドッグタイマなどを内蔵し、電源ＯＮ時や、プログラムのハングアップ時にＲＥＳＥＴ処理を行う。
なお、映像処理回路１（５５）、映像処理回路２（５７），合成処理回路（１０２），映像処理回路３（８９），映像処理回路４（９４），映像＋合成処理回路（９３），制御回路（６７）は、ＦＰＧＡ（Ｆｉｅｌｄ  Ｐｒｏｇｒａｍｍａｂｌｅ  Ｇａｔｅ  Ａｒｒａｙ）で構成されており，それぞれ、コンフィグレーションＩＣ１（１０９）＋コンフィグレーションメモリ１（１１０）＋コンフィグレーション回路１５７，１５９，コンフィグレーションＩＣ２（１０５）＋コンフィグレーションメモリ２（１０６）＋コンフィグレーション回路１７２，コンフィグレーションＩＣ３（９１）＋コンフィグレーションメモリ３（９２）＋コンフィグレーション回路２００，２０７，２１０、コンフィグレーションＩＣ４（７２）＋コンフィグレーションメモリ４（７３）＋コンフィグレーション回路（２５４）により、コンフィグレーション処理が行われる（詳細の動作は、特許文献３を参照。）。
【００５１】
前記コンフィグレーションメモリは、パラレルインターフェース、シリアルインターフェースどちらでも良い。
ＳＳＧ５０，９０は、複数の垂直同期信号、水平同期信号、ＯＤＤ／ＥＶＥＮ判別信号を出力する。
【００５２】
垂直同期信号ＶＤ１（例えば６０Ｈｚ），水平同期信号ＨＤ１（例えば１５．７５ｋＨｚ）は、映像処理回路２（５７）内の拡大・強調・同時化処理回路１６３内の同時化処理回路、又は映像＋合成処理（９３）内の同時化処理回路２０８より前の処理回路で使用され、パルスの出力タイミングが異なる別の垂直同期信号ＶＤ２（例えば５０Ｈｚ  ｏｒ  ６０Ｈｚ），ＶＤ３（例えば５０Ｈｚ  ｏｒ  ６０Ｈｚ），ＯＤＤ／ＥＶＥＮ判別信号ＯＤＤ２，ＯＤＤ３，水平同期信号ＨＤ２（例えば１５．７５ｋＨｚ  ｏｒ  １５．６２５ｋＨｚ），ＨＤ３（例えば３３．７５ｋＨｚ  ｏｒ  ２８．１２５ｋＨｚ）は拡大・強調・同時化処理回路１６３内の同時化処理回路、又は同時化処理回路２０８より後の処理回路で使用される。
【００５３】
また、ＳＳＧ５０では、画像処理用に１３．５ＭＨｚ，２７ＭＨｚのＣＬＫを出力し、ＣＰＵ７４，アドレスデコーダーなど制御用に６０ＭＨｚ，３０ＭＨｚのＣＬＫを出力する。ＳＳＧ９０では、画像処理用に１３．５ＭＨｚ，２７ＭＨｚ，７４ＭＨｚのＣＬＫを出力する。なお、オプション基板１１６は、ＰＣＩ，ＣｏｍｐｕｃｔＰＣＩやＶＭＥなどのインターフェースを用いてもよく、使用者が、オプション基板１１６を交換可能であってもよい。その際には、オプション基板上１１６の一部の機能（例えば、「映像＋合成処理（９３）」＋ＳｅｒｉａｌＤＲＶ．９６）だけ実装された基板を複数用意し、ユーザーの希望に応じて選択可能であっても良い。その場合には、オプション基板検知信号１１７を複数線用意し、複数のビットを用いることで検知しても良く、シリアルインターフェース化しても良い。
【００５４】
図３については、後述する。
図４，図５は、プロセッサ１３に接続される周辺機器の詳細を示すブロック図である。接続される周辺機器は、磁界を利用した内視鏡挿入形状観測装置などの画像形状記憶装置３０３，３５２、表示装置であるモニタ３０４，３５３，画像記録装置であるＶＴＲ３０５，３５４，プリンタ３０６，３５５，写真撮影装置３０７，３５６、ファイリング装置３０８，３５７、磁気カードへの患者情報や内視鏡情報、内視鏡画像などの読み取り、書き込みを行う磁気装置３０９、内視鏡１の光学ズーム処理を行う拡大コントローラ３１０、リモートコントロールを行うフットスイッチ３１１、内視鏡１の送水処理を行うＰＵＭＰ３１２、超音波処理を行う超音波装置３５８、集中制御を行う集中制御装置３１５などからなる。
【００５５】
（画像形状記憶装置３５２，モニタ３５３，ＶＴＲ３５４，プリンタ３５５、写真撮影装置３５６、ファイリング装置３５７はＨＤＴＶ，ＳＸＧＡ，ＵＸＧＡ，ＱＸＧＡ，ＱＳＸＧＡなど高画質なアナログもしくはデジタル内視鏡画像、内視鏡合成画像に対応している。）
合成処理１（６１）内のセレクタ３０２は、調整回路６０やデジタルエンコーダ６２からの内視鏡合成画像出力と、ＶＴＲ３０５、プリンタ３０６、写真撮影装置３０７、ファイリング装置３０８からの映像信号出力を切り替えて出力する。セレクタ３０２で出力された映像信号の一方（例えばＲＧＢ信号）は、画像合成回路３０１にて画像形状記憶装置３０３から出力された画像形状を示す画像信号及び画像信号をマスクするマスク信号により画像合成され、信号線３１３を経由してモニタ３０４で表示される。
【００５６】
またセレクタ３０２で出力された映像信号の他方（例えば、Ｙ／Ｃ信号  ｏｒ  コンポジット信号）は、信号線３１４を経由してモニタ３０４に表示される。なお、モニタ３０４側に入力された複数の映像信号の切替は、制御回路６７内のＰＩＯ２５１やＳＩＯ２５０を経由したパラレルインターフェース  ｏｒ  シリアルインターフェースにて制御することで実現できる。
【００５７】
切り替え操作は、キーボード１４やフットスイッチ３１１，フロントパネル６９，内視鏡１の操作スイッチ部３などの操作デバイス（以下操作デバイスという）に割り当てられた切替スイッチで行われ、制御回路６７内のパラレルインターフェース回路ＰＩＯ２５１やシリアルインターフェースＳＩＯ２５０又はシリパラ回路１（２５３）を経由してＣＰＵ７４が検出する。
【００５８】
一方、調整回路６０やデジタルエンコーダ６２からの内視鏡合成信号出力は、ＶＴＲ３０５、プリンタ３０６、写真撮影装置３０７、ファイリング装置３０８等の記録機器に出力され、動画像もしくは静止画像が記録される。上記周辺機器の制御スイッチが操作デバイスに割り当てられ、ＰＩＯ２５１やＳＩＯ２５０、シリパラ回路１（２５３）を経由して検出したＣＰＵ７４は、ＰＩＯ２５１やＳＩＯ２５０を経由して、制御信号を出力する。
【００５９】
制御内容の一例は、以下の通りである。なお、これらの詳細は後述する。
・記録もしくは出力する映像信号、内視鏡合成画像の選択
・記録・再生・早送り・巻き戻し・コマ送り・一時停止・印刷・画像消去の指示
・表示分割数や記録枚数の設定
・内視鏡関連情報の記録、読み出し
・記録装置への日時、時刻設定、もしくは記録装置からプロセッサ１３への日時、時刻設定
拡大コントローラ３１０、ＰＵＭＰ３１２、磁気装置３０９、集中制御装置３１５、画像形状記憶装置３０３の制御も同様に、操作デバイスに割り当てられた設定キーによって行われる。具体的な制御内容は、
・拡大コントローラ３１０のテレ／ワイドなどの光学ズーム処理
・ＰＵＭＰ３１２の送水ＯＮ／ＯＦＦ処理
・磁気カードへの患者情報や内視鏡情報、内視鏡画像などの読み取り、書き込み
画像形状記憶装置３０３への患者情報や内視鏡情報、内視鏡画像などの読み取り、書き込み
・集中制御装置３１５への患者情報や内視鏡情報、内視鏡画像などの読み取り、書き込み、装置制御
・画像合成回路３０１への画像合成ＯＮ／ＯＦＦなどを行う。
【００６０】
図５において、合成処理２（９９）内のセレクタ３５０は、調整回路９８の内視鏡合成画像信号出力と、ＶＴＲ３５４，プリンタ３５５，写真撮影装置３５６，ファイリング装置３５７，超音波装置３５８からの映像信号出力を切り替えて出力する。切り替えて出力された映像信号（例えばＲＧＢ信号もしくはＹｐｒＰｂ信号）は、画像合成回路３５１にて、画像形状記憶装置３５２から出力された画像形状画像信号及びマスク信号により画像合成され、信号線３５９を経由して、モニタ３５３で表示される。
【００６１】
モニタ３５３に入力される複数の映像信号（３５９、図４の３１３，３１４、超音波装置３５８の映像出力）の切替も、モニタ３０４と同様に、操作デバイスに割り当てられた切替スイッチの操作により、ＰＩＯ２５１やＳＩＯ２５０を経由してパラレルインターフェース  ｏｒ  シリアルインターフェースにて制御することで実現できる。
【００６２】
また、調整回路９８やＳｅｒｉａｌＤＲＶ．９６からの内視鏡合成画像信号出力は、ＶＴＲ３５４、プリンタ３５５、写真撮影装置３５６、ファイリング装置３５７、超音波装置３５８などの記録機器に出力され、動画像もしくは静止画像が記録される。また操作デバイスに割り当てられた設定キーの操作により、ＰＩＯ２５１やＳＩＯ２５０を経由してパラレルインターフェース  ｏｒ  シリアルインターフェースにて、以下の制御を行う。
【００６３】
・記録もしくは出力する映像信号、内視鏡合成画像の選択
・記録・再生・早送り・巻き戻し・コマ送り・一時停止・印刷・画像消去の指示
・表示分割数や記録枚数の設定
・内視鏡関連情報の記録、読み出し
・記録装置への日時、時刻設定、もしくは記録装置からプロセッサ１３への日時、時刻設定
・超音波装置３５８の映像出力との切替
・画像合成回路３５２への画像合成ＯＮ／ＯＦＦ
などを行う。
【００６４】
プロセッサ１３と周辺機器との接続は、図４、図５のように全ての周辺機器を接続する他に、使用者の使用状況に応じて一部の機器のみ接続を行うようにしても良い。また、プロセッサ１３側に用意する、周辺機器を制御するシリアルインターフェース又はパラレルインターフェース用ケーブルを接続するコネクタは、全ての周辺機器分用意してもよく、一部の周辺機器について共用化する事で、省スペース・低コスト化をはかっても良い。
【００６５】
図３，図６，図７は、プロセッサ１３の内、映像処理回路１（５５）、映像処理回路２（５７），合成処理回路（１０２），映像処理回路３（８９），映像処理回路４（９４），映像＋合成処理回路（９３），制御回路（６７）及び周辺回路の詳細を示す図である。ＣＰＵＩ／Ｆ１５８，１６２，１６９，２０３，２０５，２０９，２５２は、ＣＰＵ７４とＢＵＦ１（７８）又はＢＵＦ２（７９）を経由してバス接続され、ＣＰＵ７４により制御可能である。
【００６６】
また、映像処理回路１（５５），映像処理回路２（５７），合成処理回路（１０２），映像処理回路３（８９），映像処理回路４（９４），映像＋合成処理回路（９３），制御回路（６７）それぞれ内部にある全ての回路と接続されている為、その結果ＣＰＵ７４により上記回路が全て制御可能となる。
【００６７】
（バス接続とは、アドレスバス、データバス、ライトイネーブル／リードイネーブル／チェックセレクト／Ｗａｉｔ信号／ＩＮＴ信号などのコントロールバスからなるバス信号によって接続されることを言う。）
映像処理回路１（５５）内では、絶縁回路５４からの内視鏡画像が、ＯＢクランプ部１５１にてＯＢクランプ処理され、周波数変換部１５２で周波数変換（例えば２７ＭＨｚ）を行い、ホワイトバランス処理部１５３でホワイトバランス処理がなされ、ＡＧＣ１５４でＡＧＣ処理後、フリーズ動作を行うフリーズ部１５５に入力される。フリーズ動作を行うための操作キー（以下フリーズキーという）も、操作デバイスに割り当て可能である。一例を以下に示す。
【００６８】
・キーボード１４上のフリーズキー入力時は、同期式または調歩同期式シリアルデータにて制御回路６７内のシリアルインターフェース回路ＳＩＯ１（２５０）に入力され、ＣＰＵＩ／Ｆ回路２５２を経由してＣＰＵ７４に送られる。ＣＰＵ７４は受信したデータより、スイッチ部３に割り当てられたフリーズスイッチのＯＮを判別する。
【００６９】
・フットスイッチ３１１上のフリーズキー入力時は、制御回路６７内のパラレルインターフェース回路ＰＩＯ２５１に入力され、ＣＰＵＩ／Ｆ回路２５２を経由してＣＰＵ７４に送られる。ＣＰＵ７４は受信したデータより、スイッチ部３に割り当てられたフリーズスイッチのＯＮを判別する。
【００７０】
・フロントパネル６９上のフリーズキー入力時は、パラシリ回路２（７０）に入力され、同期式または調歩同期式シリアルデータに変換された後、制御回路６７内のシリパラ変換回路２５３にてパラレルデータに変換され、ＣＰＵＩ／Ｆ回路２５２を経由してＣＰＵ７４に送られる。ＣＰＵ７４は受信したデータより、スイッチ部３に割り当てられたフリーズスイッチのＯＮを判別する。
【００７１】
・操作スイッチ部３上のフリーズキー入力時は、信号線４ｂを経由してパラシリ回路６４に入力され、同期式または調歩同期式シリアルデータに変換された後、絶縁回路５４を通り、制御回路６７内のシリパラ変換回路２５３にてパラレルデータに変換後、ＣＰＵＩ／Ｆ回路２５２を経由してＣＰＵ７４に送られる。ＣＰＵ７４は受信したデータより、スイッチ部３に割り当てられたフリーズスイッチのＯＮを判別する。
【００７２】
ＣＰＵ７４はフリーズスイッチのＯＮを検出後、バス接続されているＣＰＵＩ／Ｆ（１５８）を経由してフリーズ部１５５を制御し、メモリ１（５６）にフリーズ画像又はプリフリーズ画像を格納する。
【００７３】
フリーズ部１５５から出力された内視鏡画像は、セレクタ１（１５６）を経由して、映像処理回路２（５７）に入力される。映像処理回路２（５７）内では、色調回路１６０にてＲ又はＢの色調を調整し、γ補正部１６１でγ補正後、拡大・強調・同時化回路１６３及びメモリ２（５８）にて、内視鏡画像の拡大・縮小処理、輪郭強調・構造強調などの強調処理、（図示しない）マルチプレクサによりＲＧＢ画像をＲ，Ｇ，Ｂフレームごとに順次書き込むことによる同時化処理を行う。同時化処理後の内視鏡画像は、合成処理回路（１０２）内の文字・マスク・画像合成回路１７１にて、
・グラフィック処理回路１（１０３）で作製されたマスク信号による、内視鏡画像の８角形マスク処理、
・グラフィック処理回路１（１０３）とメモリ３（１０４）とテーブル１（１７０）により作成された内視鏡関連情報の合成、
・内視鏡合成画像を格納する画像キャプチャー部（１６８）とメモリ５（１０８）、
・画像キャプチャー部から出力された画像の合成を行う。
【００７４】
内視鏡合成画像は、再び映像処理回路２（５７）にてセレクタ２（１６６）を経由してＤ／Ａ（５９）及びデジタルエンコーダー（６２）に出力される。カラーバー回路１６４はカラーバーもしくは、５０％白信号を生成する回路であり、セレクタ２（１６６）で選択された場合に出力される。
【００７５】
セレクタ２（１６６）はＢＵＦ１（７８），ＣＰＵＩ／Ｆ（２０９）を経由してＣＰＵ７４により制御可能であり、操作デバイスに割り当てられた切替スイッチにより選択される（操作デバイスによる操作入力の詳細は前記フリーズキー入力時の動作と同じ）。
【００７６】
パラメータメモリ１（１１４）には、ＡＧＣ１５４用テーブル、γ１６１用テーブル、色調１６０の色調テーブル、拡大・強調・同時化１６３用拡大係数、強調係数、レベル調整などのパラメータデータが格納されており、パラメータメモリ制御１，２（１５０，１６５）によりパラメータデータが書き込み・読み出しされると共に、ＡＧＣ１５４、γ１６１、拡大・強調・同時化回路１６３、色調１６０に設定される。
【００７７】
なお、パラメータメモリ制御１，２（１５０，１６５）がパラメータメモリ１（１１４）からパラメータデータを読み出すタイミングは、同期信号ＶＤ１，ＨＤ１により作成され、読み出し処理が１５０，１６５で衝突しないようになっている。
【００７８】
セレクタ１（１５６）は、オプション基板検知１１７の信号レベルにより選択される。オプション基板１１６装着時は、基板検知１１７はグラウンドに接続される為、信号レベルは“Ｌ”レベルとなる。オプション基板検知回路の信号は、セレクタ１（１５６）にＳＥＣＥＣＴ信号として入力され、セレクタ１（１５６）が、オプション基板１１６上の映像処理回路３出力になるように選択する。
【００７９】
一方、オプション基板１１６未装着時は、基板検知１１７はプルアップされた信号レベル“Ｈ”になり、信号レベル“Ｈ”を検出したセレクタ１（１５６）は、フリーズ回路１５５の出力になるように選択する。なお、セレクタ１（１５６）の制御は、オプション基板検知１１７で直接制御する他、制御回路６７内のパラレルインターフェース回路ＰＩＯ２５１、ＣＰＵＩ／Ｆ回路２５２を経由してＣＰＵ７４が検出後、ＢＵＦ１，ＣＰＵＩ／Ｆ（１５８）を経由して制御しても良い。
【００８０】
オプション基板１１６装着時には、フリーズ回路１５５の出力は、映像処理回路３（８９）内の画像処理回路２０２及びパラメータメモリ２（８８）にてＩＨｂ色彩強調などの強調処理が行われる（詳細は特許文献４の参照の事）。その後、映像処理回路１（５５）のセレクタ１（１５６）に入力される。
【００８１】
また、映像処理回路２（５７）のγ回路１６１の出力は、周波数変換回路３（１１５）にて周波数変換（例えば７４ＭＨｚ）した後、拡大縮小回路２０４にて内視鏡画像の拡大、縮小処理後、強調回路２０６にて輪郭強調、構造強調、動画色ずれ補正などの強調処理を行い、同時化回路２０８＋メモリ６（１０１）にて、（図示しない）マルチプレクサによりＲＧＢ画像をＲ，Ｇ，Ｂフレームごとに順次書き込むことによる同時化処理を行う。
【００８２】
パラメータメモリ３（９５）には、拡大縮小回路２０４用拡大係数、強調回路２０６用強調係数、レベル調整などのパラメータデータが格納されており、パラメータメモリ制御４（２１８）によりパラメータデータが書き込み・読み出しされると共に、拡大・拡大縮小回路２０４、強調回路２０６などに設定される。
【００８３】
その後、文字・マスク・画像合成回路２１１にて、
・内視鏡画像のマスク処理、
・ＣＰＵ７４から、ＢＵＦ２（７９），ＣＰＵＩ／Ｆ２０９を経由して入力された内視鏡関連情報は、グラフィック処理回路２（２１２）とメモリ７（１１１）とテーブル２（２１４）により文字化又はグラフィック化されるが、その作成された文字又はグラフィックを合成する。
【００８４】
・内視鏡合成画像を格納する画像キャプチャー部２１５とメモリ９（１１３）から出力された画像の合成、
・内視鏡画像からインデックス画像の作成及びインデックス画像の格納を行うインデックス画像作成部（２１３）とメモリ８（１１２）より出力された画像の合成を行う。
【００８５】
文字・マスク・画像合成回路２１１出力後、セレクタ３（２１７）を経由して、ＳｅｒｉａｌＤＲＶ．９６及びＤ／Ａ変換器９７に入力される。カラーバー回路２１６はカラーバーもしくは、５０％白信号を生成する回路であり、セレクタ３（２１７）で選択された場合に出力される。
【００８６】
セレクタ３（２１７）はＢＵＦ２，ＣＰＵＩ／Ｆを経由してＣＰＵ７４により制御可能であり、操作デバイスに割り当てられた切替スイッチにより選択される（制御の詳細は前記フリーズキー入力時の動作と同じ）。なお、セレクト３（２１７）とセレクタ２（１６６）の切り替えスイッチは、操作デバイス上の同一のスイッチでもよい。
【００８７】
メモリ１（５６）、メモリ２（５８）、メモリ３（１０４）、メモリ４（１０７）、メモリ５（１０８）、メモリ６（１０１）、メモリ７（１１１）、メモリ８（１１２）、メモリ９（１１３）、パラメータメモリ１（１１４）、パラメータメモリ２（８８）、パラメータメモリ３（９５）、ＲＡＭ７６，ＢＡＣＫＵＰＲＡＭ７７プログラムＲＯＭ８２、ログデータ格納ＲＯＭ８２のインターフェースはノイズの影響を受けないようシリアルインターフェースにしても良く、高速化を図るためパラレルインターフェースにしても良い。
【００８８】
制御回路６７では以下の処理を行う。
・操作スイッチ部３から信号線４ｂを経由してパラシリ回路６４に入力され、同期式または調歩同期式シリアルデータに変換された後、絶縁回路５４を通り、制御回路６７内のシリパラ変換回路２５３にてパラレルデータに変換後、ＣＰＵＩ／Ｆ回路２５２を経由してバス接続されているＣＰＵ７４に送られる。ＣＰＵ７４は受信したデータより、スイッチ部３に割り当てられた機能のＯＮ／ＯＦＦを判別する。
【００８９】
・フロントパネル６９に割り当てられた設定キーの操作を、パラシリ回路２（７０）、制御回路６７内のシリパラ変換回路２５３にてパラレルデータに変換後、ＣＰＵＩ／Ｆ回路２５２を経由してバス接続されているＣＰＵ７４に送られる。ＣＰＵ７４は受信したデータより、フロントパネル６９に割り当てられた機能のＯＮ／ＯＦＦを判別する。
【００９０】
・ＣＰＵ９からのデータ信号を、信号線１１ａ，コネクタ１５，ケーブル３２，コネクタ３１，信号線１１Ｂ，絶縁回路５４を経由し、ＳＩＯ１（２５０）に接続され、ＣＰＵＩ／Ｆ７（２５２）を経由してＣＰＵ７４に送受信される。
【００９１】
・キーボード１４やフットスイッチ３１１に割り当てられた設定キーの操作をＰＩＯ２５１やＳＩＯ２５０を経由してバス接続されているＣＰＵ７４に送られる。ＣＰＵ７４は受信したデータより、キーボード１４やフットスイッチ３１１に割り当てられた機能のＯＮを判別する。
【００９２】
・ＣＰＵ７４，ＢＵＦ１，ＰＩＯ２５１やＳＩＯ２５０を経由して、周辺機器の制御を行う。
・オプション基板検知回路１１７の信号レベルをＰＩＯ２５１，ＣＰＵＩ／Ｆ７（２５２），ＢＵＦ１を経由してＣＰＵ７４が検知する。
【００９３】
・光源の種類の検知する信号２９ｂが、コネクタ２６，ケーブル３４，コネクタ３３を経由して、ＰＩＯ２５１に接続され、ＣＰＵＩ／Ｆ７（２５２）を経由してＣＰＵ７４に送受信される。
【００９４】
・ＣＰＵ７４，ＢＵＦ１，ＰＩＯ２５１を経由して調整回路６０，９８に接続され、内視鏡合成画像、映像信号の信号レベルの調整を行う。
・ＣＰＵ７４，ＢＵＦ１，ＰＩＯ２５１を経由して画像合成回路３０１，３５１に接続さて、画像合成処理のＯＮ／ＯＦＦ処理を行う。
【００９５】
・ＣＰＵ７４，ＢＵＦ１，ＰＩＯ２５１を経由してブザー７１の制御を行う。
図８は、映像＋合成処理回路（９３）の詳細動作を示すブロック図である。ＣＰＵ７４はＣＰＵＩ／Ｆ６（２０９）を経由して、文字，グラフィック，アローカーソル，カーソルなどのグラフィックデータを作成するようにグラフィック処理回路２１２及びメモリ７（１１１）を制御する。
【００９６】
図９は、テーブル２（２１４）の概要を示す。垂直同期信号ＶＤ３，水平同期信号ＨＤ３，ＯＤＤ／ＥＶＥＮ判別信号ＯＤＤ３に同期して出力されるグラフィックデータは、テーブル２（２１４）により、図９に示すようにＲＧＢ信号に変換される。テーブル出力の色なし補正とは、合成回路２６８，２７３での合成処理に使用し、ＯＮの場合は内視鏡画像を選択・出力し、ＯＦＦの場合はグラフィックデータを選択・出力するように制御する為のデータである。
【００９７】
テーブル２（２１４）出力は合成回路２６８に入力され、テーブル２（２１４）出力であるグラフィックデータの内、アローカーソルのみを内視鏡画像と合成する。グラフィックデータからアローカーソルのみを選択する方法は、選択するためのマスクデータをグラフィック処理回路２１２側で作成し、グラフィックデータと同様に出力しても良く、又はアローカーソルに特定の表示色を使用し、その表示色のみ選択するようにしても良い。
【００９８】
カウンタ生成回路２７１は、垂直同期信号ＶＤ３，水平同期信号ＨＤ３，ＯＤＤ／ＥＶＥＮ判別信号ＯＤＤ３，及び（図示しない）同期クロック（例えば７４ＭＨｚ）により、水平方向カウンタ及び垂直方向カウンタを作成し、マスク処理２６３，２６６、メモリ制御２７２、マスク信号生成２６７、メモリ制御２６２、画像移動用メモリ２６５などに供給する。
【００９９】
水平方向カウンタは、同期クロックの立ち上がりごとにカウントアップし、ＨＤ３の開始時（例えば立下り時）にリセットされる。垂直方向カウンタは、ＨＤ３の開始（例えば立下り）毎にカウントアップし、ＶＤ３の開始時（例えば立下り時）にリセットされ、ＯＤＤ／ＥＶＥＮ信号より奇数フィールドか偶数フィールドかを判別し、垂直方向カウンタを設定する（ＯＤＤ／ＥＶＥＮ信号を最下位ＢＩＴにしてもよく、又はＯＤＤ時＋ＶＤ３の開始時にのみリセットを行うなどしてもよい。）。
【０１００】
合成後の画像は、縮小処理回路２６９によって縮小され、メモリ制御回路２７２が双方向バッファ２７０、メモリ８（１１２）を制御することにより、縮小画像を格納する。縮小処理回路２６９の縮小率は、内視鏡１（もしくはＣＣＤ２）の種類、又は操作デバイスに割り当てられた画像サイズ、又はモニタ３５３などへの画面アスペクト比によって変更する（詳細は、図２０，図２１参照）。
【０１０１】
メモリ８（１１２）は、ＥＥＰＲＯＭ、又はＦＬＡＳＨ  ＲＯＭ、ＦＲＡＭ，ＦｅＲＡＭ，ＭＲＡＭ，ＯＵＭ，ＳＲＡＭ，ＳＤＲＡＭ，ＥＤＯＲＡＭ，ＤＲＡＭ，ＲＤＲＡＭなどで構成され、メモリ制御２７２はメモリに合わせた制御を行う。例えば、ＳＤＲＡＭの場合は、ＡＵＴＯ  ＲＥＦＲＥＳＨ，ＭＯＤＥ  ＲＥＧＩＳＴＥＲ  ＳＥＴ，ＲＯＷ  ＡＣＴＩＶＥ，ＷＲＩＴＥ，ＲＥＡＤ，ＷＲＩＴＥＡ，ＲＥＡＤＡ，ＰＲＥＣＨＡＲＧＥなどの制御を行う。
【０１０２】
縮小画像を格納後、メモリ制御回路２７２が双方向バッファ２７０、メモリ８（１１２）を制御することにより、メモリ８（１１２）に格納された縮小画像を読み出し、マスク処理回路（２６６）で縮小画像のマスク処理後、合成処理回路２７３に入力される。
【０１０３】
一方、内視鏡画像はマスク信号生成回路２６７，マスク処理回路２６４にてマスク処理を行った後、画像移動用メモリ２６５（ＦＩＦＯ，ラインメモリ，フィールドメモリ，フレームメモリなど）にて水平方向や垂直方向への画像位置移動を行い、合成処理回路２７３に入力する。
【０１０４】
位置移動は、画面アスペクト比によって異なる（詳細は表２の項目ＨＤＴＶ参照）。合成処理回路２７３では、内視鏡画像、グラフィックデータを合成すると共に、合成した内視鏡合成画像を画像キャプチャー部２１５に出力する。画像キャプチャー部２１５内のメモリ制御２６２及びメモリ９（１１３）にて内視鏡合成画像の書き込み、読み出し処理を行う。
【０１０５】
図１０は、プロセッサ１３の各回路に割り当てられたアドレスマップを示す。ＣＰＵ７４は、図１０に基づき各回路を制御する。
図１１〜図１４は、プロセッサ１３の各設定を行う為に、モニタ３０４，３５３や周辺機器に出力されるシステム設定画面を示す。システム設定画面は、ＣＰＵ７４の制御によりグラフィック処理回路１（１０３），メモリ３（１０４），グラフィック処理回路２（２１２），メモリ７（１１１）にて生成されるものである。
【０１０６】
操作デバイスに割り当てられたシステム設定画面表示キーにより設定画面が表示され、カーソル移動キー（例えば、キーボード１４の↑↓キー（５４４））により項目が選択されると、選択された項目及び文字の表示色が変化し、選択変更キー（例えば、キーボード１４の←→キー（５４４））、選択確定キー（例えばキーボード１４のＥＮＴＥＲキー（５４２））や文字・数字入力キー（例えばキーボード１４の文字「Ｙ」キー（５３２））により選択項目の変更や確定を行い、ページ切替キー（例えばキーボード１４のＦＮ（５３６）＋↑↓キー（５４４））により設定画面のページ切替えを行う。
【０１０７】
システム設定画面下部には、選択された各項目に関するＨＥＬＰ情報が表示される。各項目の詳細は以下表１〜表５の通りである。
なお、システム設定画面の一部の項目は、保守管理用のみに使用するために、容易に見ることができないように「周辺機器と接続するプロセッサ１３側のコネクタに、保守管理用キーを接続時のみ表示可能とする。」としても良い。
【０１０８】
【表１−１】
2005349142.tif 000003
【０１０９】
【表１−２】
2005349142.tif 000004
【０１１０】
【表２Ａ−１】
2005349142.tif 000005
【０１１１】
【表２Ａ−２】
2005349142.tif 000006
【０１１２】
【表２Ｂ−１】
2005349142.tif 000007
【０１１３】
【表２Ｂ−２】
2005349142.tif 000008
【０１１４】
【表２Ｃ−１】
2005349142.tif 000009
【０１１５】
【表２Ｃ−２】
2005349142.tif 000010
【０１１６】
【表３】
2005349142.tif 000011
【０１１７】
【表４Ａ−１】
2005349142.tif 000012
【０１１８】
【表４Ａ−２】
2005349142.tif 000013
【０１１９】
【表４Ｂ−１】
2005349142.tif 000014
【０１２０】
【表４Ｂ−２】
2005349142.tif 000015
【０１２１】
【表４Ｃ−１】
2005349142.tif 000016
【０１２２】
【表４Ｃ−２】
2005349142.tif 000017
【０１２３】
【表５Ａ−１】
2005349142.tif 000018
【０１２４】
【表５Ａ−２】
2005349142.tif 000019
【０１２５】
【表５Ｂ−１】
2005349142.tif 000020
【０１２６】
【表５Ｂ−２】
2005349142.tif 000021
【０１２７】
【表５Ｃ−１】
2005349142.tif 000022
【０１２８】
【表５Ｃ−２】
2005349142.tif 000023
図１５，図１６は、プロセッサ１３を使用するユーザーごとに設定可能な項目をまとめたユーザー設定画面を示す。ユーザー設定画面も、ＣＰＵ７４の制御によりグラフィック処理回路１（１０３），メモリ３（１０４），グラフィック処理回路２（２１２），メモリ７（１１１）にて生成されるものである。操作デバイスに割り当てられたユーザー設定画面表示キーによりまずユーザーリスト画面が表示される（図１５）。
【０１２９】
図１５のユーザーリスト画面にて、操作デバイスに割り当てられたカーソル移動キー（例えば、キーボード１４の↑↓キー）により項目が選択され、選択された項目及び文字の表示色が変化する（例えば、文字が緑色になる。）。
【０１３０】
また、ページ切替キー（例えばキーボード１４のＦｎ＋↑↓キー）によりリストのスクロールが行われる。
○リストからユーザー名が入力済みのユーザー項目を選択時
・選択確定キー（例えばキーボード１４のＥＮＴＥＲキー）を入力すると、“Ｃａｌｌ／Ｅｄｉｔ”選択ボタンが表示される。選択変更キー（例えば、キーボード１４の←→キー）にて、
・Ｃａｌｌを確定：該当ユーザー設定をＬＯＡＤ／設定後、観察画面（内視鏡合成画像表示画面）へ移行
・Ｅｄｉｔを確定：該当ユーザー設定をＬＯＡＤ後、ユーザー設定画面へ移行
・ＤＥＬキー入力
・該当ユーザー設定を削除し、ｎｏ  ｄａｔａと表示する
○ユーザー名未入力（ｎｏ  ｄａｔａ）のユーザー項目を選択時
・選択確定キー（例えばキーボード１４のＥＮＴＥＲキー）を入力すると、ユーザー設定画面へ移行
図１６のユーザー設定画面では、図１１〜１４の設定画面と同じ動作にて設定を行う。詳細は表６の通り。
【０１３１】
【表６Ａ−１】
2005349142.tif 000024
【０１３２】
【表６Ａ−２】
2005349142.tif 000025
【０１３３】
【表６Ｂ−１】
2005349142.tif 000026
【０１３４】
【表６Ｂ−２】
2005349142.tif 000027
なお、設定画面及びユーザーリスト画面、ユーザー設定画面で設定された設定情報は、ＢＡＣＫＵＰ  ＲＡＭ７７又はプログラムＲＯＭ８３に格納され、プロセッサ１３が電源ＯＦＦになった場合でも保存されるようにしている。
【０１３５】
これより電源ＯＮする度に、再設定を行う必要はない。また、システム設定画面、ユーザー設定画面の設定項目は、周辺機器側からＳＩＯ２５０，ＰＩＯ２５１を経由して、設定読み出し、設定変更可能とする。
【０１３６】
図１７（図１７Ａ，図１７Ｂ，図１７Ｃ，図１７Ｄ，図１７Ｅ，図１７Ｆ−１，図１７Ｆ−２，図１７Ｇ，図１７Ｈ，図１７Ｉ，図１７Ｊ，図１７Ｋ，図１７Ｌ，図１７Ｍ，図１７Ｎ，図１７Ｏ，図１７Ｐ，図１７Ｒ）は、図１０のアドレスマップ内の各レジスタの詳細を示す。
【０１３７】
図１８は、ＭＯＮＩＴの設定の一例を示す図である。
図１９は、ＨＭＯＮＩＴの設定の一例を示す図である。
図２０は、インデックス関連レジスタｒｅｄの設定例（画面アスペクト比４：３，１６：９設定時）を示す。
【０１３８】
図２１は、インデックス関連レジスタｒｅｄの設定例（画面アスペクト比５：４設定時）を示す。図２１、図２２において、スコープ（ＣＣＤ）とは、内視鏡１のことを指し、ここではＳＣＯＰＥ１，ＳＣＯＰＥ２，ＳＣＯＰＥ３の３種類の内視鏡がある。また、画像サイズにはＭＥＤＩＵＭ、ＳＥＭＩ−ＦＵＬＬ，ＦＵＬＬの３形態があり、画像サイズの関係は、ＭＥＤＩＵＭ＜ＳＥＭＩ−ＦＵＬＬ＜ＦＵＬＬとなっている。同図のように、内視鏡の種類に応じて各インデックス画像のサイズが設定されている。
【０１３９】
図２２は、インデックス関連レジスタ（表示モード４：３設定、インデックス画像４駒時）を示す。
図２３は、インデックス関連レジスタ（表示モード１６：９設定、インデックス画像４駒時）を示す。
【０１４０】
図２４は、インデックス関連レジスタ（表示モード４：３設定、インデックス画像１駒時）を示す図である。
図２５は、インデックス関連レジスタ、インデックス一覧表示時、表示モード４：３設定（表示モード５：４、１６：９時には、値が異なる）を示す。
【０１４１】
さて、ここで、本実施形態におけるインデックス画像について説明する。本実施形態におけるインデックス画像とは、内視鏡にて撮影されている画像を、ユーザの操作によって所定のタイミングの画像を記録し、それを縮小させた画像のことをいう。それでは、以下に本実施形態におけるインデックス画像の制御について述べる。
【０１４２】
図２６（図２６−１〜図２６−３）は、本実施形態における画面（アスペクト比４：３）に表示されるインデックス画像（４駒表示）を示す。同図において、例えば図２６−３（ｅ）をみてみると、表示画面中の領域１００１に内視鏡で撮影した画像が映し出される。その領域１００１の下部に４つの領域１００２があるが、ここにインデックス画像が表示される。また、画面の左端には被験者である患者の氏名や性別、生年月日等の患者情報や、担当医名、内視鏡の製造番号等、その他の情報が表示されている。これらについては、後述する。それでは、同図について説明する。
【０１４３】
まず、インデックス画像取得前は、インデックス画像はないので未表示である（図２６−１（ａ））。そして、インデックス画像を取得すると、領域１００１の下部に取得したインデックス画像が表示され（図２６−１（ｂ））、取得のたびにインデックス画像は追加されていく（図２６−２（ｃ），図２６−２（ｄ），図２６−３（ｅ））。なお、これらのインデックス画像の取得については後述する。
【０１４４】
そして、さらにインデックス画像を取得すると、画面にはインデックス画像が４つまでしか表示できないので、左端のインデックス画像（１）は画面上から消え、それ以外のインデックス画像は１つ左へ移動し、左端に最新のインデックス画像（５）が表示される（図２６−３（ｆ））。
【０１４５】
図２７（図２７−１，図２７−２）は、本実施形態における画面（アスペクト比４：３）に表示されるインデックス画像（１駒表示）を示す。同図において、図２６と異なるのは、インデックス画像が１画面しか表示できないことである。この場合、表示画面の左下の領域１００２にインデックス画像が１画像表示され、領域１００１の下部には、図２６の左端に表示されていた様々な情報のうちの一部、例えば内視鏡の製造番号等の内視鏡に関する情報等が表示される。これらについては、後述する。それでは、同図について説明する。
【０１４６】
まず、インデックス画像取得前は、インデックス画像はないので未表示である（図２７−１（ａ））。そして、インデックス画像を取得すると、領域１００２に取得したインデックス画像が表示され（図２７−１（ｂ））、さらにインデックス画像を取得すると前回のインデックス画像は表示されず、今回取得したインデックス画像が領域１００２に表示される（図２７−２（ｃ））。
【０１４７】
図２８（図２８Ａ−１，図２８Ａ−２，図２８Ｂ−１，図２８Ｂ−２）は、本実施形態における画面（アスペクト比１６：９）に表示されるインデックス画像（４駒表示）を示す。同図において、例えば図２８Ｂ−２（ｆ）をみてみると、表示画面中の領域１００１に内視鏡で撮影した画像が映し出される。画面の右端に４つの領域１００２があるが、ここにインデックス画像が表示される。また、画面の左端には被験者である患者の氏名や性別、生年月日等の患者情報や、担当医名、内視鏡の製造番号等、その他の情報が表示されている。それでは、同図について説明する。
【０１４８】
まず、インデックス画像取得前は、インデックス画像はないので未表示である（図２８Ａ−１（ａ））。そして、インデックス画像を取得すると、画面の右端に取得したインデックス画像が表示され（図２８Ａ−１（ｂ））、取得のたびにインデックス画像は画面の右端に追加されていく（図２８Ａ−２（ｃ），図２８Ｂ−１（ｄ），図２８Ｂ−２（ｅ））。なお、これらのインデックス画像の取得については後述する。
【０１４９】
そして、さらにインデックス画像を取得すると、画面にはインデックス画像が４つまでしか表示できないので、上方のインデックス画像（１）は画面上から消え、それ以外のインデックス画像は１つ上へ移動し、最下方に最新のインデックス画像（５）が表示される（図２６（ｆ））。
【０１５０】
図２９（図２９−１，図２９−２）は、本実施形態における画面（アスペクト比１６：９）に表示されるインデックス画像（１駒表示）を示す。同図において、図２８と異なるのは、インデックス画像が１画面しか表示できないことである。この場合、表示画面の右下の領域１００２にインデックス画像が１画像表示される。それでは、同図について説明する。
【０１５１】
まず、インデックス画像取得前は、インデックス画像はないので未表示である（図２９−１（ａ））。そして、インデックス画像を取得すると、領域１００２に取得したインデックス画像が表示され（図２９−１（ｂ））、さらにインデックス画像を取得すると前回のインデックス画像は表示されず、今回取得したインデックス画像が領域１００２に表示される（図２９−２（ｃ））。
【０１５２】
それでは、図２６〜図２９の動作についてさらに詳述することにする。
図３０は、画面アスペクト比４：３，５：４  インデックス4駒時のｏｄｉｓｐ，ｓｄｉｓｐ，ｔｄｉｓｐ，ｆｄｉｓｐの位置を示す。ｏｄｉｓｐ，ｓｄｉｓｐ，ｔｄｉｓｐ，ｆｄｉｓｐは、図１７Ｏに示すインデックス画像の位置に対応するＩｎｄｅｘ０レジスタの設定値を表す。
【０１５３】
同図では、インデックス画像１００２ａ，１００２ｂ，１００２ｃ，１００２ｄはそれぞれ、ｏｄｉｓｐ，ｓｄｉｓｐ，ｔｄｉｓｐ，ｆｄｉｓｐに対応する。ｏｄｉｓｐ，ｓｄｉｓｐ，ｔｄｉｓｐ，ｆｄｉｓｐに「１」または「０」を設定することで、インデックス画像の表示または非表示を設定している。
【０１５４】
図３１は、画面アスペクト比４：３，５：４  インデックス１駒時の位置（ｏｄｉｓｐのみ使用）を示す。同図では、インデックス画像は１つしか表示されない（インデックス画像１００２ａ）ので、ｏｄｉｓｐしか使用しない。
【０１５５】
図３２は、画面アスペクト比１６：９  インデックス４駒時のｏｄｉｓｐ，ｓｄｉｓｐ，ｔｄｉｓｐ，ｆｄｉｓｐの位置を示す。同図において、ｏｄｉｓｐ，ｓｄｉｓｐ，ｔｄｉｓｐ，ｆｄｉｓｐはそれぞれ、インデックス画像１００２ａ，１００２ｂ，１００２ｃ，１００２ｄに対応している。
【０１５６】
図３３は、画面アスペクト比１６：９インデックス１駒時の位置（ｆｄｉｓｐのみ使用）を示す。同図では、インデックス画像は１つしか表示されない（インデックス画像１００２ｄ）ので、ｏｄｉｓｐしか使用しない。
【０１５７】
図３４は、インデックス一覧画面での位置（ａｄｉｓｐのみ使用）を示す。本実施形態において、インデックス画像のみを一覧表示させることもでき、そのときに用いるＩｎｄｅｘ０レジスタの設定値を表す。同図では、ａｄｉｓｐに「１」または「０」を設定することで、インデックス画像一覧の表示または非表示を設定している。
【０１５８】
図３５は、画面アスペクト比４：３，５：４  インデックス４駒時（ｏｄｉｓｐ，ｓｄｉｓｐ，ｔｄｉｓｐ，ｆｄｉｓｐＯＦＦ時）の表示状態を示す。図３０では、ｏｄｉｓｐ，ｓｄｉｓｐ，ｔｄｉｓｐ，ｆｄｉｓｐそれぞれに「１」を設定して４つのインデックス画像（１００２ａ，１００２ｂ，１００２ｃ，１００２ｄ）を表示させているのに対して、図３５では、ｏｄｉｓｐ，ｓｄｉｓｐ，ｔｄｉｓｐ，ｆｄｉｓｐそれぞれに「０」を設定して４つのインデックス画像（１００２ａ，１００２ｂ，１００２ｃ，１００２ｄ）を非表示にしている。
【０１５９】
図３６は、画面アスペクト比４：３，５：４  インデックス１駒時（ｏｄｉｓｐ  ＯＦＦ時）の表示状態を示す。図３１では、ｏｄｉｓｐに「１」を設定してインデックス画像１００２ａを表示させているのに対して、図３６では、ｏｄｉｓｐに「０」を設定してインデックス画像１００２ａを非表示にしている。
【０１６０】
図３７は、画面アスペクト比１６：９  インデックス４駒時（ｏｄｉｓｐ，ｓｄｉｓｐ，ｔｄｉｓｐ，ｆｄｉｓｐＯＦＦ時）の表示状態を示す。図３２では、ｏｄｉｓｐ，ｓｄｉｓｐ，ｔｄｉｓｐ，ｆｄｉｓｐそれぞれに「１」を設定して４つのインデックス画像（１００２ａ，１００２ｂ，１００２ｃ，１００２ｄ）を表示させているのに対して、図３７では、ｏｄｉｓｐ，ｓｄｉｓｐ，ｔｄｉｓｐ，ｆｄｉｓｐそれぞれに「０」を設定して４つのインデックス画像（１００２ａ，１００２ｂ，１００２ｃ，１００２ｄ）を非表示にしている。
【０１６１】
図３８は、画面アスペクト比１６：９インデックス１駒時（ｆｄｉｓｐ  ＯＦＦ時）の表示状態を示す。図３３では、ｆｄｉｓｐに「１」を設定してインデックス画像１００２ｄを表示させているのに対して、図３８では、ｆｄｉｓｐに「０」を設定してインデックス画像１００２ｄを非表示にしている。
【０１６２】
それでは、次に内視鏡合成画像の記録時のフローを示す。
図３９は、内視鏡合成画像のフリーズ動作のフローを示す。フリーズ動作とは、内視鏡で撮影された映像を静止させる動作のことをいい、記録はされない。前に記載したように、ＣＰＵ７４が操作デバイスに割り当てられたフリーズ（ＦＲＥＥＺＥ）機能を有するスイッチのＯＮを検知した場合は（Ｓ１）、映像処理回路５５のＣＰＵＩ／Ｆ１５８のレジスタＦＲＥＥＺＥ，ＯＰＦＲＥＺＥにある、ＦＲＥＥＺ，ＯＰＦＲＺビットをＯＮする（Ｓ２）。
【０１６３】
ＦＲＥＥＺ，ＯＰＦＲＺビットは垂直同期信号ＶＤ１に同期してラッチされた後、フリーズ回路１５５、メモリ１（５６）を制御すると共にフリーズ信号１７３，１７４として映像処理回路５７や映像＋合成処理９３に出力され、拡大・強調・同時化回路１６３、メモリ２（５８）、同時化回路２０８、メモリ６（１０１）を制御することにより、フリーズ処理が行われる。
【０１６４】
システム設定画面の項目Ｆｒｅｅｚｅ  ＭｏｄｅにてＰｒｅ−Ｆｒｅｅｚｅのレベルが１以上の時は、フリーズ機能はプリフリーズ処理となり（Ｓ３）、一定時間（例えばＶＤ１間の時間を１Ｖとした場合に８Ｖ分）Ｗａｉｔ処理を行って上記回路のプリフリーズ処理が完了するまでＷａｉｔする（Ｓ４）。
【０１６５】
（プリフリーズ処理：ＦＲＥＥＺ，ＯＰＦＲＺビットのＯＮを前記各回路が受信したタイミングの直前の一定の検索期間の画像の中から、最も色ずれに少ない画像を自動的に選択してフリーズする。設定画面のＰｒｅ−Ｆｒｅｅｚｅのレベルを大きくすると前記検索期間の範囲が長くなるため、選択できる画像の数が多くなる。詳細は、特許文献５参照）。
【０１６６】
ユーザー設定画面の項目ＩＨＢのＩＨＢ＿ａｖｅがＯＮの場合は（Ｓ６）、画像処理回路２０２が演算した、ユーザー設定画面の項目ＩＨＢのＩＨＢＡｒｅａで設定した領域のＩＨＢ値の平均値をＣＰＵＩ／Ｆ４（２０３）のレジスタＩＨＢ＿ＶＡＬＵ（図１７Ｊ参照）経由でＲＥＡＤし、グラフィック回路１（１０３）、グラフィック処理回路２（２１２）により、表示情報の制御を行い（Ｓ７）、表示が確定するまでＷａｉｔした後（例えばＶＤ１間の時間を１Ｖとした場合に２Ｖ分）（Ｓ８）、フリーズフローを終了する（Ｓ９）。
【０１６７】
設定画面の項目Ｆｒｅｅｚｅ  ＭｏｄｅにてＰｒｅ−Ｆｒｅｅｚｅのレベルが０の時は、項目Ｆｒｅｅｚｅで設定したフリーズ時間内にフリーズ処理が完了するようにポストフリーズ処理を行う（Ｓ５）。
【０１６８】
（ポストフリーズ処理：ＦＲＥＥＺ，ＯＰＦＲＺビットのＯＮを前記各回路が受信したタイミングの直後から、設定画面の項目Ｆｒｅｅｚｅで設定した検索期間の中で最も少ない画像を自動的に選択してフリーズする。）
なお、本フローには図示しないが、ＣＰＵ７４が操作デバイスに割り当てられたフリーズ（ＦＲＥＥＺＥ）機能を有するスイッチのＯＦＦを検知した場合は、映像処理回路５５のＣＰＵＩ／Ｆ１５８のレジスタＦＲＥＥＺＥ，ＯＰＦＲＥＺＥにある、ＦＲＥＥＺ，ＯＰＦＲＺビットをＯＦＦし、垂直同期信号ＶＤ１に同期してラッチされた後、フリーズ回路１５５、メモリ１（５６）を制御すると共にフリーズ信号１７３，１７４として映像処理回路５７や映像＋合成処理９３に出力され、拡大・強調・同時化回路１６３、メモリ２（５８）、同時化回路２０８、メモリ６（１０１）を制御することにより、フリーズ解除処理が行われる。
【０１６９】
なお、フリーズのＯＮ，ＯＦＦは、操作デバイス上にそれぞれ専用のスイッチを設けてもよく、または同一スイッチのトグル（押す毎にＯＮ→ＯＦＦ→ＯＮ→・・・のように切り替える）動作であってもよい。
【０１７０】
図４０（図４０Ａ，図４０Ｂ）は、周辺機器の内、写真撮影装置３０７，３５６、ファイリング装置３０８，３５７への記録動作（レリーズ）を示すフローである。レリーズ動作は、フリーズ動作と異なり、画像記録動作を伴う。（システム設定画面の項目「Ｉｎｄｅｘ  ｒｅｃｏｒｄ」でＲｅｌｅａｓｅを選択した場合の動作を示す。）
前に記載したように、ＣＰＵ７４が操作デバイスに割り当てられた、レリーズ（ＲＥＬＥＡＳＥ）機能などの記録指示を行うスイッチのＯＮを検知した場合は（Ｓ１１）、まず内視鏡画像がフリーズされていない場合は（Ｓ１２）、映像処理回路５５のＣＰＵＩ／Ｆ１５８のレジスタＦＲＥＥＺＥ，ＯＰＦＲＥＺＥにある、ＦＲＥＥＺ，ＯＰＦＲＺ，ＲＥＬＳＥ，ＯＰＲＬＥビットをＯＮする（Ｓ１３）。
【０１７１】
ＦＲＥＥＺ，ＯＰＦＲＺ，ＲＥＬＳＥ，ＯＰＲＬＥビットは垂直同期信号ＶＤ１に同期してラッチされた後、フリーズ回路１５５、メモリ１（５６）を制御すると共にフリーズ信号１７３，１７４として映像処理回路５７や映像＋合成処理９３に出力され、拡大・強調・同時化回路１６３、メモリ２（５８）、同時化回路２０８、メモリ６（１０１）を制御することにより、フリーズ処理が行われる。
【０１７２】
設定画面の項目ＦｒｅｅｚｅＭｏｄｅにてＰｒｅ−Ｆｒｅｅｚｅのレベルが１以上の時は、フリーズ機能はプリフリーズ処理となり（Ｓ１４）、一定時間（例えばＶＤ１間の時間を１Ｖとした場合に８Ｖ分）Ｗａｉｔ処理を行って上記回路のプリフリーズ処理が完了するまでＷａｉｔする（Ｓ１５）。
【０１７３】
ユーザー設定画面の項目ＩＨＢのＩＨＢ＿ａｖｅがＯＮの場合は（Ｓ１７）、画像処理回路２０２が演算した、ユーザー設定画面の項目ＩＨＢのＩＨＢＡｒｅａで設定した領域のＩＨＢ値の平均値をＣＰＵＩ／Ｆ４（２０３）のレジスタＩＨＢ＿ＶＡＬＵ経由でＲＥＡＤし、グラフィック回路１（１０３）、グラフィック処理回路２（２１２）により、表示情報の制御を行う（Ｓ１８）。
【０１７４】
設定画面の項目Ｆｒｅｅｚｅ  ＭｏｄｅにてＰｒｅ−Ｆｒｅｅｚｅのレベルが０の時は、項目Ｆｒｅｅｚｅで設定したフリーズ時間内にフリーズ処理が完了するようにポストフリーズ処理を行う（Ｓ１６）。
【０１７５】
（なお、Ｓ１５，Ｓ１６のＷａｉｔには、プリフリーズ処理の他、ＩＨＢ値平均値演算時間、Ｗａｉｔで使用するタイマの誤差も含まれている。）
一方、内視鏡画像がフリーズされている場合は（Ｓ１２）、もともとＦＲＥＥＺ，ＯＰＦＲＺビットはＯＮ状態の為、ＲＥＬＳＥ，ＯＰＲＬＥビットのみをＯＮし、垂直同期信号ＶＤ１に同期してラッチされた後、フリーズ回路１５５、メモリ１（５６）、拡大・強調・同時化回路１６３、メモリ２（５８）、同時化回路２０８、メモリ６（１０１）に記録指示信号のみを送信する（Ｓ８３）。その後、インデックス処理を行う（Ｓ１９）。
【０１７６】
図４１は、インデックス処理（Ｓ１９）の詳細フローを示す。映像＋合成処理９３のＣＰＵＩ／Ｆ２０９のレジスタＩｎｄｅｘ０のビットｃｐｍｏｄ＝“００”にして、メモリ８（１１２）のＲＥＡＤ，ＷＲＩＴＥ処理を行わないようにメモリ制御回路３１２、双方向バッファ３１０を制御する（メモリ１１２がＳＤＲＡＭの場合は、ＷＲＩＴＥ，ＲＥＡＤ，ＷＲＩＴＥＡ，ＲＥＡＤＡコマンドを実行しない。他のコマンドは実行する。）
また、ａｄｉｓｐ，ｏｄｉｓｐ，ｓｄｉｓｐ，ｔｄｉｓｐ，ｆｄｉｓｐ，＝‘０’にして、インデックス画像の表示をＯＦＦにする（図３５〜図３８参照）（Ｓ３２）。Ｓ３２の設定が確実に行われるまで、一定時間（例えば垂直同期信号ＶＤ３間の時間を１Ｖとした場合に１Ｖ分）Ｗａｉｔして（Ｓ３３）、インデックス画像をメモリ８（１１２）にＷＲＩＴＥ（格納）する処理を行う（Ｓ３４）。
【０１７７】
図４２に、インデックス画像ＷＲＩＴＥ処理（Ｓ３４）の詳細フローを示す。レジスタＩｎｄｅｘ０のビットｃｐｍｏｄ＝“１０”にして、メモリ８（１１２）のＷＲＩＴＥ処理を行うようにメモリ制御回路３１２、双方向バッファ３１０を制御し（メモリ１１２がＳＤＲＡＭの場合は、例えばＷＲＩＴＥ，ＷＲＩＴＥＡコマンドを実行する。）、縮小処理回路３０９で縮小された内視鏡画像がメモリ８（１１２）にＷＲＩＴＥされる（Ｓ５１）。
【０１７８】
ＣＰＵＩ／Ｆ２０９のレジスタｗｓｔａｒｔｖ，ｗｓｔａｒｔｈ，ｗｅｎｄｖ，ｗｅｎｄｈ（以下インデックスＷＲＩＴＥ用レジスタという）は、縮小処理回路３０９にて縮小処理される内視鏡画像の範囲を示し、前記指定された範囲において、縮小処理及びメモリ８（１１２）へのＷＲＩＴＥ処理が行われる（図４３，図４４参照）。
【０１７９】
インデックスＷＲＩＴＥ用レジスタは、内視鏡１の種類、画像サイズ、画面アスペクト比、インデックス画像の駒数によって設定値が異なる。一例を図２２〜図２４に示す。
縮小処理の縮小率は、ＣＰＵＩ／Ｆ２０９のレジスタＩｎｄｅｘ０のビットｒｅｄ２−０で設定され縮小処理回路３０９を制御するが、内視鏡１の種類、画像サイズ、画面アスペクト比によって設定値が異なる。一例を図２０，図２１に示す。
【０１８０】
図４５は、メモリ８（１１２）のメモリ構成の一例を示す。一例では２Ｍｗｏｒｄ×１６ｂｉｔ×４ＢＡＮＫ構成のＳＤＲＡＭを２つ使用して１ドット当り最大３２ｂｉｔの映像データを格納できるようにしている。映像データは、Ｒ，Ｇ，Ｂそれぞれ１０ｂｉｔずつ格納するようにしても良く。残っているｂｉｔにはインデックス画像をマスクするマスク信号を格納しても良い。
【０１８１】
横方向、縦方向のアドレスは、それぞれメモリのＣＯＬＵＭＮ  ＡＤＲＥＳＳ，ＲＯＷ  ＡＤＲＥＳＳを示し、ＢＡＮＫごとにインデックス画像を格納することで制御を容易に行えるようにしている。ＰＯＳＩＴＩＯＮ［０〜６３］は、格納されているインデックス画像の位置を示し、本実施例では、最大６４枚のインデックス画像を格納できる。
【０１８２】
また、ＣＰＵＩ／Ｆ２０９のレジスタＩｎｄｅｘ１のビットＷＰＯＳＩ（図１７Ｏ参照）を設定することで、メモリ８（１１２）内のＷＲＩＴＥするＰＯＳＩＴＩＯＮを決定する。設定画面やユーザー設定画面など、内視鏡画像以外が表示されている場合は（Ｓ５２）、ＣＰＵＩ／Ｆ２０９のレジスタＩｎｄｅｘ０のビットｄｗｍｓｋ＝‘１’（図１７Ｎ参照）に設定し（Ｓ５４）、合成回路３０８にて内視鏡画像のマスク処理をＯＮして、縮小処理回路３０９に固定値（例えばＡＬＬ“０”）を出力して、システム設定画面やユーザー設定画面などの縮小画像がメモリ８（１１２）にＷＲＩＴＥされないようにする。
【０１８３】
内視鏡画像が表示された場合は（Ｓ５２）、ｄｗｍｓｋ＝‘０’のとして（Ｓ５３）、内視鏡画像のマスク処理をＯＦＦする。メモリ８（１１２）に確実に１フレーム分の縮小画像をＷＲＩＴＥするよう、一定時間（例えば垂直同期信号ＶＤ３間の時間を１Ｖとした場合に３Ｖ分）Ｗａｉｔする（Ｓ５５）。
【０１８４】
ＣＰＵＩ／Ｆ２０９のレジスタＩｎｄｅｘ０のビットｃｐｍｏｄ＝“００”、ａｄｉｓｐ，ｏｄｉｓｐ，ｓｄｉｓｐ，ｔｄｉｓｐ，ｆｄｉｓｐ，＝‘０’にして、インデックス画像の表示をＯＦＦにし（図４１のＳ３５）、Ｓ３５の設定が確実に行われるまで一定時間（例えば垂直同期信号ＶＤ３間の時間を１Ｖとした場合に１Ｖ分）Ｗａｉｔした後（Ｓ３６）、インデックス画像ＲＥＡＤ処理を行う（Ｓ３７）。
【０１８５】
図４６は、インデックス画像ＲＥＡＤ処理（図４１のＳ３７）の詳細フローを示す。設定画面のＩｎｄｅｘ  Ｄｅｌｅｔｅ設定がＯＦＦの場合は（Ｓ５８）、ＣＰＵＩ／Ｆ２０９のレジスタＩｎｄｅｘ０のビットｃｐｍｏｄ＝“０１”，ａｄｉｓｐ＝‘０’，ｏｄｉｓｐ，ｓｄｉｓｐ，ｔｄｉｓｐ，ｆｄｉｓｐを設定、レジスタＩｎｄｅｘ３，Ｉｎｄｅｘ４のビットｉｏｐｏｓｉ５−０，ｉｓｐｏｓｉ５−０，ｉｔｐｏｓｉ５−０，ｉｆｐｏｓｉ５−０を設定して、メモリ８（１１２）のＲＥＡＤ処理を行うようにメモリ制御回路３１２、双方向バッファ３１０を制御し（メモリ１１２がＳＤＲＡＭの場合は、例えばＲＥＡＤ、ＲＥＡＤＡコマンドを実行する。）、メモリ８（１１２）に格納された内視鏡画像をＲＥＡＤし、双方向バッファ３１０を経由してマスク処理回路３０６にてインデックスのマスク処理を行った後、合成処理回路３１３にてインデックス画像が合成される（Ｓ５９）。
【０１８６】
設定画面のＩｎｄｅｘ  Ｄｅｌｅｔｅ設定がＯＮの場合は、このタイミングではｃｐｍｏｄの設定を行わない。
ＣＰＵＩ／Ｆ２０９のレジスタｒｓｔａｒｔｈ，ｒｓｔａｒｔｈ２，ｒｓｔａｒｔｈ３，ｒｓｔａｒｔｈ４，ｒｓｔａｒｔｖ，ｒｓｔａｒｔｖ２，ｒｓｔａｒｔｖ３，ｒｓｔａｒｔｖ４はメモリ８（１１２）からＲＥＡＤした縮小画像を表示する位置（図４３，図４４参照）、ｒａｒｅａｖ，ｒａｒｅａｈはメモリ１１２の各ポジションの左上部を基点（（ｘ，ｙ）＝（０，０））とした場合の各ポジションからデータをＲＥＡＤする範囲（図４７参照）を示し（以下インデックスＲＥＡＤ用レジスタという）、その設定に基づいてメモリ制御回路３１２，双方向バッファ３１０，メモリ１１２を制御する。
【０１８７】
これらのレジスタは内視鏡１の種類，画像サイズ，画面アスペクト比，インデックス画像の駒数によって設定値が異なる。一例を図２２〜図２４に示す。また、ＣＰＵＩ／Ｆ２０９のレジスタｗｍｓｋｘ０，ｗｍｓｋｙ０，ｗｍｓｋｘ１，ｗｍｓｋｙ１，ｗｍｓｋｔはメモリ１１２の各ポジションの左上部を基点（（ｘ，ｙ）＝（０，０））とした場合のマスク処理回路３０６のマスク範囲（図４７参照）を示す（以下、インデックスマスクレジスタという）。
【０１８８】
レジスタは、内視鏡１の種類、画面アスペクト比によって設定値（すなわちマスク範囲）が異なる（一例を図２２〜図２４に示す）。ただし、同じ内視鏡１の場合には、画像サイズが変わってもマスク範囲は変わらないように制御しなければならない。よって、同じ内視鏡１の場合には、インデックスマスクレジスタの値は固定とし、インデックスＲＥＡＤ用レジスタ、インデックスＷＲＩＴＥレジスタ、ビットｒｅｄの値を変更することで対応する（本実施例では、画像サイズごとにインデックスＷＲＩＴＥレジスタ及びビットｒｅｄを変更することで対応している）。
【０１８９】
図４１において、ＣＰＵＩ／Ｆ２０９のレジスタＩｎｄｅｘ１のビットＷＰＯＳＩを設定し、次の記録指示時にメモリ１１２にＷＲＩＴＥするポジションを決定する。ＷＰＯＳＩ＝６３のときは（Ｓ３８），ＷＰＯＳＩ＝０を設定し（Ｓ３９）、それ以外はＷＰＯＳＩの値をインクリメント（＋１）する（Ｓ４０）。
【０１９０】
その後、記録を開始してから記録終了指示（電源ＯＦＦ、操作デバイス上の検査終了キーなど）が行われるまでの記録指示回数Ｚを確認し（Ｓ４１）、４０回以上のときは（Ｓ４２）、ＣＰＵＩ／Ｆ２０９のレジスタＩｎｄｅｘ２のＣａｐｓ＝Ｚ−４０，Ｃａｐｎ＝Ｚ−１（Ｓ４３）、４０回未満の時はＣａｐｓ＝０，Ｃａｐｎ＝Ｚ−１を設定し（Ｓ４４）、インデックス一覧表示を行った場合のインデックス画像の表示駒数を設定する。
【０１９１】
その後、周辺機器へ記録指示信号ＯＮを送る（図４０ＢのＳ２０）（例えば、レジスタＲＥＭＯＴＯＵＴＰのＲＭＯＳＣＶ０，ＲＭＯＤＦ０，ＲＭＯＳＣＶ１，ＲＭＯＤＦ１ビットのＯＮ，ＶＴＲ＿２３２Ｃ，ＶＴＲ２＿２３２Ｃ，ＤＦ＿２３２Ｃ，ＤＦ２＿２３２Ｃ，ＳＣＶ＿２３２Ｃ，ＳＣＶ２＿２３２Ｃへ記録指示コマンドの設定など）（なお、Ｓ２０の動作は、Ｓ１９の処理途中で出力するよう制御しても良い。）。
【０１９２】
その後、設定画面のＲｅｌｅａｓｅ  Ｔｉｍｅで設定された時間Ｗａｉｔし、Ｒｅｌｅａｓｅ  ＴｉｍｅのＨＤＴＶの設定時間が終了した場合は（Ｓ２２），Ｓ１８で設定したＩＨＢ＿ＶＡＬＵの値を消去して空欄もしくはハイフン（−）を表示するようにグラフィック回路２１２を制御し（Ｓ２３）、ビットＯＰＦＲＺ，ＯＰＲＬＥをＯＦＦしてフリーズ，レリーズを解除し、レジスタＲＥＭＯＴＯＵＴＰのＲＭＯＳＣＶ１，ＲＭＯＤＦ１ビットのＯＦＦして周辺機器の記録信号をＯＦＦする（Ｓ２４）。
【０１９３】
その後ＳＤＴＶの設定時間が終了した場合は（Ｓ２５）、ＩＨＢ＿ＶＡＬＵの値を消去して空欄もしくはハイフン（−）を表示するようにグラフィック回路１０３を制御し（Ｓ２６）、ビットＦＲＥＥＺ，ＲＥＬＳＥをＯＦＦしてフリーズ，レリーズを解除し、レジスタＲＥＭＯＴＯＵＴＰのＲＭＯＳＣＶ０，ＲＭＯＤＦ０ビットのＯＦＦして周辺機器の記録信号をＯＦＦする（Ｓ２７）。
【０１９４】
Ｒｅｌｅａｓｅ  ＴｉｍｅのＨＤＴＶの設定時間が未終了の場合は（Ｓ２２）、ＳＤＴＶの設定時間が終了した場合は（Ｓ８０）、ＩＨＢ＿ＶＡＬＵの値を消去して空欄もしくはハイフン（−）を表示するようにグラフィック回路１０３を制御し（Ｓ８１）、ビットＦＲＥＥＺ，ＲＥＬＳＥをＯＦＦしてフリーズ，レリーズを解除し、レジスタＲＥＭＯＴＯＵＴＰのＲＭＯＳＣＶ０，ＲＭＯＤＦ０ビットのＯＦＦして周辺機器の記録信号をＯＦＦし（Ｓ８２）、再度ＨＤＴＶの設定時間の確認を行う。その後、インデックス処理２を行う（Ｓ２８）。
【０１９５】
図４８は、インデックス処理２（Ｓ２８）の詳細フローを示す。まず、ＣＰＵＩ／Ｆ２０９のレジスタＩｎｄｅｘ３，Ｉｎｄｅｘ４のビットｉｏｐｏｓｉ５−０，ｉｓｐｏｓｉ５−０，ｉｔｐｏｓｉ５−０，ｉｆｐｏｓｉ５−０を＋１する（Ｓ２０１）。また、ｉｏｐｏｓｉ５−０，ｉｓｐｏｓｉ５−０，ｉｔｐｏｓｉ５−０，ｉｆｐｏｓｉ５−０のうちいずれか＝６３の場合は（Ｓ２０５）、＋１せず０を設定する（Ｓ２０６）。
【０１９６】
設定画面のＩｎｄｅｘ  Ｄｅｌｅｔｅ設定がＯＮの場合は（Ｓ２０２）、ＣＰＵＩ／Ｆ２０９のレジスタＩｎｄｅｘ０のビットｃｐｍｏｄ＝“０１”，ａｄｉｓｐ＝‘０’，ｏｄｉｓｐ，ｓｄｉｓｐ，ｔｄｉｓｐ，ｆｄｉｓｐを設定、レジスタＩｎｄｅｘ３，Ｉｎｄｅｘ４のビットｉｏｐｏｓｉ５−０，ｉｓｐｏｓｉ５−０，ｉｔｐｏｓｉ５−０，ｉｆｐｏｓｉ５−０を設定して、メモリ８（１１２）のＲＥＡＤ処理を行うようにメモリ制御回路３１２、双方向バッファ３１０を制御し（メモリ１１２がＳＤＲＡＭの場合は、例えばＲＥＡＤ，ＲＥＡＤＡコマンドを実行する。）、メモリ８（１１２）に格納された内視鏡画像をＲＥＡＤし、双方向バッファ３１０を経由してマスク処理回路３０６にてインデックスのマスク処理を行った後、合成処理回路３１３にてインデックス画像が合成される（Ｓ２０３）。
【０１９７】
Ｓ５９，Ｓ２０３の設定より、Ｉｎｄｅｘ  Ｄｅｌｅｔｅ設定がＯＮの場合は、周辺機器へ記録中はインデックス画像が表示されず、その結果記録画像にインデックス画像が表示されない。ユーザーは、Ｉｎｄｅｘ  Ｄｅｌｅｔｅ設定のＯＮ／ＯＦＦ設定を行うことにより容易に記録画像へのインデックス画像の追加／削除を行うことができる。
【０１９８】
図４９は、画像サイズの変更のフローを示す。同図では、まず、マスク変更の指示がされたか否かを判断する（Ｓ６１）。変更指示が無ければ、本フローは終了する。変更指示が合った場合、拡大方向へのマスクサイズを変更か否かが判断される（Ｓ６２）。拡大方向へのマスクサイズの変更の場合ＳＩＺＳＥＬ，ＨＳＩＺＳＥＬを変更して画像サイズを切り替える（Ｓ６３）。一定時間（３Ｖ分）Ｗａｉｔした後（Ｓ６５）、ＨＤマスク設定を行う（Ｓ６６）。その後、ＳＤマスク設定（ＳＭＳＫＳＥＬ）を行い（Ｓ６８）、本フローは終了する。
【０１９９】
また、縮小方向へのマスクサイズの変更の場合、ＨＤマスク設定を行い（Ｓ６４）、ＳＤマスク設定（ＳＭＳＫＳＥＬ）を行い（Ｓ６７）、一定時間（３Ｖ分）Ｗａｉｔした後（Ｓ６９）、ＳＩＺＳＥＬ，ＨＳＩＺＳＥＬを変更して画像サイズを切り替える（Ｓ７０）。拡大縮小でマスク処理のタイミングが異なるのは、画像の端に生じるノイズの影響を少なくするためである。
【０２００】
図５０は、図４９のＨＤマスクサイズ設定処理のフローを示す。まず、ＨＭＫＯＮ＝‘１’（図１７Ｏ参照）とし（Ｓ７１）、ＨＭＳＫＸ０，ＨＭＳＫＸ１，ＨＭＳＫＹ０，ＨＭＳＫＹ１，ＨＭＳＫＴ０，ＨＭＳＫＴ１を設定する（Ｓ７２）（ＨＭＳＫＸ０，ＨＭＳＫＸ１，ＨＭＳＫＹ０，ＨＭＳＫＹ１，ＨＭＳＫＴ０，ＨＭＳＫＴ１については、図１７参照）。次に、ＨＭＫＯＮ＝‘０’とし（Ｓ７３）、本フローが終了する（Ｓ７４）。
【０２０１】
図５１（図５１Ａ，図５１Ｂ）は、周辺機器の内、プリンタ３０６，３５５への記録動作を示すフローである（システム設定画面の項目「Ｉｎｄｅｘ  ｒｅｃｏｒｄ」でＣａｐｔｕｒｅを選択した場合の動作を示す。）。ＣＰＵ７４が操作デバイスに割り当てられた、ＣＡＰＴＵＲＥ機能（例えばフロントパネル６９の「Ｐｒｉｎｔ」キー、又はキーボード１４のＣＡＰキーなど）などの記録指示を行うスイッチのＯＮを検知した場合に記録動作を行う（Ｓ１１１）。
【０２０２】
Ｓ１１２〜Ｓ１１９は、図４０のＳ１２〜Ｓ１９と同様に行う。その後、周辺機器へ記録指示信号ＯＮを送る（Ｓ１２０）（例えば、レジスタＲＥＭＯＴＯＵＴＰのＲＭＯＣＶＰ０，ＲＭＯＣＶＰ１，ＣＶＰ＿２３２Ｃ，ＣＶＰ２＿２３２Ｃへ記録指示コマンドの設定など）。
【０２０３】
その後、プリンタ３５５からキャプチャ終了の指示が受信された場合は（Ｓ１２２）、Ｓ１１８で設定したＩＨＢ＿ＶＡＬＵの値を消去して空欄もしくはハイフン（−）を表示するようにグラフィック回路２１２を制御し（Ｓ１２３）、ビットＯＰＦＲＺ，ＯＰＲＬＥをＯＦＦしてフリーズ，レリーズを解除し、レジスタＲＥＭＯＴＯＵＴＰのＲＭＯＳＣＶ１，ＲＭＯＤＦ１ビットのＯＦＦして周辺機器の記録信号をＯＦＦする（Ｓ１２４）。
【０２０４】
プリンタ３０６からキャプチャ終了の指示が受信された場合は（Ｓ１２５）、ＩＨＢ＿ＶＡＬＵの値を消去して空欄もしくはハイフン（−）を表示するようにグラフィック回路１０３を制御し（Ｓ１２６）、ビットＦＲＥＥＺ，ＲＥＬＳＥをＯＦＦしてフリーズ，レリーズを解除し、レジスタＲＥＭＯＴＯＵＴＰのＲＭＯＳＣＶ０，ＲＭＯＤＦ０ビットのＯＦＦして周辺機器の記録信号をＯＦＦする（Ｓ１２７）。
【０２０５】
プリンタ３５５からキャプチャ終了の指示が受信されない場合（Ｓ１２２）、プリンタ３０６からキャプチャ終了の指示が受信された場合は（Ｓ１８０）、ＩＨＢ＿ＶＡＬＵの値を消去して空欄もしくはハイフン（−）を表示するようにグラフィック回路１０３を制御し（Ｓ１８１）、ビットＦＲＥＥＺ，ＲＥＬＳＥをＯＦＦしてフリーズ，レリーズを解除し、レジスタＲＥＭＯＴＯＵＴＰのＲＭＯＳＣＶ０，ＲＭＯＤＦ０ビットのＯＦＦして周辺機器の記録信号をＯＦＦし（Ｓ１８２）、再度プリンタ３５５からキャプチャ終了の指示の確認を行う。
【０２０６】
Ｓ１２２，Ｓ１２５，Ｓ１８０のキャプチャ終了確認は、一定期間のみ行うようにし、一定期間内に処理が完了しない場合は、タイムアウトしてエラー処理を行い（周辺機器へのエラー表示、エラーコマンド送信など）、記録動作を終了する。
【０２０７】
（なお、キャプチャー終了の指示は、例えばレジスタＲＥＭＯＴＩＮＰのＲＭＩＣＶＰ１，ＲＭＩＣＶＰ０ビットが動作ＯＫ又はＣＶＰ＿２３２Ｃ，ＣＶＰ２＿２３２Ｃでキャプチャー完了コマンドの受信など。）
なお、図５１のように、プリンタ３０６，３５５への記録動作において、フリーズ時（Ｓ１１２でＹｅｓ）に記録動作があった場合は、Ｓ１２４，Ｓ１８２のＦＲＥＥＺ，ＯＰＦＲＺはＯＮのままにし、フリーズを解除しないようにしてもよく、又、システム設定画面の項目Ｌａｎｇｕａｇｅで設定される言語（仕向け地）によってフリーズの解除／解除しない動作を自動的に変更可能であってもよい（例えば、「ＪＰ」選択時はフリーズを解除しないようにし、「ＵＳ」，「ＧＢ」，「ＦＲ」，「Ｄ」選択時はフリーズの解除を行う）。
【０２０８】
Ｓ１２８は、Ｓ２８と同様の処理を行う。なお記録指示回数Ｚは、写真撮影装置３０７，３５６、ファイリング装置３０８，３５７への記録動作の場合（Ｓ１９）と、プリンタ３０６，３５５への記録動作（Ｓ１１９）の場合で独立して計数しても良く、Ｓ１９とＳ１１９の係数を合計したものでも良い。
【０２０９】
図５２は、メモリ８（１１２）とレジスタＩｎｄｅｘ０と内視鏡合成画像との関係を示す。なお、図４０，図５１において、Ｓ２０やＳ１２０，Ｓ１２２，Ｓ１２５，Ｓ１８０の処理時に記録機器から記録エラーコマンド（キャプチャーエラー、プリンタ印刷中も含む）を受信した場合は、その記録動作によるインデックス処理を無効にし、インデックス画像の更新を行わないようにしても良い。
【０２１０】
また、システム設定画面の項目「Ｉｎｄｅｘ  ｒｅｃｏｒｄ」でＲｅｌｅａｓｅ＋Ｃａｐｔｕｒｅを選択した場合は、図４０，図５１の記録処理の内共通の処理は、共通して行えるようにし、プログラムの省力化を図っても良い。
【０２１１】
図５３（図５３Ａ，図５３Ｂ）は、インデックス一覧表示動作のフローチャート図を示す。操作デバイスから画像一覧表示ＳＷの入力があった場合（例えば、図６９Ｃの「ＳＨＩＦＴ＋ＳＥＡＣＨ」）（Ｓ２１０）、内視鏡画面が表示されている状態の時は（Ｓ２１１）、ＣＰＵＩ／Ｆ２０９のレジスタＨＣＮＴＬのビットＨＣＨＲＯＮを‘０’に設定し、グラフィック回路１０３，２１２を制御して内視鏡関連情報などの文字やグラフィックを消去し、ＣＰＵＩ／Ｆ２０９のレジスタＨＣＮＴＬのビットＨＭＵＴＥを‘０’に設定して内視鏡画像の表示をＯＦＦにし、ＣＰＵＩ／Ｆ２０９のレジスタＩｎｄｅｘ０のビットｃｐｍｏｄ＝“００”，ａｄｉｓｐ，ｏｄｉｓｐ，ｓｄｉｓｐ，ｔｄｉｓｐ，ｆｄｉｓｐ＝‘０’にして、インデックス画像の表示をＯＦＦにし（Ｓ２１２）、Ｓ２１２の設定が確実に行われるまで一定時間（例えば垂直同期信号ＶＤ３間の時間を１Ｖとした場合に１Ｖ分）Ｗａｉｔする（Ｓ２１３）。
【０２１２】
その後、ＣＰＵＩ／Ｆ２０９のレジスタｒｓｔａｒｔｈ，ｒｓｔａｒｔｈ２，ｒｓｔａｒｔｈ３，ｒｓｔａｒｔｈ４，ｒｓｔａｒｔｈ５，ｒｓｔａｒｔｖ，ｒｓｔａｒｔｖ２，ｒｓｔａｒｔｖ３，ｒｓｔａｒｔｖ４，ｒａｒｅａｖ，ｒａｒｅａｈ，ｗｍｓｋｘ０，ｗｍｓｋｙ０，ｗｍｓｋｘ１，ｗｍｓｋｙ１，ｗｍｓｋｔを設定する（図５４参照）。
【０２１３】
（内視鏡１の種類、画像サイズ、画面アスペクト比によって設定値が異なる。）（一例を図２５に示す）。
また、ＣＰＵＩ／Ｆ２０９のレジスタＩｎｄｅｘ２のビットｃａｐｐを“００”を設定し、インデックス一覧表示の１ページ目が表示されるよう設定する（Ｓ２１８）。Ｓ２１８の設定が確実に行われるまで一定時間（例えば垂直同期信号ＶＤ３間の時間を１Ｖとした場合に１Ｖ分）Ｗａｉｔし（Ｓ２１９）、ＣＰＵＩ／Ｆ２０９のレジスタＩｎｄｅｘ０のビットｃｐｍｏｄ＝“０１”，ａｄｉｓｐ＝‘１’を設定して（Ｓ２２０）、インデックスの一覧表示を行う（Ｓ２２１）。
【０２１４】
なお、画像一覧表示ＳＷの入力があった場合にインデックス一覧表示画面が表示されている状態の時は（Ｓ２１１），ＣＰＵＩ／Ｆ２０９のレジスタＩｎｄｅｘ０のビットｃｐｍｏｄ＝“００”，ａｄｉｓｐ，ｏｄｉｓｐ，ｓｄｉｓｐ，ｔｄｉｓｐ，ｆｄｉｓｐ＝‘０’にして、インデックス画像の表示をＯＦＦにし（Ｓ２１４）、Ｓ２１４の設定が確実に行われるまで一定時間（例えば垂直同期信号ＶＤ３間の時間を１Ｖとした場合に１Ｖ分）Ｗａｉｔし（Ｓ２１５）、ＣＰＵＩ／Ｆ２０９のレジスタＨＣＮＴＬのビットＨＣＨＲＯＮを‘１’に設定しグラフィック回路１０３，２１２を制御して内視鏡関連情報などの文字やグラフィックを表示し、ＣＰＵＩ／Ｆ２０９のレジスタＨＣＮＴＬのビットＨＭＵＴＥを‘１’に設定して内視鏡画像の表示をＯＮにし、ＣＰＵＩ／Ｆ２０９のレジスタＩｎｄｅｘ０のビットｃｐｍｏｄ，ａｄｉｓｐ，ｏｄｉｓｐ，ｓｄｉｓｐ，ｔｄｉｓｐ，ｆｄｉｓｐ，ｃａｐｓ，ｃａｐｎをインデックス一覧表示前の内視鏡画像表示時の状態に戻す（Ｓ２１６）。
【０２１５】
図５２においてレジスタＩｎｄｅｘ０と内視鏡合成画像との関係を示す。なお、インデックス一覧表示時に、前述したレリーズやキャプチャー動作など記録動作を行うことも可能である。その場合には、レリーズ又はキャプチャーどちらか一方のみ有効にしても良い。
【０２１６】
図５５（図５５Ａ，図５５Ｂ）は、インデックス一覧表示のページ切り替え動作のフローチャート図を示す。操作デバイスからＰＡＧＥ切り替えＳＷの入力があった場合（Ｓ２２５）、ＣＰＵＩ／Ｆ２０９のレジスタＩｎｄｅｘ０のビットｃｐｍｏｄ＝“００”，ａｄｉｓｐ，ｏｄｉｓｐ，ｓｄｉｓｐ，ｔｄｉｓｐ，ｆｄｉｓｐ＝‘０’にして、インデックス画像の表示をＯＦＦにし（Ｓ２２６）、Ｓ２２６の設定が確実に行われるまで一定時間（例えば垂直同期信号ＶＤ３間の時間を１Ｖとした場合に１Ｖ分）Ｗａｉｔする（Ｓ２２７）。
【０２１７】
ＣＰＵＩ／Ｆ２０９のレジスタＩｎｄｅｘ２のビットｃａｐｐ＝を“００”ならば（Ｓ２２８）、ｃａｐｐ＝“０１”を設定し、インデックス一覧表示の２ページ目が表示されるよう設定する（Ｓ２２９）。なお、例えば１ページで表示されるインデックス画像の枚数が２０枚の場合、記録指示回数Ｚ≦２０のときは２ページ目に移行しないように制御する（エラー処理（エラー音  ｏｒ  エラー表示）を行ってもよい）。
【０２１８】
なお、２ページ目では、Ｚ＜４０のときは、Ｚ−２０の枚数が表示される。またＺ≧４０の場合は、Ｓ４３にてＣａｐｓ＝Ｚ−４０，Ｃａｐｎ＝Ｚ−１の設定がおこなれる為、メモリ１１２にＷｒｉｔｅされた最新の２０枚が表示される。ＣＰＵＩ／Ｆ２０９のレジスタＩｎｄｅｘ２のビットｃａｐｐ＝を“０１”ならば（Ｓ２２８）、ｃａｐｐ＝“００”を設定し、インデックス一覧表示の１ページ目が表示されるよう設定する（Ｓ２３０）。
【０２１９】
またＺ≧４０の場合は、Ｓ４３にてＣａｐｓ＝Ｚ−４０，Ｃａｐｎ＝Ｚ−１の設定が行われるため、２ページ目に表示された最新の２０枚の次の２０枚が１ページ目で表示される（Ｓ２３０）。Ｓ２２９又はＳ２３０の設定が確実に行われるまで、一定時間（例えば垂直同期信号ＶＤ３間の時間を１Ｖとした場合に１Ｖ分）Ｗａｉｔし（Ｓ２３１）、ＣＰＵＩ／Ｆ２０９のレジスタＩｎｄｅｘ０のビットｃｐｍｏｄ＝“０１”，ａｄｉｓｐ＝‘１’にして、再度インデックス画像を表示する（Ｓ２３２）。
【０２２０】
図５６，図５７は、インデックス一覧の一例を示す（インデックス画像内の数字はZの値を示す。）。図５６はＺ＝１５の場合で、１ページのみ表示される。図５７はＺ＝４２の場合で、図５７（ａ）が１ページ、図５７（ｂ）が２ページ目を示す。Ｚ＝４２≧４０のため、最新の４０枚が表示される。
【０２２１】
図５８は、インデックス画像連続作成の一連の動作を示すフローチャート図を示す。プロセッサ１３の電源がＯＮ（Ｓ２４０）、プログラムモードが判別され（Ｓ４００）（詳細は図８５のフローチャート参照）、プロセッサ内の各回路の初期化が行われる（Ｓ２４１）。（プロセッサ１３の電源がＯＮのまま、内視鏡１が交換された場合は、Ｓ４００は省略される、Ｓ４０１）
Ｓ２４１で映像＋合成処理回路９３のＣＰＵＩ／Ｆ（２０９）の一部は以下のように初期化される。
【０２２２】
【表７】
2005349142.tif 000028
その後、映像処理回路１（５５）のＣＰＵＩ／Ｆ１５のレジスタＣＣＤに格納された内視鏡１又はＣＣＤ２の種類の情報をＣＰＵ７４がＲＥＡＤし、内視鏡１又はＣＣＤ２の種別を行う（Ｓ２４２）。ＢＡＣＫＵＰ  ＲＡＭ７７には、操作デバイス（フロントパネル６９、キーボード１４他）の設定や、プロセッサ１３のプログラムのバージョン、設定画面、ユーザー設定画面で設定された各設定項目が全て格納されており、プロセッサ３の電源ＯＦＦ時にも保存されている。
【０２２３】
ユーザー設定画面のＩｍａｇｅ  Ｓｉｚｅの情報も保存されており、プロセッサ３の電源がＯＮ又は内視鏡１の交換時には、そのＩｍａｇｅ  Ｓｉｚｅの一方（例えば左側に固定）をＳ２４１で設定する（ＩｍａｇｅＳｉｚｅがＭｅｄｉｕｍ←→Ｆｕｌｌの設定が保存されていた場合は、左側のＭｅｄｉｕｍを設定する）。
【０２２４】
Ｓ２４３ではＳ２４１で設定したＩｍａｇｅＳｉｚｅの片側を判別する。その後、内視鏡１又はＣＣＤ２の種別、ＩｍａｇｅＳｉｚｅ、及び設定画面の項目「ＨＤＴＶ：Ｍｏｎ  Ｓｉｚｅ」の設定から、レジスタＩｎｄｅｘ０のビットｒｅｄ、インデックスＷＲＩＴＥレジスタ、インデックスＲＥＡＤレジスタ、インデックスマスクレジスタの設定を行う（Ｓ２４４）。（設定例は図２０〜図２４参照）。その後、通常処理に入る（Ｓ２４５）。
【０２２５】
なお、上記Ｉｍａｇｅ  Ｓｉｚｅは以下の場合にも、一方（例えば左側に固定）に設定する。
・フロントパネル（６９）のＲＥＳＥＴスイッチ４００を押したＲＥＳＥＴ処理が行われた場合、
・ユーザー設定画面にて、ＩｍａｇｅＳｉｚｅの変更決定時
図５９は、Ｓ２４５の通常処理の一部の処理を示すフローチャート図である。操作デバイスから記録ＳＷが入力され、ＣＰＵ７４が記録ＳＷ  ＯＮを検知した場合は（Ｓ２４６）、ＯＮの検知毎に、図４０，図５１の記録動作＋インデックス作成を繰り返す（Ｓ２４７）。図２６〜図２９に、Ｓ２４６，Ｓ２４７動作時の内視鏡画面の表示状態の変化を示す。その際のレジスタの設定の変更状態を以下のとおりである。
【０２２６】
【表８】
2005349142.tif 000029
【０２２７】
【表９】
2005349142.tif 000030
【０２２８】
【表１０】
2005349142.tif 000031
【０２２９】
【表１１】
2005349142.tif 000032
なお、システム設定画面の項目ＨＤＴＶのＭｏｎ  Ｓｉｚｅで異なるアスペクト比が選択、設定完了した直後（例えば、４：３→５：４や５：４→１６：９に変更された場合）は、レジスタは以下のように設定し、内視鏡合成画像下のインデックス４駒、１駒及びインデックス一覧のインデックスの表示は消去する。
【０２３０】
【表１２】
2005349142.tif 000033
また、操作デバイス（例えばキーボードの５００）にある検査終了キーを押した場合には、レジスタは以下のように設定され、インデックス４駒、１駒は消去されるが、インデックス表示は表示されるようにし、
【０２３１】
【表１３】
2005349142.tif 000034
その後の最初のレリーズ処理時に、インデックス表示レジスタを設定し直すようにする。これより、検査終了キーが押された後でも、インデックス画像の確認を行うことができる。
【０２３２】
【表１４】
2005349142.tif 000035
また、操作デバイスに割り当てられた画像サイズキーにより、画像サイズ変更操作が入力された場合は（Ｓ２４８）、設定画面で設定された画像サイズに変更する（Ｓ２４９）。その際、内視鏡画像がインデックス画像と重なる場合には（Ｓ２５０）、設定されているレジスタ値の内ａｄｉｓｐ，ｏｄｉｓｐ，ｓｄｉｓｐ，ｔｄｉｓｐ，ｆｄｉｓｐを退避し（Ｓ２５１）、ａｄｉｓｐ，ｏｄｉｓｐ，ｓｄｉｓｐ，ｔｄｉｓｐ，ｆｄｉｓｐ＝‘０’に設定することでインデックス画像を消去する（Ｓ２５２）。
【０２３３】
その後、Ｒｅｄ，インデックスＷＲＩＴＥレジスタ、インデックスＲｅａｄレジスタ、インデックスマスクレジスタの設定を行う（Ｓ２５３）。（なお、下記の図６０〜図６２はＳ２５３に限らず、全てのインデックスレジスタ設定時に行うフローである。）
図６０は、ＷＲＩＴＥ用レジスタ設定の処理フローを示す。まず、ＷＰＯＮ＝‘１’とし（Ｓ２６１）、ｗｓｔａｒｔｖ，ｗｓｔａｒｔｈ，ｗｅｎｄｖ，ｗｅｎｄｈを設定する（Ｓ２６２）（ｗｓｔａｒｔｖ，ｗｓｔａｒｔｈ，ｗｅｎｄｖ，ｗｅｎｄｈについては、図１７を参照）。次に、ＷＰＯＮ＝‘０’とし（Ｓ２６３）、本フローが終了する（Ｓ２６４）。
【０２３４】
図６１は、ＲＥＡＤ用レジスタ設定の処理フローを示す。まず、ＲＰＯＮ＝‘１’とし（Ｓ２７１）、ｒｓｔａｒｔｈ，ｒｓｔａｒｔｈ２，ｒｓｔａｒｔｈ３，ｒｓｔａｒｔｈ４，ｒｓｔａｒｔｖ，ｒｓｔａｒｔｖ２，ｒｓｔａｒｔｖ３，ｒｓｔａｒｔｖ４，ｒａｒｅａｖ，ｒａｒｅａｈを設定する（Ｓ２７２）（ｒｓｔａｒｔｈ，ｒｓｔａｒｔｈ２，ｒｓｔａｒｔｈ３，ｒｓｔａｒｔｈ４，ｒｓｔａｒｔｖ，ｒｓｔａｒｔｖ２，ｒｓｔａｒｔｖ３，ｒｓｔａｒｔｖ４，ｒａｒｅａｖ，ｒａｒｅａｈについては、図１７を参照）。次に、ＲＰＯＮ＝‘０’とし（Ｓ２７３）、本フローが終了する（Ｓ２７４）。
【０２３５】
図６２は、インデックスマスクレジスタ設定の処理フローを示す。まず、ＷＭＳＫＯＮ＝‘１’とし（Ｓ２８１）、ｗｍｓｋｘ０，ｗｍｓｋｙ０，ｗｍｓｋｘ１，ｗｍｓｋｙ１，ｗｍｓｋｔを設定する（Ｓ２８２）（ｗｓｔａｒｔｖ，ｗｓｔａｒｔｈ，ｗｅｎｄｖ，ｗｅｎｄｈについては、図１７を参照）。次に、ＷＭＳＫＯＮ＝‘０’とし（Ｓ２８３）、本フローが終了する（Ｓ２８４）。
【０２３６】
図６３は、画面アスペクト比４：３，５：４  インデックス４駒時に内視鏡画像が重なる場合のインデックス画像消去の一例を示す。
一方、画像サイズ変更時に、内視鏡画像がインデックスと重ならない場合は、設定値が退避されている場合には（Ｓ２５４）設定されているａｄｉｓｐ，ｏｄｉｓｐ，ｓｄｉｓｐ，ｔｄｉｓｐ，ｆｄｉｓｐを戻す（Ｓ２５５）。
【０２３７】
また、内視鏡画像が一部の内視鏡関連情報と重なる場合には（Ｓ２５６）、その情報の表示を消去する（Ｓ２５７）。
図６４は、画面アスペクト比４：３，５：４  インデックス１駒時に内視鏡画像が重なる場合の一部の内視鏡関連情報消去の一例を示す。
【０２３８】
一方重ならない場合は表示状態とする（Ｓ２５８）
（なお、一部の内視鏡関連情報とは、内視鏡１内のメモリ８から読み出された情報を含む。）。
【０２３９】
これより、内視鏡画像の画像サイズを変更した場合に、内視鏡画像がインデックス画像や内視鏡関連情報と重なる場合には、インデックス画像や内視鏡関連情報を消去するようにした為、重なることによる検査や手術への悪影響を防止することが可能となる。
【０２４０】
なお、Ｓ２４７のインデックス作成時に設定されるａｄｉｓｐ，ｏｄｉｓｐ，ｓｄｉｓｐ，ｔｄｉｓｐ，ｆｄｉｓｐの値は、Ｓ２５１にて退避されている場合には、退避されている値について、更新する。
【０２４１】
Ｓ２５０，Ｓ２５６において、インデックス画像や内視鏡関連情報と重なるかの判断は、
・内視鏡画像の座標と、インデックス画像や内視鏡関連情報の座標から演算で求める。
【０２４２】
・内視鏡１（又はＣＣＤ２）の種類と、画像サイズと、画面アスペクト比から以下のテーブルを用意しても良い。
【０２４３】
【表１５】
2005349142.tif 000036
【０２４４】
【表１６】
2005349142.tif 000037
前記の内視鏡合成画像の記録時のフロー及びインデックス処理により、
・内視鏡１（又はＣＣＤ２）の種類によって、内視鏡画像に合わせて、インデックス画像が最適なサイズ、位置になるように制御でき、使用者が観察しやすい画像を提供できる。
【０２４５】
・内視鏡画像の画像サイズに合わせて、インデックス画像が最適なサイズ、位置になるように制御ができ、使用者が観察しやすい画像を提供できる。
・同一の内視鏡１（ＣＣＤ２）においては、画像サイズを変更してもインデックス画像が同一になるように制御も可能であり、画像サイズを変更しても使用者に違和感なく内視鏡画像やインデックス画像を観察できる。
【０２４６】
・内視鏡画像がインデックス画像と重なる時は、インデックス画像を消去するようにし、画像が重なることによって使用者が内視鏡画像を観察しにくくなることがなく、検査、診察、手術の効率化が図れる。
【０２４７】
・内視鏡画像が内視鏡関連情報と重なる時は、内視鏡関連情報を消去するようにし、画像と重なることによって使用者が内視鏡画像を観察しにくくなることがなく、検査、診察、手術の効率化が図れる。なお、内視鏡関連情報は、内視鏡１内のメモリ８から読み出された情報を含む。
【０２４８】
・システム設定画面項目「Ｉｎｄｅｘ  Ｄｅｌｅｔｅ」の設定項目を変更することにより、レリーズやキャプチャーなどの記録動作の際、記録中にインデックス画像の表示、非表示などの制御が可能となる。これより、記録画像には、インデックスが必要である使用者や、インデックス画像が必要でない使用者への対応が可能となり、使用しやすい内視鏡装置や内視鏡システムを提供できる。
【０２４９】
・表４Ａの設定項目Ｒｅｍｏｔｅ  ＣｏｎｔｒｏｌのＤ．Ｆで、例えばＴＹＰＥＢを選択時に自動的に「Ｉｎｄｅｘ  Ｄｅｌｅｔｅ」の設定項目をＯＮに切り替わるように設定してもよい。これより、接続される周辺機器に応じてインデックス画像の表示制御が可能である。
【０２５０】
・「Ｉｎｄｅｘ  Ｄｅｌｅｔｅ」の設定は、ファイリング装置３０８，３５７、写真撮影装置３０７，３５６、記録装置８６，８７とＳＩＯ２５０やＰＩＯ２５１を経由したシリアルインターフェースやパラレルインターフェースにて設定変更可能であっても良い。これより、インデックス画像の表示制御が周辺機器から制御可能となる（なお、インデックスに限らず、全ての内視鏡関連情報や、各種設定画面の設定、操作デバイスの設定状態の読み出しや変更は（操作キーの無効化含む）、周辺機器によって可能である。）。
【０２５１】
・図８で示すように、インデックス画像は特定のグラフィックデータ（例えばアローカーソル）のみ合成可能である為、インデックス画像を生成する際に、アローカーソル（例えば６２４，６２４’）以外の内視鏡関連情報（例えば６００〜６２３，６００’〜６２３’やエラーメッセージや図７５、図７６〜図８０のメッセージなど）が内視鏡画像に重なっていてもインデックス画像内には含めない（合成されない）為、使用者に観察しやすいインデックス画像を提供できる。
【０２５２】
・インデックス画像は映像＋合成処理９３のみで作成することにより、合成処理２（９９）で出力される内視鏡合成画像にのみ表示してもよく、合成処理回路１０２でもインデックス画像を生成することにより、合成処理１（６１）やデジタルエンコーダ６２の内視鏡合成画像にも出力しても良い。
【０２５３】
図６５は、プロセッサ１３とキーボード２（４５）と超音波装置３５８を組み合わせた場合の周辺機器の接続例を示す。キーボード２（４５）は、超音波装置３５８及びプロセッサ１３各々とシリアルインターフェースにて接続され、各々の操作制御が可能となっている。
【０２５４】
キーボード２（４５）の超音波装置３５８の映像出力とプロセッサ１３の出力を切り替えるスイッチを押すごとに、プロセッサ１３はＳＩＯ２５０又はＰＩＯ２５１を経由してモニタ３５３を制御することで、プロセッサ１３の出力３５９と、超音波装置３５８の映像出力３６０の映像切り替えを行う（トグル動作となっている）。
【０２５５】
図６６は、操作デバイスの内、フロントパネル６９の一例を示す。
図６７（図６７Ａ，図６７Ｂ，図６７Ｃ−１，図６７Ｃ−２，図６７Ｄ，図６７Ｅ，図６７Ｆ−１，図６７Ｆ−２）は、図６６のフロントパネル６９の各スイッチの機能を示す。
【０２５６】
フロントパネル６９（図６６参照）のＩＭＡＧＥ  ＳＯＵＲＣＥ（４０８〜４１１）のキー入力と、キーボード２（４５）の超音波装置３５８の映像出力とプロセッサ１３の出力の切り替えるスイッチが行われた場合の、映像出力とフロントパネルのＬＥＤ表示の例を以下に示す（番号は、動作手順を示す。１→２→３→４→５の順に動作を行っている）。
【０２５７】
【表１７】
2005349142.tif 000038
【０２５８】
【表１８】
2005349142.tif 000039
【０２５９】
【表１９】
2005349142.tif 000040
図６８は、操作デバイスの内、キーボード１４，キーボード２（４５）の一例を示す。
図６９（図６９Ａ，図６９Ｂ，図６９Ｃ，図６９Ｄ，図６９Ｅ，図６９Ｆ，図６９Ｇ）は、図６８のキーボード１４，キーボード２（４５）の各キーの機能を示す。
【０２６０】
図７０（図７０−１，図７０−２，図７０−３）は、ＨＤＴＶにおける映像＋合成処理（９３）出力によって制御された内視鏡画像でのストップウォッチを示す。図７０−１（ａ）の状態でストップウォッチキーを押下すると、画面左の空いている領域にストップウォッチの表示が行われ、ストップウォッチがスタートする（図７０−１（ｂ））。さらに、ストップウォッチキーを押下すると、ストップウォッチは一時停止する（図７０−２（ｃ））。
【０２６１】
図７０−２（ｃ）の状態でシフトキーを押下しながら、ストップウォッチキーを押下すると、ストップウォッチが再開し（図７０−３（ｅ））、ストップウォッチキーを押下すると、再度一時停止する（図７０−３（ｃ））。また、図７０−２（ｃ）の状態でストップウォッチキーを押下すると、ストップウォッチが終了し、画面上からストップウォッチの表示が消える（図７０−２（ｄ））。
【０２６２】
図７１は、ＳＤＴＶにおける映像処理２（５７）出力によって制御された内視鏡画像でのストップウォッチを示す。図７１（ａ）の状態でストップウォッチキーを押下すると、画面左の時刻表示がストップウォッチ表示に切り替わり、ストップウォッチがスタートする（図７１ｂ）。さらに、ストップウォッチキーを押下すると、ストップウォッチは一時停止する（図７１（ｃ））。
【０２６３】
図７１（ｃ）の状態でシフトキーを押下しながら、ストップウォッチキーを押下すると、ストップウォッチが再開し（図７１（ｅ））、ストップウォッチキーを押下すると、再度一時停止する（図７１（ｃ））。また、図７１（ｃ）の状態でストップウォッチキーを押下すると、ストップウォッチが終了し、ストップウォッチ表示が時刻表示に切り替わる（図７１（ｄ））。なお、図７０，図７１の動作は、同一のストップウォッチキーにより動作してもよい。
【０２６４】
図７２（図７２−１，図７２−２）は、ＨＤＴＶにおける映像＋合成処理（９３）出力によって制御された内視鏡画像でのＲＥＭＯＶＥ  ＤＡＴＡを示す。同図は、ＲＥＭＯＶＥ  ＤＡＴＡキーを押下するごとに画面上に表される内視鏡関連情報を段階的に消去する様子を示す。内視鏡関連情報については、図７４で説明する。
【０２６５】
図７２−１（ａ）は、内視鏡関連情報が全表示されている状態であり、ＲＥＭＯＶＥ  ＤＡＴＡキーを押下すると、内視鏡関連情報の一部が消去される（図７２−１（ｂ）省略表示１）。さらにＲＥＭＯＶＥ  ＤＡＴＡキーを押下すると、さらに内視鏡関連情報の一部が消去される（図７２−２（ｃ）省略表示２）。さらにＲＥＭＯＶＥ  ＤＡＴＡキーを押下すると、画面上に表示されている全ての内視鏡関連情報が消去される（図７２−２（ｄ）全消去）。
【０２６６】
図７３は、ＳＤＴＶにおける映像処理２（５７）出力によって制御された内視鏡画像でのＲＥＭＯＶＥ  ＤＡＴＡを示す。図７３（ａ）は、内視鏡関連情報が全表示されている状態（ストップウォッチ動作時）であり、ＲＥＭＯＶＥ  ＤＡＴＡキーを押下すると、内視鏡関連情報の一部が消去される（図７３（ｂ）省略表示１（ストップウォッチ動作時））。
【０２６７】
さらにＲＥＭＯＶＥ  ＤＡＴＡキーを押下すると、さらに内視鏡関連情報の一部が消去される（図７３（ｃ）省略表示２（ストップウォッチ動作時））。なお、図７３（ｃ−１）は、ストップウォッチ動作時の省略表示２である。さらにＲＥＭＯＶＥ  ＤＡＴＡキーを押下すると、画面上に表示されている全ての内視鏡関連情報が消去される（図７３（ｄ）全消去）。
【０２６８】
図７４（図７４Ａ，図７４Ｂ，図７４Ｃ）は、本実施形態における内視鏡合成画像表示画面に表示される内視鏡関連情報（一部）の一例を示す。
図７５は、内視鏡関連情報の一部を一定期間表示する例を示す。同図は、例えば、通常表示されない内視鏡関連情報の一部を操作デバイス（例えば、図６９ＦのＳＣＯＰＥ  ＩＮＦＯ（５０４））のキー操作により、インデックス画像表示領域にオーバーレイ表示させている。このようにすることにより、表示頻度の少ない所定の内視鏡関連情報を容易に参照することができる。
【０２６９】
また、上述したように、図７２，図７３では、内視鏡関連情報を、専用の表示制御スイッチ（例えばキーボード１４のＲＥＭＯＶＥ  ＤＡＴＡキー５２８）により表示制御可能である（内視鏡関連情報は内視鏡1内のメモリ８に格納されている情報も含む）。
【０２７０】
また、映像＋合成処理９３で合成する内視鏡関連情報と、合成処理回路１０２で合成する内視鏡関連情報を別々に表示できる（例えば６１９〜６２１は映像＋合成処理９３のみ常時表示している。）。複数の画像出力の、画質や表示範囲に応じて、各々内視鏡関連情報の表示内容を制御（表示、非表示の選択）を行うことが可能であり、使用者は用途に応じて最適な出力を選択可能である。
【０２７１】
さて、次は、所定の処理中である旨や、所定の設定がされているか否かの旨のメッセージを画面上に表示させることについて説明する。特に、ホワイトバランス処理設定がされているか否かを検知し、その旨をメッセージとして画面に表示させる。以下にその一例を示す。なお、以下で記載されている「ＷＢ」とは、ホワイトバランスの略である。
【０２７２】
図７６は、インデックス一覧表示中であることを示すメッセージ表示の一例を示す。同図において、インデックス一覧表示中である旨を示すメッセージ「Ｉｎｄｅｘ  Ｄｉｓｐｌａｙ」が表示されている（この表示は、インデックスが合成されない合成処理回路１０２のみを表示することにより、ユーザーにインデックス一覧表示中であることを知らせるものである）。
【０２７３】
図７７は、ホワイトバランス処理が未設定であることを通知するメッセージ表示を示す。同図において、ホワイトバランス処理が未設定であるので、ホワイトバランス処理の設定をユーザに促すメッセージ「Ｐｌｅａｓｅ  Ａｊｕｓｔ  ＷＢ」が表示されている。
【０２７４】
図７８は、ホワイトバランス処理設定が完了であることを通知するメッセージの一例を示す。同図において、ホワイトバランス処理設定が完了であることを示すメッセージ「ＷＢ  Ａｊｕｓｔｍｅｎｔ  ｉｓ  ｃｏｍｐｌｅｔｅｄ」が表示されている。
【０２７５】
図７９は、ホワイトバランス処理設定が失敗であることを通知するメッセージの一例を示す。同図において、ホワイトバランス処理設定が失敗である旨を示す「ＷＢ  Ａｊｕｓｔｍｅｎｔ  ｅｒｒｏｒ」が表示されている。
【０２７６】
図８０は、内視鏡１、光源１７のプログラムのバージョン及び通信結果を表示するメッセージの一例を示す。
それでは、これらを処理について以下に詳述する。
【０２７７】
図８１（図８１Ａ，図８１Ｂ）及び図８２は、ホワイトバランス処理の動作フローチャート図を示す。図８１は、図５８のフローの初期化処理（図５８のＳ２４１）の内、ホワイトバランス処理に関するの部分を示すフローチャートである。ＣＰＵ７４は、制御回路６７のＰＩＯ２５１を経由して２９ｂの信号レベルを検知し、プロセッサ１３に接続される光源の種類を識別する。
【０２７８】
信号レベルが“Ｈｉ”の場合は、通信機能を有さない光源１７ａ（図１Ｂ参照）と判別し（Ｓ３０１）、ＢＡＣＫＵＰ  ＲＡＭ７７に格納されているホワイトバランスデータを使用して、映像処理１内のＷ／Ｂ回路１５３にてホワイトバランス処理を行う（Ｓ３１５）。フロントパネル６９のホワイトバランススイッチ（４０４）の上部にあるＬＥＤ「ＩＮＣ．」を点灯し、システム設定画面のＷＢ  Ｍｅｓｓａｇｅ項目「ＯＮ」のときは、内視鏡合成画像表示画面に「Ｐｌｅａｓｅ  Ａｊｕｓｔ  ＷＢ」を表示し、ホワイトバランス処理が未設定であることを表示する（Ｓ３１６）。
【０２７９】
なお、「Ｐｌｅａｓｅ  Ａｊｕｓｔ  ＷＢ」を表示は、フロントパネル６９のホワイトバランススイッチ（４０４）が入力され、ホワイトバランス処理が完了し、ホワイトバランス完了メッセージ（「ＷＢ  Ａｊｕｓｔｍｅｎｔ  ｉｓ  ｃｏｍｐｌｅｔｅｄ！」）が表示されるまで表示しつづける。信号レベルが“Ｌｏｗ”の場合は、通信機能を有する光源１７と判別し（Ｓ３０１）、ＳＩＯ２５０を経由してシリアルインターフェースの信号線のうちＤＳＲを検知する。
【０２８０】
光源１７の電源がＯＮである場合は、光源側で前記ＤＳＲをＯＮにする為、ＤＳＲがＯＮであると判別した場合は、光源１７との通信処理を開始する（Ｓ３０２）。最初に光源１７のメモリ２３に格納されている光源１７のシリアルナンバーをＲＥＡＤし（Ｓ３０３）、内視鏡１内のメモリ８にそのシリアルナンバーと対応しているホワイトバランスデータがあるか検索し、対応するホワイトバランスデータがあった場合は、そのホワイトバランスデータをＲＥＡＤする。
【０２８１】
なかった場合は、ホワイトバランスデータがないこと示すコマンドがＲＥＡＤされる（Ｓ３０６）。対応するホワイトバランスデータがあった場合は（Ｓ３２１）、ＲＥＡＤしたホワイトバランスデータから、Ｇ／Ｒ，Ｇ／Ｂなどの係数値を求め、映像処理１内のＷ／Ｂ回路１５３にて、自動的にホワイトバランス処理を行い（Ｓ３０８）、フロントパネル６９のホワイトバランススイッチ（４０４）の上部にあるＬＥＤ「ＣＯＭＰ．」を灯し、ホワイトバランス処理が設定完了であることを表示し（Ｓ３０９）、（内視鏡合成画像表示画面へのメッセージ「ＷＢ  Ａｊｕｓｔｍｅｎｔ  ｉｓ  ｃｏｍｐｌｅｔｅｄ！」は表示しない）かつ、ＢＡＣＫＵＰ  ＲＡＭ７７にホワイトバランスデータを格納する（Ｓ３１０）。
【０２８２】
その後、光源１７のメモリ２３に格納されたその他の光源情報（ソフトウェア及びハードウェアのバージョン、故障状態など）もＲＥＡＤする（Ｓ３１１）。なお、ＲＥＡＤするホワイトバランスデータは、ＣＣＤ２から読み出した複数の水平（又は垂直）ライン信号ごとのＲ，Ｇ，Ｂの平均値、又は複数の水平（又は垂直）ライン信号ごとのＧ／Ｒ，Ｂ／Ｒの係数値であってもよい。
【０２８３】
ＣＣＤ２から読み出した複数の水平（又は垂直）ライン信号ごとのＲ，Ｇ，Ｂの平均値の場合は、メモリ８に格納するデータ量削減の為、複数の内１つの水平ライン信号のＲ，Ｇ，Ｂ平均値及び他の水平ラインのＧ平均値のみを格納し、Ｓ３０８で演算を行うことで全てのＧ／Ｒ，Ｂ／Ｒの係数値を求めるように処理を行っても良い。（後述するＷ／Ｂ回路１５３のホワイトバランス処理の（８）の処理で、表２１の太枠のデータ）
対応するホワイトバランスデータがなかった場合は（Ｓ３２１）、ＢＡＣＫＵＰ  ＲＡＭ７７に格納されているホワイトバランスデータを使用して、映像処理１内のＷ／Ｂ回路１５３にてホワイトバランス処理を行う（Ｓ３１９）。フロントパネル６９のホワイトバランススイッチ（４０４）の上部にあるＬＥＤ「ＩＮＣ．」を点灯し、システム設定画面のＷＢ  Ｍｅｓｓａｇｅ項目「ＯＮ」のときは、内視鏡合成画像表示画面に「Ｐｌｅａｓｅ  Ａｊｕｓｔ  ＷＢ」を表示し、ホワイトバランス処理が未設定であることを表示する（Ｓ３２０）。
【０２８４】
ＤＳＲがｏｆｆの場合は、光源の電源がＯＦＦであるため、光源１７との通信処理を行わず（Ｓ３０２）、ＢＡＣＫＵＰ  ＲＡＭ７７に格納されているホワイトバランスデータを使用して、映像処理１内のＷ／Ｂ回路１５３にてホワイトバランス処理を行う（Ｓ３１９）。
【０２８５】
フロントパネル６９のホワイトバランススイッチ（４０４）の上部にあるＬＥＤ「ＩＮＣ．」を点灯し、システム設定画面のＷＢ  Ｍｅｓｓａｇｅ項目「ＯＮ」のときは、内視鏡合成画像表示画面に「Ｐｌｅａｓｅ  Ａｊｕｓｔ  ＷＢ」を表示し、ホワイトバランス処理が未設定であることを表示する（Ｓ３２０）。
【０２８６】
Ｓ３１１の後、内視鏡1内のメモリ８にある、その他の内視鏡関連情報をＲＥＡＤする。なお、光源１７，内視鏡１への通信処理を行う際、通信が正常に受信できたか判断し（Ｓ３０５，Ｓ３０７，Ｓ３２２）、正常に受信できなかった場合はリトライ処理を行う（Ｓ３０４，Ｓ３１３，Ｓ３２３）。
【０２８７】
リトライ回数は、通信する装置、通信タイミングによって変更する（１回以上）。設定したリトライ回数を行っても正常に受信できなかった場合は、通信エラーとして異常終了する。Ｓ３０４，Ｓ３１３で異常終了した場合は、ＢＡＣＫＵＰ  ＲＡＭ７７に格納されているホワイトバランスデータを使用して、映像処理１内のＷ／Ｂ回路１５３にてホワイトバランス処理を行う（Ｓ３１５，Ｓ３１９）。
【０２８８】
フロントパネル６９のホワイトバランススイッチ（４０４）の上部にあるＬＥＤ「ＩＮＣ．」を点灯し、システム設定画面のＷＢ  Ｍｅｓｓａｇｅ項目「ＯＮ」のときは、内視鏡合成画像表示画面に「Ｐｌｅａｓｅ  Ａｊｕｓｔ  ＷＢ」を表示し、ホワイトバランス処理が未設定であることを表示する（Ｓ３１６，Ｓ３２０）。
【０２８９】
図８２は、プロセッサが電源ＯＮして通常処理中（図５８のＳ２４５）、光源の電源がＯＮになり、通信線のＤＳＲがＯＮの割り込み処理が入った場合のホワイトバランス処理のフローチャート図を示す。同図は、ＷＢキーを押下した場合の動作を示す。ＤＳＲ  ＯＮ割り込みはレベル割り込みでもトリガ割り込みであっても良い。
【０２９０】
割り込み時（Ｓ３３０）、光源１７との通信処理を開始する（Ｓ３３１）。最初に光源１７のメモリ２３に格納されている光源１７のシリアルナンバーをＲＥＡＤし（Ｓ３３１）、内視鏡１内のメモリ８にそのシリアルナンバーと対応しているホワイトバランスデータがあるか検索し、対応するホワイトバランスデータがあった場合は、そのホワイトバランスデータをＲＥＡＤする。
【０２９１】
対応するホワイトバランスデータがなかった場合は、ホワイトバランスデータがないこと示すコマンドがＲＥＡＤされる（Ｓ３３４）。対応するホワイトバランスデータがあった場合は（Ｓ３４８）、ＲＥＡＤしたホワイトバランスデータから、Ｇ／Ｒ，Ｇ／Ｂの係数値を求め、映像処理１内のＷ／Ｂ回路１５３にて、自動的にホワイトバランス処理を行い（Ｓ３３６）、フロントパネル６９のホワイトバランススイッチ（４０４）の上部にあるＬＥＤ「ＣＯＭＰ．」を点灯し、ホワイトバランス処理が設定完了であることを表示する（Ｓ３３７）。（内視鏡合成画像表示画面へのメッセージ「ＷＢ  Ａｊｕｓｔｍｅｎｔ  ｉｓ  ｃｏｍｐｌｅｔｅｄ！」は表示しない。）
その際、内視鏡観察画像（内視鏡合成画像表示画面）に「Ｐｌｅａｓｅ  Ａｊｕｓｔ  ＷＢ」を表示されている場合は、自動的に表示を消去する。また、ＢＡＣＫＵＰ  ＲＡＭ７７にホワイトバランスデータを格納する（Ｓ３３８）。その後、光源１７のメモリ２３に格納されたその他の光源情報（ソフトウェア及びハードウェアのバージョン、故障状態など）もＲＥＡＤする（Ｓ３３９）。
【０２９２】
対応するホワイトバランスデータがなかった場合は（Ｓ３４８）、ＢＡＣＫＵＰ  ＲＡＭ７７に格納されているホワイトバランスデータを使用して、映像処理１内のＷ／Ｂ回路１５３にてホワイトバランス処理を行う（Ｓ３４４）。
【０２９３】
フロントパネル６９のホワイトバランススイッチ（４０４）の上部にあるＬＥＤ「ＩＮＣ．」を点灯し、システム設定画面のＷＢ  Ｍｅｓｓａｇｅ項目「ＯＮ」のときは、内視鏡合成画像表示画面に「Ｐｌｅａｓｅ  Ａｊｕｓｔ  ＷＢ」を表示し、ホワイトバランス処理が未設定であることを表示する（Ｓ３４５）。なお、光源１７、内視鏡１への通信処理を行う際、通信が正常に受信できたか判断し（Ｓ３３３，Ｓ３３５，Ｓ３４６）、正常に受信できなかった場合はリトライ処理を行う（Ｓ３３２，Ｓ３４１，Ｓ３４７）。
【０２９４】
リトライ回数は、通信する装置、通信タイミングによって変更する（１回以上）。設定したリトライ回数を行っても正常に受信できなかった場合は、通信エラーとして異常終了する。Ｓ３３２，Ｓ３４１で異常終了した場合は、ＢＡＣＫＵＰ  ＲＡＭ７７に格納されているホワイトバランスデータを使用して、映像処理１内のＷ／Ｂ回路１５３にてホワイトバランス処理を行う（Ｓ３４２，Ｓ３４４）。
【０２９５】
フロントパネル６９のホワイトバランススイッチ（４０４）の上部にあるＬＥＤ「ＩＮＣ．」を点灯し、システム設定画面のＷＢ  Ｍｅｓｓａｇｅ項目「ＯＮ」のときは、内視鏡合成画像表示画面に「Ｐｌｅａｓｅ  Ａｊｕｓｔ  ＷＢ」を表示し、ホワイトバランス処理が未設定であることを表示する（Ｓ３４３，Ｓ３４５）。
【０２９６】
なお、内視鏡1がプロセッサ１３に接続されていない場合は、内視鏡合成画像表示画面に「Ｐｌｅａｓｅ  Ａｊｕｓｔ  ＷＢ」を表示しない。また、プロセッサ１３と通信機能を有さない内視鏡も存在する。その場合は、Ｓ３０７，Ｓ３１３，Ｓ３１５・・・のフローになる。信号線２９ｂの信号レベルがＬＯＷでかつＤＳＲ＝ＯＦＦの場合に、フロントパネル６９のホワイトバランススイッチ（４０４）を押した場合は、光源１７の電源がＯＦＦであると判断し、ブザー７１によるエラーブザー音（例えば中音の短い連続音）を鳴らすか、内視鏡合成画像表示画面にエラーメッセージを表示することにより、光源１７の電源をＯＮするよう指示する。
【０２９７】
信号線２９ｂの信号レベルがＨＩの場合は、ブザー７１によるエラーブザー音（例えば中音の短い連続音、）、内視鏡合成画像表示画面にエラーメッセージは行わないようにする。
【０２９８】
次に、操作デバイスのＷＢスイッチ（例えばフロントパネル６９のＷＨＩＴＥ  ＢＡＬ．（４０４））が押された場合の、映像処理１（５５）内のＷ／Ｂ回路１５３のホワイトバランス処理の詳細を説明する。手順は以下の通りである（内視鏡１のＣＣＤ２に白の指標を撮像し、ＲＧＢ入力信号が同じ信号レベルである条件時で行う）。
【０２９９】
（１）ＷＢスイッチ押された後、一定時間１  ＷＡＩＴする（Ｅｘｔ．  ０．５秒）。
（２）レジスタＷＨＴ＿ＯＮのＷＨ＿ＯＮに‘１’をセットする。
【０３００】
（３）複数の水平(垂直)ラインごとのＲ，Ｇ，Ｂ信号の平均値（レジスタＡＶＥ＿ＲＡＬ，ＡＶＥ＿ＲＡＨ，ＡＶＥ＿ＲＢＬ，ＡＶＥ＿ＲＢＨ，ＡＶＥ＿ＲＣＬ，ＡＶＥ＿ＲＣＨ，ＡＶＥ＿ＲＤＬ、ＡＶＥ＿ＲＤＨ，ＡＶＥ＿ＧＡＬ，ＡＶＥ＿ＧＡＨ，ＡＶＥ＿ＧＢＬ，ＡＶＥ＿ＧＢＨ，ＡＶＥ＿ＧＣＬ，ＡＶＥ＿ＧＣＨ，ＡＶＥ＿ＧＤＬ，ＡＶＥ＿ＧＤＨ，ＡＶＥ＿ＢＡＬ，ＡＶＥ＿ＢＡＨ，ＡＶＥ＿ＢＢＬ，ＡＶＥ＿ＢＢＨ，ＡＶＥ＿ＢＣＬ，ＡＶＥ＿ＢＣＨ，ＡＶＥ＿ＢＤＬ，ＡＶＥ＿ＢＤＨ，図１７参照）をＲＥＡＤ
【０３０１】
【表２０】
2005349142.tif 000041
（４）  ＷＨＴ＿ＯＮのＷＨ＿ＯＮに‘０’をセット
（５）  一定期間  ＷＡＩＴ（Ｅｘ、垂直同期信号ＶＤ１で３Ｖ  ＷＡＩＴ（面順次式の為、Ｒ，Ｇ，Ｂの平均値の更新まで待つ））
（６）  上記（２）〜（４）を繰り返す。
【０３０２】
（７）  上記（５）（６）を繰り返す（例えば、4回繰り返す）。
（８）  （１）〜（７）で取得した各ラインごとの複数のＲ，Ｇ，Ｂ平均値データについて、平均値を取る（下表参照）。
【０３０３】
【表２１】
2005349142.tif 000042
（９）太枠で囲まれたデータより補正係数(レジスタＷＢ＿ＡＲＨ，ＷＢ＿ＡＲＬ，ＷＢ＿ＡＧＨ，ＷＢ＿ＡＧＬ，ＷＢ＿ＡＢＨ，ＷＢ＿ＡＢＬ，ＷＢ＿ＢＲＨ，ＷＢ＿ＢＲＬ，ＷＢ＿ＢＧＨ，ＷＢ＿ＢＧＬ，ＷＢ＿ＢＢＨ，ＷＢ＿ＢＢＬ，ＷＢ＿ＣＲＨ，ＷＢ＿ＣＲＬ，ＷＢ＿ＣＧＨ，ＷＢ＿ＣＧＬ，ＷＢ＿ＣＢＨ，ＷＢ＿ＣＢＬ，ＷＢ＿ＤＲＨ，ＷＢ＿ＤＲＬ，ＷＢ＿ＤＧＨ，ＷＢ＿ＤＧＬ，ＷＢ＿ＤＢＨ，ＷＢ＿ＤＢＬ，図１７参照)を求める。これより、補正後の出力がＡＶＥ＿ＧＡＨ＆ＡＶＥ＿ＧＡＬと同じになるように補正する。
【０３０４】
【数１】
2005349142.tif 000043
（１０）上記（９）の補正係数データをＷＢ回路１５３に設定する。
（ｉ）レジスタＷＢ＿ＢＵＦのＢＵＦＯＮを１にセット。
【０３０５】
（ｉｉ）（９）の係数をレジスタ（（ＷＢ＿ＡＲＨ，ＷＢ＿ＡＲＬ，ＷＢ＿ＡＧＨ，
ＷＢ＿ＡＧＬ，ＷＢ＿ＡＢＨ，ＷＢ＿ＡＢＬ，ＷＢ＿ＢＲＨ，ＷＢ＿ＢＲＬ，ＷＢ＿ＢＧＨ，ＷＢ＿ＢＧＬ，ＷＢ＿ＢＢＨ，ＷＢ＿ＢＢＬ，ＷＢ＿ＣＲＨ，ＷＢ＿ＣＲＬ，ＷＢ＿ＣＧＨ，ＷＢ＿ＣＧＬ，ＷＢ＿ＣＢＨ，ＷＢ＿ＣＢＬ，ＷＢ＿ＤＲＨ，ＷＢ＿ＤＲＬ，ＷＢ＿ＤＧＨ，ＷＢ＿ＤＧＬ，ＷＢ＿ＤＢＨ，ＷＢ＿ＤＢＬ）にＷＲＩＴＥ。
【０３０６】
（ｉｉｉ）レジスタＷＢ＿ＢＵＦのＢＵＦＯＮを０にセット。
（１１）Ｒ，Ｇ，Ｂ信号の平均値、補正係数データをＢＡＣＫＵＰ  ＲＡＭ７７に格納する。
【０３０７】
（１２）上記（８）の太枠のデータを内視鏡1のメモリ８を記憶する。その際、プロセッサ１３に接続されている光源１７のシリアルナンバーに対応付けて記憶する。
なお、図８１，図８２のホワイトバランス設定時において、Ｓ３０６，Ｓ３３４の内視鏡１内のメモリ８からＲＥＡＤするホワイトバランスデータは、格納するデータを少なくする為に前記（８）の太枠のデータをＲＥＡＤし、演算して得られた補正係数をＷＢ回路１５３に設定する。
【０３０８】
また、演算した補正係数データがオーバーフローしたら、ホワイトバランススイッチ上部の「ＩＮＣ」ＬＥＤを５秒間点滅後、「ＩＮＣ」ＬＥＤ点灯。このとき、エラー音（ブザー７１の音（例えば短い高音を一定期間繰り返す））を鳴らす。また、内視鏡合成画像表示画面に「ＷＢ  Ａｊｕｓｔｍｅｎｔ  ｅｒｒｏｒ！」を一定期間表示（Ｅｘ．５秒）する。
【０３０９】
なお、ホワイトバランスの平均値、ホワイトバランス係数は、図１４の項目「ＷＢ」のように表示する（図１４：ホワイトバランスの平均値は前記（８）の太枠の値を表示している。）
前記ホワイトバランス処理により、
・ホワイトバランスの設定状態を操作デバイス（例えばフロントパネル６９のＷＨＩＴＥ  ＢＡＬ．（４０４）の上部にあるＩＮＣ，ＣＯＭＰのＬＥＤ）や内視鏡合成画像上に表示可能となり（図７７〜図７９）、またはブザー７１による音にて知らせることも可能である為、使用者がホワイトバランスの取り忘れがあっても、容易かつ瞬時に気づくことができ、検査や手術に支障が生じない。
【０３１０】
・また、複数の光源（１７，１７ａ）に対応して、ホワイトバランスの制御が行える為、光源の種類に関係なくプロセッサを組み合わせることができ、使用者の機器の選択範囲も広がり、かつ使用しやすい内視鏡装置や内視鏡システムを提供できる。
【０３１１】
・光源１７が電源ＯＦＦである場合には、ホワイトバランス処理の際に、エラーを内視鏡合成画像上に表示、またはブザー７１で音にて知らせることで、光源１７の電源ＯＮできるよう使用者に指示でき、かつ正しくホワイトバランス処理が行えるようにできるため、使用者に最適な内視鏡画像を提供できる。
【０３１２】
図８３は、画面アスペクト比１６：９表示時の，画面表示方法の別の実施例を示す。
・観察画像（内視鏡合成画像表示画面）の左右（もしくは、どちらか一方に）に操作デバイスの機能を表示し、操作デバイス上のカーソルキーや決定キーを使用することにより、観察画面（内視鏡合成画像表示画面）上からでも機能を行うことができる。
【０３１３】
・システム設定画面、ユーザー設定画面で設定した項目の表示
・プロセッサ１３、光源１７、内視鏡１のプログラムのバージョン表示を行うことができる。表示内容は、ユーザーが任意に選択できるようにしても良い。なお、インデックス画像と内視鏡関連情報が重なる箇所（３９９）においては、インデックス画像が優先されて内視鏡関連情報は隠れるよう表示しても良く、操作デバイス上にどちらを優先するか選択するキーを設けても良く、ユーザー設定画面などに選択項目を用意しても良い。
【０３１４】
図８４は、プロセッサ１３のプログラム、ＦＰＧＡデータ、パラメータのバージョンアップ例を示す。プロセッサ１３を接続される周辺機器（例えば、ファイリング装置）のケーブルやコネクタを利用し、パソコンなどのＶｅｒＵＰ機器４５０を接続し、ＳＩＯ２５０を経由してシリアルインターフェースを使用してバージョンアップを行う。
【０３１５】
操作デバイスの特定キーの同時押し（例えばフロントパネル６９上の特定の１つ以上のキーの同時押し）をしながらプロセッサ１３の電源をＯＮすることによって、プロセッサのソフトウェアがＶｅｒＵＰモードで起動する（図８５参照）。
【０３１６】
ＶｅｒＵＰ機器４５０上のソフトウェアより以下のデータのＶｅｒＵＰ，ＲＥＡＤ，ＷＲＩＴＥ，Ｖｅｒｉｆｙ、更新を行うことが可能である。
・プログラムＲＯＭ８３に格納されるプロセッサ１３のプログラム
・各コンフィグレーションメモリに格納されるコンフィグレーションデータ
・パラメータメモリに格納されるパラメータ
・ＢＡＣＫＵＰＲＡＭに格納される設定データ
・ＥＴＨＥＲＮＥＴの物理アドレスなお、コンフィグレーションデータ、パラメータデータのバージョンアップの際は、
（１）アドレスデコーダー８０内のレジスタＢＡＮＫＳＬのビットＢＮＫ３−０でコンフィグレーションＩＣを選択を行い、コンフィグレーションデータは、その後
（２）選択したコンフィグレーションＩＣのレジスタＭＥＭＯＫのビットＣＭＯＮ＝‘１’を設定
（３）選択したコンフィグレーションＩＣに接続しているコンフィグレーションメモリへ書き込み処理の手順で行う（レジスタについては、図１７Ｒ参照）。
【０３１７】
なお、プログラムＲＯＭ８３、各コンフィグレーションメモリ、各パラメータメモリはＥＥＰＲＯＭ、ＦＬＡＳＨ  ＲＯＭ，ＦＲＡＭ，ＦｅＲＡＭ，ＭＲＡＭ，ＯＵＭ、バッテリー付きＳＲＡＭであってもよく、パラレルインターフェース、シリアルインターフェースどちらでもよい。
【０３１８】
なお、プロセッサ１３のプログラムのバージョンアップ後、再度プロセッサの電源をＯＮすると、プログラムＲＯＭ８３に格納された新しいプログラムのバージョン情報と、ＢＡＣＫＵＰＲＡＭ７７に格納されたバージョンアップ前のプログラムのバージョンを比較し、バージョンが異なる場合は、操作デバイス（フロントパネル６９、キーボード１４他）の設定や、設定画面、ユーザー設定画面で設定された各設定項目を工場出荷値に自動的に設定するようにし、ＶｅｒＵＰによるプログラムの誤動作を回避するようにしても良い。
【０３１９】
図８５は、プログラムモード判別（Ｓ４００）の詳細を示すフローチャート図である。プロセッサ１３の電源オン時には、各コンフィグレーションＩＣのＣＰＵ  Ｉ／ＦのレジスタＭＥＭＯＫのビットＣＭＳＬ、ＣＯＮは‘０’にプリセットされる為、各ブロックのＦＰＧＡは各コンフィグレーションメモリ内のＶｅｒＵＰ用コンフィグレーションメモリ領域（アドレス領域Ｈ‘０９Ｃ０００００〜Ｈ’０９ＦＦＦＦＦＦ）を使用して、コンフィグレーションが自動的に行われる（Ｓ４０２）。（図１７ＲのレジスタＢＡＮＫＳＬを設定することで各コンフィグレーションＩＣのレジスタ（ＭＥＭＯＫ）にＲｅａｄ／Ｗｒｉｔｅの設定が可能となる。）
コンフィグレーションが正常に完了後（Ｓ４０３）、操作デバイスの特定キーの同時押し（例えばフロントパネル６９上の特定の１つ以上のキーの同時押し）を検知された場合は、プロセッサ１３のプログラムをＶｅｒＵＰモードで動作するようにする（Ｓ４０４，Ｓ４０３）。Ｓ４０３のコンフィグレーションが正常に完了したかの確認方法は、全てのＦＰＧＡのコンフィグレーションの完了を確認する為に、
（１）アドレスデコーダー８０内のレジスタＢＡＮＫＳＬのビットＢＮＫ３−０でコンフィグレーションＩＣを選択
（２）選択したコンフィグレーションＩＣのレジスタＭＥＭＯＫのビットＣＯＫ＝‘１’を確認
（３）全てのコンフィグレーションＩＣで確認の手順で行う。Ｓ４０３でコンフィグレーションが正常に完了しているかを確認することで、例えば制御回路６７上で動作するＳＩＯ２５０，ＰＩＯ２５１が動作可能かを確認でき、よって操作デバイスの検知が可能となる。Ｓ４０２より、プロセッサ１３のプログラムがＶｅｒＵＰモードで動作するときは、ＶｅｒＵＰ用コンフィグレーションメモリでコンフィグレーションを行われる。
【０３２０】
そのため、ＶｅｒＵＰモードでコンフィグレーションデータのバージョンアップに失敗し、誤ったデータが通常用コンフィグレーションメモリに格納された場合でも、ＶｅｒＵＰモードではＶｅｒＵＰ用コンフィグレーションメモリに格納された正しいデータでコンフィグレーションされる為、ＶｅｒＵＰモード時には、各FPGAの正常動作を確認できる。
【０３２１】
（例えば、コンフィグレーションメモリ４の通常使用時のコンフィグレーションデータのＶｅｒＵＰの失敗すると、次回のコンフィグレーション時には、通常使用時のコンフィグレーションデータを使ったコンフィグレーションは正常に完了せず、制御回路６７内のＳＩＯ２５０が動作しない。そのため、ＳＩＯ２５０を経由したバージョンアップを行うことができない。しかし、Ｖｅｒｕｐモード時には、Ｖｅｒｕｐ用コンフィグレーションデータが使用されるため、再度、制御回路６７内のＳＩＯ２５０を経由してバージョンアップを行うことが可能となる。）
一方、操作デバイスからの特定キーの入力がない場合は、通常使用であると判断され（Ｓ４０４）、各コンフィグレーションＩＣのレジスタＭＥＭＯＫのＣＯＮを‘１’にセットして、コンフィグレーション処理をＯＦＦし（Ｓ４０６）、ＣＭＳＬ＝‘１’にすることで、各コンフィグレーションメモリ内の通常コンフィグレーションメモリ領域（アドレス領域Ｈ‘０９８０００００〜Ｈ’０９ＢＦＦＦＦＦ）を使用して、コンフィグレーションを行えるよう設定した後（Ｓ４０７）、ＣＯＮ＝‘０’にして再コンフィグレーションを行う。
【０３２２】
コンフィグレーションが正常に完了後、初期化処理（Ｓ２４１）へ移行する。なお、Ｓ４０２〜Ｓ４０３の処理は、一部のコンフィグレーションメモリのみ（例えばコンフィグレーションメモリ４のみ）ＶｅｒＵＰ用コンフィグレーションメモリを用意することにより、起動時間の短縮化、メモリ容量の削減を行っても良い。
【０３２３】
なお、本システムは、面順次式、同時式にかかわらず適応できる。また、図８０に示すように、操作デバイス上の１つ以上のキーを同時に押すことにより、
・内視鏡１のプログラムのバージョン
・光源１７のプログラムのバージョン
・内視鏡１とプロセッサ１３の通信結果
・光源１７とプロセッサ１７の通信結果
・光源１７の状態エラーの表示（例えば、ターレットエラー、ＲＧＢユニットエラー、ＲＧＢフィルタ（１９，２０）エラー、オンドスイッチエラー、イグニッションエラー、ランプテントウセズ、スペアランプヘンコウ）を一定期間、表示するメッセージを用意しても良い。
【０３２４】
以上述べたように本発明によれば、
・内視鏡１（又はＣＣＤ２）の種類によって、内視鏡画像に合わせて、インデックス画像が最適なサイズ、位置になるように制御でき、使用者が観察しやすい画像を提供できる。
【０３２５】
・内視鏡画像の画像サイズに合わせて、インデックス画像が最適なサイズ、位置になるように制御ができ、使用者が観察しやすい画像を提供できる。
・同一の内視鏡１（ＣＣＤ２）においては、画像サイズを変更しても、インデックス画像が同一になるように制御も可能であり、画像サイズを変更しても使用者に違和感なく内視鏡画像やインデックス画像を観察できる。
【０３２６】
・内視鏡画像がインデックス画像と重なる時は、インデックス画像を消去するようにし、画像が重なることによって使用者が内視鏡画像を観察しにくくなることがなく、検査、診察、手術の効率化が図れる。
【０３２７】
・内視鏡画像が内視鏡関連情報と重なる時は、内視鏡関連情報を消去するようにし、画像と重なることによって使用者が内視鏡画像を観察しにくくなることがなく、検査、診察、手術の効率化が図れる。なお、内視鏡関連情報は、内視鏡１内のメモリ８から読み出された情報を含む。
【０３２８】
・システム設定画面項目「Ｉｎｄｅｘ  Ｄｅｌｅｔｅ」の設定項目を変更することにより、レリーズやキャプチャーなどの記録動作の際、記録中にインデックス画像の表示、非表示などの制御が可能となる。これより、記録画像には、インデックスが必要である使用者や、インデックス画像が必要でない使用者への対応が可能となり、使用しやすい内視鏡装置や内視鏡システムを提供できる。
【０３２９】
・表４Ａの、設定項目Ｒｅｍｏｔｅ  ＣｏｎｔｒｏｌのＤ．Ｆで例えばＴＹＰＥＢを選択時に、自動的に「Ｉｎｄｅｘ  Ｄｅｌｅｔｅ」の設定項目をＯＮに切り替わるように設定してもよい。これより、接続される周辺機器に応じて、インデックス画像の表示制御が可能である。
【０３３０】
・「Ｉｎｄｅｘ  Ｄｅｌｅｔｅ」の設定は、ファイリング装置３０８，３５７，写真撮影装置３０７，３５６、記録装置８６，８７とＳＩＯ２５０やＰＩＯ２５１を経由したシリアルインターフェースやパラレルインターフェースにて設定変更可能であっても良い。これより、インデックス画像の表示制御が周辺機器から制御可能となる（なお、インデックスに限らず、全ての内視鏡関連情報や、各種設定画面の設定、操作デバイスの設定状態の読み出しや変更は（操作キーの無効化含む）、周辺機器によって可能である。）
・図８で示すように、インデックス画像は、特定のグラフィックデータ（例えばアローカーソル）のみ合成可能である為、インデックス画像を生成する際に、アローカーソル（例えば６２４，６２４’）以外の内視鏡関連情報（例えば６００〜６２３，６００’〜６２３’やエラーメッセージや図７５，図７６〜図８０のメッセージなど）が内視鏡画像に重なっていてもインデックス画像内には含めない（合成されない）為、使用者に観察しやすいインデックス画像を提供できる。
【０３３１】
インデックス画像は映像＋合成処理９３のみで作成することにより、合成処理２（９９）で出力される内視鏡合成画像にのみ表示してもよく、合成処理回路１０２でもインデックス画像を生成することにより、合成処理１（６１）やデジタルエンコーダ６２の内視鏡合成画像にも出力しても良い。
【０３３２】
ホワイトバランスの設定状態を操作デバイス（例えばフロントパネル６９のＷＨＩＴＥ  ＢＡＬ．（４０４）の上部にあるＩＮＣ、ＣＯＭＰのＬＥＤ）や内視鏡合成画像上に表示可能となり（図７７〜図７９）、またはブザー７１による音にて知らせることも可能である為、使用者がホワイトバランスの取り忘れがあっても、容易かつ瞬時に気づくことができ、検査や手術に支障が生じない。
【０３３３】
・また、複数の光源（１７，１７ａ）に対応して、ホワイトバランスの制御が行える為、光源の種類に関係なくプロセッサを組み合わせることができ、使用者の機器の選択範囲も広がり、かつ使用しやすい内視鏡装置や内視鏡システムを提供できる。
【０３３４】
・光源１７が電源ＯＦＦである場合には、ホワイトバランス処理の際に、エラーを内視鏡合成画像上に表示、またはブザー７１で音にて知らせることで、光源１７の電源ＯＮできるよう使用者に指示でき、かつ正しくホワイトバランス処理が行えるようにできるため、使用者に最適な内視鏡画像を提供できる
・図７２，図７３に示すように内視鏡関連情報を、専用の表示制御スイッチ（例えばキーボード１４のＲＥＭＯＶＥ  ＤＡＴＡキー５２８）により表示制御可能である。内視鏡関連情報は内視鏡1内のメモリ８に格納されている情報も含む）
・映像＋合成処理９３で合成する内視鏡関連情報と、合成処理回路１０２で合成する内視鏡関連情報を別々に表示できる（例えば６１９〜６２１は映像＋合成処理９３のみ常時表示している）。複数の画像出力の、画質や表示範囲に応じて、各々内視鏡関連情報の表示内容を制御（表示、非表示の選択）を行うことが可能であり、使用者は用途に応じて最適な出力を選択可能である。などの特徴を有する内視鏡装置又は内視鏡システムを提供できる。
【０３３５】
次に、プログラム動作のログやメンテナンス情報（履歴情報）、設定情報などを利用したシステムについて説明する。プログラム動作のログやメンテナンス情報は、ＢＡＣＫＵＰＲＡＭ７７またはログデータ格納ＲＯＭ８２に格納される。図５８において、格納するタイミング及び格納するデータは以下の通りである。
【０３３６】
（１）プロセッサ１３の電源ＯＮ後又は内視鏡1の交換後の初期化処理（図５８のＳ２４１）時には、以下の情報が格納される。
・各設定画面の設定情報が格納される。この設定情報としては、システム設定画面（図１１〜図１４、図９５）の設定情報、ユーザー設定画面（図１６）の設定情報、ユーザーリスト画面（図１５）の設定情報、患者データ画面（図９８）の設定情報、患者データリスト画面（図９７）の設定情報、スコープ情報画面（図１０７）の設定情報、タイトルスクリーン１〜３（ＴＩＴＬＥ  ＳＣＲＥＥＮキー５０５入力時に表示される画面）の設定情報、内視鏡合成画像表示画面の設定情報（鉗子情報６５０，スケール情報６５１，図７５の一定期間表示される情報含む）がある。
【０３３７】
・処理時現在の日付、時刻（西暦または和暦）が格納される。
・コンフィグレーションＩＣ内のレジスタ（ＭＥＭＯＫ）のコンフィグレーション情報が格納される（図１７Ｒ参照）。
【０３３８】
・周辺機器の（シリアルインターフェース、パラレルインターフェースによる）通信情報（通信の正常／異常終了、通信内容など）が格納される。
・周辺機器から設定された機能の実行情報（シリアルインターフェース、パラレルインターフェース、ＵＳＢ、ＥＴＨＥＲＮＥＴ等を介して制御され、設定される）が格納される。
【０３３９】
・図７４の内視鏡関連情報が格納される。
・プロセッサ１３に設定されている情報（フロントパネル６９の設定されているモードやＬＥＤの点灯／消灯、キーボード１４、キーボード２（４５）にて設定されているモード（ＣＡＰＳＬＯＣＫ，ＩＮＳ，（図示しない）カナ入力、ローマ字入力、Ｓｈｉｆｔキーによる設定を含む）、ＬＥＤの点灯／消灯  他）が格納される。
【０３４０】
・内視鏡１のメモリ８に格納された情報が格納される。
・光源１７内の情報が格納される。
・プロセッサ１３の電源ON回数が格納される。
【０３４１】
・内視鏡１の接続した（または着脱）回数が格納される。
・プロセッサ１３の電源ON通知が格納される。
・プロセッサ１３のメッセージ情報が格納される。
【０３４２】
・プロセッサ１３の構成が格納される（オプション基板１１６の接続状態）。
（２）画面サイズ（画像サイズ）判別処理後（図５８のＳ２４３）には、以下の情報が格納される。
【０３４３】
・Ｓ２４２に判別された内視鏡１（ＣＣＤ２）種類が格納される。
・判別された画像サイズが格納される。
・処理時現在の日付、時刻が格納される。
【０３４４】
（３）通常処理時（図５８のＳ２４５）には、以下の（ｉ）〜（ｖｉ）のタイミングがあるので、それぞれについて説明する。
（ｉ）内視鏡１のスイッチ部３、又はフロントパネル６９、キーボード１４、キーボード２（４５）、フットスイッチ３１１など操作デバイスのキー入力時
・キーに割り当てられた機能の実行情報が格納される。
【０３４５】
・処理時現在の日付、時刻が格納される。
・ＲＥＳＥＴスイッチ４００キー入力時はＲＥＳＥＴされた設定情報が格納される。
【０３４６】
・図７４の内視鏡関連情報（キーボード１４／キーボード２（４５）にある、アルファベット、記号、数字、スペース（５３２，５４５）で文字情報を入力後、ＥＮＴＥＲ（５４２，５４６）又は矢印キー（５４４）により情報が確定した場合。）が格納される。
【０３４７】
・操作デバイス上の各キーが押された回数が格納される。
・プロセッサ１３のメッセージ情報が格納される。
（ｉｉ）一定期間ごと（例えば1分間ごと）
・処理時現在の日付、時刻が格納される。
【０３４８】
・周辺機器の通信情報（通信の正常／異常終了、通信内容など）が格納される。
・図７４の内視鏡関連情報が格納される。
・プロセッサ１３に設定されている情報（フロントパネル６９の設定されているモードやＬＥＤの点灯／消灯、キーボード１４、キーボード２（４５）にて設定されているモード（ＣＡＰＳＬＯＣＫ、ＩＮＳ、(図示しない)カナ入力、ローマ字入力、Ｓｈｉｆｔキーによる設定を含む）、ＬＥＤの点灯／消灯  他。設定されている時間を計測して格納してもよい。）が格納される。
【０３４９】
・内視鏡１のメモリ８に格納された情報が格納される。
・光源17内の情報が格納される。
・プロセッサ１３の電源ＯＮされている時間を計測して格納される。
【０３５０】
・周辺機器の接続状況が格納される。
・プロセッサ１３の構成が格納される（オプション基板１１６の接続状態）。
・プロセッサ１３のメッセージ情報が格納される。
【０３５１】
・各設定画面の設定情報が格納される。
(ｉｉｉ)上記（ｉ）のキー入力に連動して通信が行われた場合、もしくは周辺機器から通信コマンドを受信した場合、周辺機器の通信情報（通信の正常／異常終了、通信内容など。）が格納される。
【０３５２】
（ｉｖ）上記（ｉ）のキー入力に連動して通信が行われた場合、もしくは光源１７から光源情報に関して通信データを受信した場合、光源１７内の情報が格納される。
（ｖ）エラー情報や異常画像が表示された場合に、操作デバイスの（図示しない）専用キーもしくは複数のキーの同時押しを行なうことにより、内視鏡合成画像表示画面内の情報が記録される（記憶エラー情報や異常画像などの表示画像を格納する。）
（ｖｉ）周辺機器から通信コマンドを受信した場合に、周辺機器から設定された機能の実行情報が格納される。
【０３５３】
なお、ＢＡＣＫＵＰＲＡＭ７７またはログデータ格納ＲＯＭ８２の容量は限られている為、上記データの内、必要な一部の情報のみ格納するようにしても良く、ユーザーが任意に選択できるように、例えばシステム設定画面やユーザー設定画面にて設定できるようにしても良い。また、データの格納タイミングに関しても上記（１）〜（３）の記載に限定するものでなく、またユーザーが任意に選択できるように、例えばシステム設定画面やユーザー設定画面にて設定できるようにしても良い。
【０３５４】
図８６（図８６−０１〜図８６−４１）は、ＢＡＣＫＵＰＲＡＭ７７またはログデータ格納ＲＯＭ８２に格納するデータの一部に関し、その格納するときの形式の一例を示す（本形式はＡＳＣＩＩコードを使用した文字列となっているが、最小のデータ量となるように専用のコードや文字列、数字を使用しても良い）。
【０３５５】
図８７（図８７Ａ、図８７Ｂ）は、本実施形態で格納されるデータ及びタイミングの一例を示す（本実施形態のように、一部のデータのみを格納する他、前記説明した全てのデータについて格納しても良い。また、ＢＡＣＫＵＰＲＡＭ７７に格納しても良い）。
【０３５６】
図８８は、図８７のデータ及びタイミングでログデータ格納ＲＯＭ８２へ格納した時の詳細を示す。図８８中のＨ’０８８０００００、Ｈ’０８８００００Ｆ、Ｈ’０８８０００１０、Ｈ’０８８０００９０、Ｈ’０８８０００９Ｆ、Ｈ’０８８０００Ａ０はメモリのアドレスを示している。図８８は、図８７のデータを順に格納したものである。このように時系列にデータを格納する事で効率的にデータを格納する事が可能となる。
【０３５７】
なお、各データ間に専用のコード（ＳＯＩ，ＥＯＩ，ＳＴＸ，ＥＴＸなど）を挿入することで、各データ間の区切りを判断できるようにしてもよく、各データについて固定長とすることで、各データ間の区切りを行ってもよい。
【０３５８】
図８９（図８９−０１〜図８９−０８）は、ログデータ格納ＲＯＭ８２への別の格納方法の例を示す。図８９では、メモリのアドレスとそのアドレスによって示される領域に格納されるデータを示す。図８９のように、操作デバイスなどの設定回数や設定時間、入力回数、電源ＯＮ回数、電源ＯＮ時間などを格納するようにしても良い（また、この図８９の一部のデータのみ格納するようにしても良い。）。
【０３５９】
図９０（図９０Ａ，図９０Ｂ）は、ＢＡＣＫＵＰＲＡＭ７７のログ情報、メンテナンス情報、各設定情報（設定データ）に関するアドレス構成の一例を示す。図９０では、メモリのアドレスとそのアドレスによって示される領域に格納される設定データを示す。
【０３６０】
なお、ＢＡＣＫＵＰＲＡＭ７７またはログデータ格納ＲＯＭ８２への格納方法は、内視鏡１のシリアルナンバー毎、内視鏡１の製品名毎、または内視鏡１の種類（もしくはCCD２の種類）毎に管理してもよい。
【０３６１】
ＢＡＣＫＵＰＲＡＭ７７またはログデータ格納ＲＯＭ８２に格納されたプログラム動作のログやメンテナンス情報は、ＣＰＵ７４によりＲＥＡＤされ、シリアルインターフェース（ＥＴＨＥＲＮＥＴ、ＵＳＢ等を含む）やパラレルインターフェースにより、周辺機器（特に記録装置８６，８７，１００、ファイリング装置３０８，３５７）に出力、表示可能である。
【０３６２】
出力時には、周辺機器側もしくはプロセッサ１３側にパスワードを設ける事でセキュリティを強化しても良い。また操作デバイスの専用キーを入力した場合のみ出力するようにしても良く、プロセッサ１３側の周辺機器接続用コネクタに保守管理用キーを接続した時のみ出力するようにしても良い。
【０３６３】
また、ＢＡＣＫＵＰＲＡＭ７７またはログデータ格納ＲＯＭ８２に格納されたプログラム動作のログやメンテナンス情報の全て又は一部は、システム設定画面又はユーザー設定画面上にて表示しても良い。なお、プログラム動作のログやメンテナンス情報が、ＢＡＣＫＵＰＲＡＭ７７またはログデータ格納ＲＯＭ８２の領域全てに格納された場合は、その旨を知らせる為に、内視鏡合成画像表示画面に表示（例えば「ＤＡＴＡ  ＬＯＧ  ＦＵＬＬ！！」を画面上に表示）してもよく、操作デバイス上のＬＥＤの点滅・点灯を行なっても良い。
【０３６４】
また、操作デバイス、又はシステム設定画面、又はユーザー設定画面上にＢＡＣＫＵＰＲＡＭ７７またはログデータ格納ＲＯＭ８２内のプログラム動作のログやメンテナンス情報を消去する手段を設けても良い。
【０３６５】
ＢＡＣＫＵＰＲＡＭ７７またはログデータ格納ＲＯＭ８２の領域全てに格納された後に、新たにプログラム動作のログやメンテナンス情報が発生した場合は、
・ＢＡＣＫＵＰＲＡＭ７７またはログデータ格納ＲＯＭ８２への格納禁止  又は、
・先頭番地（例えばＨ“０８８０００００）から上書  又は、
・処理時現在の日付、時刻の古いデータの順に上書、又は、
・ＢＡＣＫＵＰＲＡＭ７７またはログデータ格納ＲＯＭ８２に格納せず、周辺機器にログやメンテナンス情報を出力し、周辺機器側の格納メモリに格納する
ことを行なっても良い。
【０３６６】
また、プログラム動作のログやメンテナンス情報は、前記のようにＢＡＣＫＵＰＲＡＭ７７またはログデータ格納ＲＯＭ８２に格納後に周辺機器に出力する他、ＢＡＣＫＵＰＲＡＭ７７またはログデータ格納ＲＯＭ８２に格納せずに出力して周辺機器側の格納用のメモリに格納することにより、プロセッサ１３内の処理の高速化を図っても良い。
【０３６７】
その際に、周辺機器側は、ログやメンテナンス情報を、内視鏡１のシリアルナンバー毎、内視鏡１の製品名毎、内視鏡１の種類（もしくはＣＣＤ２の種類）毎、プロセッサ１３のシリアルナンバー毎、又は光源１７のシリアルナンバー毎に管理しても良い。
【０３６８】
以上のように、プログラム動作のログやメンテナンス情報を格納、出力することで以下の事が可能となる。
・エラー発生時に、早期かつ容易に原因究明及び解析を行なう事ができる。
【０３６９】
・ユーザーごとに機能の使用頻度が確認でき、カスタマイズが容易になる。
・周辺機器からの制御状態もわかり、システム全体の動作を早期かつ容易に解析、確認する事ができ、ユーザーに最適なシステムのカスタマイズが可能になる。
【０３７０】
図９１（図９１Ａ，図９１Ｂ）は、ＢＡＣＫＵＰＲＡＭ７７の設定データ（図９０）をＷＲＩＴＥするタイミングの一例を示す。図９１の番号５のバックアップは、番号３（フロントパネル６９、キーボード１４、キーボード２（４５）の設定情報）のデータが正しくないと判定された場合に使用するバックアップ用のデータであり、番号５には番号３と同じデータをＷＲＩＴＥする。同様に、
・番号９のバックアップは、番号７のデータが正しくないと判定された場合に使用するバックアップ用のデータであり、番号９には番号７と同じデータをＷＲＩＴＥする。
【０３７１】
・番号１３のバックアップは、番号１１のデータが正しくないと判定された場合に使用するバックアップ用のデータであり、番号１３には番号１１と同じデータをＷＲＩＴＥする。
【０３７２】
・番号１７のバックアップは、番号１５のデータが正しくないと判定された場合に使用するバックアップ用のデータであり、番号１７には番号１５と同じデータをＷＲＩＴＥする。
【０３７３】
・番号２１のバックアップは、番号１９のデータが正しくないと判定された場合に使用するバックアップ用のデータであり、番号２１には番号１９と同じデータをＷＲＩＴＥする。
【０３７４】
・番号２５のバックアップは、番号２３のデータが正しくないと判定された場合に使用するバックアップ用のデータであり、番号２５には番号２３と同じデータをＷＲＩＴＥする。（なお、ＴＩＴＬＥ  ＳＣＲＥＥＮキーを押下すると、ＴＩＴＬＥ  ＳＣＲＥＥＮ画面が表示され、その画面上に文字を入力することができる。このキーの目的は、プロセッサ１３に接続されている周辺機器がフィルムに画像を撮影している場合、そのフィルムのネガの１枚目にそのフィルムの内容を入力するためである。）
次にＢＡＣＫＵＰＲＡＭ７７内の設定情報（図９０）をＲＥＡＤ／設定する方法について図９２，図９３のフローチャートを用いて説明する。図９２は、初期化処理内のＢＡＣＫＵＰＲＡＭ７７のデータ設定のフローチャートを示す。図９３は、設定情報の確認の詳細（代表例としてフロントパネル６９、キーボード１４，キーボード２（４５）の設定情報の確認）を示す。なお、図９２、図９３のフローチャートの処理は、初期化処理（図５８のＳ２４１）内で行なわれる（プロセッサ１３の電源ＯＮ時のみ行っても良い。）。
【０３７５】
始めにフロントパネル６９、キーボード１４、キーボード２（４５）の設定情報（図９１の番号３〜６）の設定を行なう（Ｓ２００１）。まず、フロントパネル６９、キーボード１４、キーボード２（４５）の設定情報（番号３）をＣＰＵ７４がＲＥＡＤし（Ｓ２１０１）、ＲＥＡＤした設定情報からチェックサム（又はＣＲＣ（Ｃｙｃｌｉｃ  Ｒｅｄｕｎｄａｎｃｙ  Ｃｈｅｃｋ））を作成する（Ｓ２１０２）。
【０３７６】
そして、ＢＡＣＫＵＰＲＡＭ７７に格納されたチェックサム（又はＣＲＣ）（番号４）と一致するか確認し（Ｓ２１０３）、一致した場合は、ＣＰＵ７４はＲＥＡＤした設定情報(番号３)を使って、フロントパネル６９、キーボード１４、キーボード２（４５）の設定を行なう（Ｓ２１０４）。
【０３７７】
一致しなかった場合は、フロントパネル６９、キーボード１４、キーボード２（４５）の設定情報（バックアップ）（番号５）をＲＥＡＤし（Ｓ２１０５）、ＲＥＡＤした設定情報からチェックサム（又はＣＲＣ）を作成する（Ｓ２１０６）。そして、ＢＡＣＫＵＰＲＡＭ７７に格納されたチェックサム又はＣＲＣ（番号６）と一致するか確認し（Ｓ２１０７）、一致した場合は、ＲＥＡＤした設定情報（番号５）を使って、フロントパネル６９、キーボード１４、キーボード２（４５）の設定を行う（Ｓ２１０８）。
【０３７８】
一方、再度一致しなかった場合は、ＢＡＣＫＵＰＲＡＭ７７に格納した設定情報が、不正であると判断し、プログラムＲＯＭ８３に格納された工場出荷値を使って、フロントパネル６９、キーボード１４、キーボード２（４５）の設定を行なう（Ｓ２１０９）。
【０３７９】
フロントパネル６９、キーボード１４、キーボード２（４５）の設定の後は、つづいて、図７４の内視鏡関連情報の設定（Ｓ２００２）、システム設定画面の設定情報の設定（Ｓ２００３）、ユーザー設定画面の設定情報の設定（Ｓ２００４）、患者データ画面の設定情報の設定（Ｓ２００５）、キーボード１４、キーボード２（４５）のキー５０５  ＴＩＴＬＥ  ＳＣＲＥＥＮキーを入力時に表示されるタイトルスクリーン画面内の情報の設定（Ｓ２００６）を行なうが、その処理に関しても図９３と同様の処理を行なう。
【０３８０】
これより、ＢＡＣＫＵＰＲＡＭ７７にデータをＷＲＩＴＥ中にプロセッサ１３の電源ＯＦＦされたことにより、ＢＡＣＫＵＰＲＡＭ１７内の一部のデータが不正にＷＲＩＴＥされた場合でも、その後の電源ＯＮ時では、正常に設定可能となる。
【０３８１】
なお、設定情報の確認方法は、図９２、図９３に示す方法の他、データとバックアップを直接比較してもよく（例えば、フロントパネル６９、キーボード１４、キーボード２（４５）の設定情報に関しては、番号４，６は使用せず、番号３と番号５を直接比較する）、また、ＣＰＵ７４の処理負荷や処理時間を短縮する為に、データのチェックサム（又はＣＲＣ）か、バックアップのチェックサム（又はＣＲＣ）のいずれかの確認のみ行うようにしても良い（例えば、図９３において、「Ｓ２１０１〜Ｓ２１０４，Ｓ２１０９」又は「Ｓ２１０５〜Ｓ２１０９」のいずれかのみ行なう）。
【０３８２】
また、バックアップ（番号５，９，１３，１７、２１，２５の全て、又は一部）のＷＲＩＴＥするタイミングは、図９１の他、所定時間ごと（例えば1秒ごと）にしても良い。また、図９４（図９４Ａ、図９４Ｂ）に示すように1秒ごとに（＊１）→（＊２）→（＊１）→（＊２）・・・とＢＡＣＫＵＰデータの半分ずつＷＲＩＴＥすることで、ＣＰＵ７４の処理の負荷を軽減するようにしても良い。
【０３８３】
一方、前述したＶｅｒＵＰ機器４５０とプロセッサ１３を接続し、ＶｅｒＵＰ機器４５０上のソフトウェアより、ＢＡＣＫＵＰＲＡＭ７７、ログデータ格納ＲＯＭ８２に格納されるデータのＲＥＡＤ，ＷＲＩＴＥ，Ｖｅｒｉｆｙ（更新）を行う場合、
・ログデータ格納ＲＯＭ８２、ＢＡＣＫＵＰＲＡＭ７７内の全てのログ情報、メンテナンス情報、設定データ（例えば図９０の番号１〜２６全て）のＲＥＡＤ、ＷＲＩＴＥ，Ｖｅｒｉｆｙ（更新）、又は
・ログデータ格納ＲＯＭ８２、ＢＡＣＫＵＰＲＡＭ７７内の一部のログ情報、メンテナンス情報、設定データ（例えば図９０の番号１〜２６の一部）のデータのみＲＥＡＤ、ＷＲＩＴＥ，Ｖｅｒｉｆｙ（更新）をしてもよく、ＶｅｒＵＰ機器４５０上からログデータ格納ＲＯＭ８２、ＢＡＣＫＵＰＲＡＭ７７内の一部のログ情報、メンテナンス情報、設定データを選択（例えば図９０の番号１〜２６から番号選択）できるようにしても良い。
【０３８４】
また、ＶｅｒＵＰ機器４５０上のソフトウェアにてＲＥＡＤしたログデータ格納ＲＯＭ８２、ＢＡＣＫＵＰＲＡＭ７７内のログ情報、メンテナンス情報、設定データを、プロセッサ１３のシリアルナンバー、または内視鏡１のシリアルナンバー、または光源１７のシリアルナンバー毎に保存・管理・表示するようにしても良い（例えば、プロセッサ１３のシリアルナンバー、または内視鏡１のシリアルナンバー、または光源１７のシリアルナンバーをファイル名にしたファイルやフォルダを作成して保存、管理を行なう。）。
【０３８５】
また、ＶｅｒＵＰ機器４５０とのインターフェースは、ＳＩＯ２５０を経由してシリアルインターフェースの他、ＰＩＯ２５１、ＥＴＨＥＲＮＥＴ（登録商標）回路部８４、ＵＳＢ回路８５、Ｓｅｒｉａｌ  ＤＲＶ９６を介して出力しても良い。また、インターフェースのプロトコルは、ＸＭＯＤＥＭ，ＹＭＯＤＥＭ，ＺＭＯＤＥＭ，ＢＰＬＵＳ，ｖ．９０，ＴＣＰ／ＩＰ，ＦＴＰ，ＨＴＴＰ，ＵＳＢ，ＩＥＥＥ−１３９４，ＳＣＳＩ，ＫＥＲＭＩＴ，ＡＴＡＰＩ，Ｉ２Ｃ，ＧＰＩＢなどを使用しても良い。また、ケーブルを介した有線の他、無線による通信を行なっても良い。
【０３８６】
これより、内視鏡1やプロセッサ１３、光源１７、周辺機器やシステム全体のログ情報、メンテナンス情報、設定データの保存、管理やデータベース作成が容易に行なえると共に、データベースからユーザーに最適なカスタマイズを統計的に行なう事ができる。
【０３８７】
また、図８４で説明したＶｅｒＵＰ機器４５０にて、プロセッサ１３のプログラムのバージョンアップ前に、プロセッサ１３の設定データ（例えば図９０）をＲＥＡＤ／保存しておけば、プロセッサ１３のプログラムのバージョンアップ後にプロセッサ１３の設定が工場出荷値に設定されても、保存しておいた設定データを再度プロセッサ１３にＷＲＩＴＥする事で、バージョンアップ前のプロセッサ１３の設定に容易かつ確実に設定し直す事が可能となる。なお、本実施形態において、設定データをＢＡＣＫＵＰＲＡＭ７７、ログデータをログデータ格納ＲＯＭ８２に格納しているが、これに限らず、任意に設定データ及びログデータをＢＡＣＫＵＰＲＡＭ７７、ログデータ格納ＲＯＭ８２に振り分けて格納してもよい。
【０３８８】
図９５は、システム設定画面の他の表示例を示す。この画面上の項目の詳細を図９６（図９６Ａ、図９６Ｂ）に示す。
図９７、図９８は、患者データリスト画面、患者データ画面の表示例を示す。これらの画面はＣＰＵ７４の制御によりグラフィック処理回路１（１０３），メモリ３（１０４），グラフィック処理回路２（２１２），メモリ７（１１１）にて生成されるものである。操作デバイスに割り当てられた患者データ画面表示キー（例えばＰＡＴＩＥＮＴ  ＤＡＴＡキー５０３）によりまず患者データリスト画面が表示される（例えば４０人分入力可能）（図９７）。
【０３８９】
図９７の患者データリスト画面にて、操作デバイスに割り当てられたカーソル移動キー（例えば、キーボード１４の↑↓キー）により項目が選択され、選択された項目及び文字の表示色が変化する（例えば、文字が緑色になる。）。また、ページ切替キー（例えばキーボード１４のＦｎ＋↑↓キー）によりリストのスクロールが行われる（例えば、図９７の表示状態で、Ｆｎ＋↓キーを入力すると、スクロールされ、番号１１〜２０の患者データが表示される。）。
【０３９０】
＜リストから患者名が入力済みの項目を選択時＞
・選択確定キー（例えばキーボード１４のＥＮＴＥＲキー）を入力すると、”Ｃａｌｌ／Ｅｄｉｔ”選択ボタン表示が表示される。選択変更キー（例えば、キーボード１４の←→キー）にて、「Ｃａｌｌ」を確定する（キーボード１４の←→キーにて「Ｃａｌｌ」を選択後にＥＮＴＥＲキーを入力する）と、該当患者データ設定を（例えば、ＢＡＣＫＵＰＲＡＭ７７から）ＬＯＡＤ（ＲＥＡＤ）／内視鏡合成画像表示画面上の内視鏡関連情報（図７２，図７３の６０１，６０１’，６０２，６０２’，６０３，６０３’，６０４，６０４’，６０５，６０５’，６１７，６１７’）に設定後、内視鏡合成画像表示画面へ移行する（文字キー”ｃ”を入力しても「Ｃａｌｌ」が確定される。）。また、選択変更キー（例えば、キーボード１４の←→キー）にて、「Ｅｎｔｒｙ」を確定する（キーボード１４の←→キーにて「Ｅｎｔｒｙ」を選択後にＥＮＴＥＲキーを入力する）と、該当患者データ設定をＬＯＡＤ（ＲＥＡＤ）後、患者データ設定画面へ移行する（文字キー”ｅ”を入力しても「Ｅｎｔｒｙ」が確定される。）。
【０３９１】
・ＤＥＬキー入力を入力すると、・該当患者データ設定を削除し、ｎｏ  ｄａｔａと表示する。
＜ＡＬＬ  ＣＬＥＡＲ  を選択して確定した時＞
・画面下部に「Ａｒｅ  ｙｏｕ  ｓｕｒｅ」が表示される。再度選択確定キー（例えば、キーボード１４のＥＮＴＥＲキー  ｏｒ  文字「ｙ」キー）を入力すると、全患者データを消去する。
【０３９２】
＜患者名未入力（ｎｏ  ｄａｔａ）の患者名の項目を選択時＞
・選択確定キー（例えばキーボード１４のＥＮＴＥＲキー）入力すると、患者データ設定画面へ移行する。
【０３９３】
＜解除キー（ＥＳＣキーや再度患者データ画面表示キーを入力時）＞
・内視鏡合成画像表示画面へ移行する。なお、解除キーの動作は、システム設定画面、ユーザーリスト画面、スコープ情報画面でも同様とする。
【０３９４】
図９８の患者データ設定画面では、図１１〜図１４の設定画面と同じ動作にて設定を行う。その詳細は図９９に示す。
なお、患者データ設定画面にて解除キーの動作が行なわれた場合は、患者データリスト画面に移行する（ユーザー設定画面上で解除キーの動作が行なわれた場合は、ユーザーリスト画面に移行する。）。
【０３９５】
また、選択確定キー（例えばキーボード１４のＥＮＴＥＲキー（５４２））を押すと、画面下部に「Ａｒｅ  ｙｏｕ  ｓｕｒｅ」が表示される。再度、選択確定キー（例えばキーボード１４のＥＮＴＥＲキー  ｏｒ  文字「ｙ」キー）を入力すると、選択項目の変更や確定が行なわれると共に内視鏡合成画像表示画面へ移行し、図７２，図７３の６０１，６０１’，６０２，６０２’，６０３，６０３’，６０４，６０４’，６０５，６０５’，６１７，６１７’に確定した患者データが設定される。（ＥＮＴＥＲキー（５４２）や文字・数字入力キーの選択確定キー動作はシステム設定画面やユーザー設定画面、スコープ情報画面の選択確定時でも同様とする。）
なお、図９８の患者データ設定画面にて選択確定キーにより、患者データが確定し、図７４の６０１，６０１’，６０２，６０２’，６０３，６０３’，６０４，６０４’，６０５，６０５’，６１７，６１７’に確定した患者データが設定された後、検査が終了して検査終了キー（ＥＸＡＭ  ＥＮＤキー５００）を入力した場合は、確定していた患者データに関して、患者データリスト画面にて文字の表示色を変化するようにし（例えば、文字が灰色になる。）、ユーザーに検査終了した事を示すようにしても良い（例えば、図９７の確定していた患者データ「２：ｔａｎａｋａ  ｉｃｈｉｒｏ」の文字表示を灰色にする）。
【０３９６】
但し、前記文字の表示色を変化した患者データ項目について、再度患者データ設定画面にて修正した場合は、患者データリスト画面の変化した文字の表示色が元に戻る事も可能である（例えば、灰色の文字色が緑色になる）。患者データリスト画面、患者データ画面で設定された設定情報は、前述したように、ＢＡＣＫＵＰ  ＲＡＭ７７又はプログラムＲＯＭ８３、ログデータ格納ＲＯＭ８２に格納され、プロセッサ１３が電源ＯＦＦになった場合でも保存されるようにしている。これより電源ＯＮする度に、再設定を行う必要はない。
【０３９７】
また、前述したように、患者データリスト画面、患者データ画面の設定項目は、周辺機器側からＳＩＯ２５０，ＰＩＯ２５１を経由して、設定読み出し、設定変更可能とする。
また、ユーザーリスト画面又は患者データリスト画面でＣＡＬＬしたユーザー項目や患者名項目については、ＣＡＬＬしていることを示すように、ユーザーリスト画面又は患者データリスト画面上のＣＡＬＬした項目の文字色や背景色を変えるようにしても良い（例えば、選択した項目の文字色を緑色にする。）。
【０３９８】
また、システム設定画面・内視鏡合成画像表示画面・患者データ画面、又はスコープ情報画面上で、現在日付時刻や生年月日・保障年月日を入力する場合に、ユーザーの誤入力を防止する為、以下の全てのデータ（又は一部のデータ）が入力時に、警告（エラーメッセージを一定期間表示、エラー音鳴らす、操作デバイス上のＬＥＤの点灯／点滅など）を行なうようにしてもよく、正しいデータが入力／確定するまでは、↑↓のキーによるカーソル移動を禁止するようにしても良い。
【０３９９】
・想定外の日付入力時（例えば１８００年１月１日以前の生年月日を入力時）
・ 存在しない日付を入力時（例えば、２月２９日〜３１日（うるう年除く）、4月３１日、６月３１日、９月３１日、１１月３１日）
・和暦入力設定時に、元号の改元の年において存在しない日付を入力時（例えば、明治４５年７月３０日〜１２月３１日、大正元年１月１日〜７月２９日、大正１５年１２月２５日〜１２月３１日、昭和元年１月１日〜１２月２４日、昭和６４年１月８日〜１２月３１日、平成元年１月１日〜１月７日）
・その他誤入力時
（例えば、・西暦入力で4桁以外の数字を入力時。
【０４００】
・和暦入力でＭ，Ｔ，Ｓ，Ｈ以外の元号文字入力時
・和暦入力で３桁以外の数字を入力時
・日付入力で１〜１２以外の月の数字を入力時
・日付入力で１〜３１以外の日の数字を入力時
・日付入力で０〜６０以外の  時、秒を入力時
・年／月／日／時／秒の入力順を間違えた時）
また、システム設定画面の項目「Ｃｌｏｃｋ」→「Ｔｙｐｅ」にて生年月日の表示形式を西暦→和暦に変更した場合、システム設定画面・内視鏡合成画像表示画面・患者データ画面、又はスコープ情報画面上の、西暦で入力又は表示されている、現在日付時刻・生年月日・保障期限・初回使用日などを和暦表示するように自動的に変更しても良い。
【０４０１】
また表示形式を逆（和暦→西暦）に変更した場合も同様とする。また、内視鏡合成画像表示画面又は患者データ画面上で生年月日を入力時に、現在日付時刻から年齢（Ａｇｅ）をＣＰＵ７４が計算して自動的に内視鏡合成画像表示画面又は患者データ画面上のＡＧＥの項目に表示するようにしても良い。
【０４０２】
図１００（図１００Ａ〜図１００Ｇ）は、画面上に表示され、記録機器（ＶＴＲ３０５，３５４、プリンタ３０６，３５５、写真撮影装置３０７，３５６、ファイリング装置３０８，３５７、記録装置８６，８７，１００）を含む周辺機器に表示記録されるメッセージ情報及び条件の詳細を示す（表示方法は、図７５〜図８０と同様であってもよく、各設定画面下部のＨＥＬＰ情報の欄に表示しても良い。）。なお、図１００の※１についてであるが、周辺機器に記録中のみメッセージを自動的に消去して、記録が終了した後、再度自動的にメッセージを表示するようにしても良く、一旦メッセージを消去した後は、記録が終了しても消去したままであっても良い。各設定画面に移行時もしくは各設定画面から内視鏡合成画像表示画面に移行時に一度消去したメッセージを再度自動的に表示するようにしても良い。また、図１００の記載は一例であり、記録中の自動消去／表示はユーザーに応じて変更可能であってよく、任意に変更可能できるように設定画面上に設定項目を設けても良い。
【０４０３】
次に、図１０１〜図１０４を参照しながら、フロントパネル６９のＩＭＡＧＥ  ＳＯＵＲＣＥ（４０８〜４１１）と周辺機器との関係の一例を説明する。なお、以下に記載する「ファイリング装置３５７から出力された画像」とは、ファイリング装置３５７内で作成した画像の他、プロセッサ１３の出力（調整部９８からの出力）をファイリング装置３５７内で作成した画像と合成して出力する画像も示す。
【０４０４】
（１）プロセッサ１３の電源ＯＮ状態で、内視鏡１を外した場合、すなわち、信号線１２ｂを経由してプロセッサ１３に入力される内視鏡１（もしくはＣＣＤ２）検知信号により、内視鏡１が外れて未接続になった事を検知する場合、図１０１を行なう。図１０１の動作を行なう事で、
（ｉ）ファイリング装置３５７との通信が正常な時は（又はファイリング装置３５７が正常に動作しているとき）、内視鏡１を外した場合でも、ＩＭＡＧＥ  ＳＯＵＲＣＥをＤ．ＦＩＬＥ（４０９）のままで維持することで、ファイリング装置３５７から出力された画像がモニタ３５３に表示されつづけるように制御できる（システム設定画面のＲｅｍｏｔｅ  Ｃｏｎｔｒｏｌのｏｐｔｉｏｎにて９６００を選択時は除く）。
【０４０５】
（ｉｉ）上記（ｉ）以外のときは、内視鏡１を外したときは、無選択（ＳＣＯＰＥ（４１１）の文字ＬＥＤを点灯）に切り替わるようにする。
（２）プロセッサ１３側が、ファイリング装置３５７との通信で通信信号（ＤＳＲ）のＯＦＦ→ＯＮを検知時（又はファイリング装置３５７との通信エラーから正常状態に復帰時。又はファイリング装置３５７の電源ＯＮ→通信が正常状態に確立されたとき。）に、図１０２を行う。図１０２の動作を行なう事で、通信信号（ＤＳＲ）のＯＦＦ→ＯＮを検知時（又はファイリング装置３５７との通信エラーから正常状態に復帰時、又はファイリング装置３５７の電源ＯＮ→通信が正常状態に確立されたとき）は、ＩＭＡＧＥ  ＳＯＵＲＣＥが自動的に無選択→Ｄ．ＦＩＬＥ（４０９）に切り替わる事で、ファイリング装置３５７から出力された画像を自動的にかつ容易にモニタ３５３に表示する事ができる（システム設定画面のＲｅｍｏｔｅ  Ｃｏｎｔｒｏｌのｏｐｔｉｏｎにて９６００を選択時は除く）。なお、図１０２の※についてであるが、図６５のように、プロセッサ１３とキーボード２（４５）と超音波装置３５８を組み合わせた場合において、キーボード２（４５）が（ＳＩＯ２５０又はＰＩＯ２５１を経由してモニタ３５３を制御することで）制御して、超音波装置３５８の映像出力３６０をモニタ３５３に表示している場合は、通信信号（ＤＳＲ）のＯＦＦ→ＯＮを検知してもＩＭＡＧＥ  ＳＯＵＲＣＥを「Ｄ．ＦＩＬＥ」に切り替えずに超音波装置３５８の映像出力３６０を表示しているままでも良い（その際には、ＩＭＡＧＥ  ＳＯＵＲＣＥは無選択を示す。）。（超音波装置３５８の映像出力３６０はモニタ３５３に直接入力されているため、映像出力３６０をモニタ３５３に表示させる場合は、ＳＩＯ２５０又はＰＩＯ２５１を経由したモニタ３５３への通信制御にて、モニタ３５３内で映像を切り替える。）
（３）プロセッサ１３側が、ファイリング装置３５７との通信で通信信号（ＤＳＲ）のＯＮ→ＯＦＦを検知時（又はファイリング装置３５７との正常状態から通信エラー発生時。又はファイリング装置３５７の通信が正常状態→電源ＯＦＦ時）に、図１０３を行う。図１０３の動作を行なう事で、通信信号（ＤＳＲ）のＯＮ→ＯＦＦを検知時（又はファイリング装置３５７との正常状態から通信エラー発生時。又はファイリング装置３５７の通信が正常状態→電源ＯＦＦ時）は、ＩＭＡＧＥ  ＳＯＵＲＣＥが自動的にＤ．ＦＩＬＥ（４０９）→無選択に切り替わる事で、ファイリング装置３５７側の電源ＯＦＦやＷＤＴリセットなどにより、ファイリング装置３５７から画像が出力されない場合も、自動的にかつ容易に調整９８出力をモニタ３５３に表示する事ができる（システム設定画面のＲｅｍｏｔｅ  Ｃｏｎｔｒｏｌのｏｐｔｉｏｎにて９６００を選択時は除く）。
【０４０６】
（４）図６５のように、プロセッサ１３とキーボード２（４５）と超音波装置３５８を組み合わせた場合において、キーボード２（４５）により（ＳＩＯ２５０又はＰＩＯ２５１を経由してモニタ３５３を制御することで）制御を行い、モニタ３５３の表示を、超音波装置３５８の映像出力３６０の表示状態からプロセッサ１３の出力３５９の表示状態に切り替えた時に、図１０４（図１０４Ａ，図１０４Ｂ）を行う。なお、超音波装置３５８の映像出力３６０の表示状態／プロセッサ１３の出力３５９の表示状態共に、図１０４のＩＭＡＧＥ  ＳＯＵＲＣＥの選択は、無選択とする。図１０４の動作を行なう事で、ファイリング装置３５７との通信が正常な時は（又はファイリング装置３５７が正常に動作しているとき）、超音波装置３５８の映像出力３６０の表示状態からプロセッサ１３の出力３５９の表示状態に切り替えた時、自動的にＩＭＡＧＥ  ＳＯＵＲＣＥをＤ．ＦＩＬＥ（４０９）に切り替えることで、超音波装置３５８の映像出力３６０の表示状態から切り替えた時もファイリング装置３５７から出力された画像を自動的にかつ容易にモニタ３５３に表示する事ができる（システム設定画面のＲｅｍｏｔｅ  Ｃｏｎｔｒｏｌのｏｐｔｉｏｎにて９６００を選択時は除く）。
【０４０７】
一方、プロセッサ１３及び周辺機器の動作に関して、以下のようにしても良い。
（１）画像形状記憶装置３０３／３５２の通信プロトコルは、ファイリング装置３０８／３５７と共通のものを使用してもよく、プロセッサ１３側の（図示しない）ファイリング装置３０８，３５７用の通信コネクタを使用するようにしても良い。
【０４０８】
（２）図７５における内視鏡関連情報の一部の一定期間表示処理について、操作デバイス上のキーにより各設定画面表示状態から内視鏡合成画像表示画面に移行した際にも、一定期間表示処理を行なうようにしても良い。
【０４０９】
（３）プロセッサ１３の電源ＯＮ時に、周辺機器とＳＩＯ又はＰＩＯにて通信する際、処理負荷を軽減する為に時系列にて処理するようにしても良い（例えば、プロセッサ１３の電源ＯＮ→（２秒経過）→内視鏡１との通信開始→（２秒経過）→光源１７との通信開始→（２秒経過）→プリンタ３５５との通信開始→（２秒経過）→ファイリング装置３５７との通信開始→（２秒経過）→ＶＴＲ３５４との通信開始→（２秒経過）→画像形状記憶装置３５２のように動作しても良い。）。
【０４１０】
（４）周辺機器との通信で発生しうるリトライ処理の回数は（例えば、内視鏡１との通信では、図８１のＳ３０４，Ｓ３１３，Ｓ３２３）、通信する装置毎、通信タイミング毎に異なっていてもよい（１回以上）。
【０４１１】
（５）周辺機器である集中制御装置３１５は、接続された周辺機器全てを含めたシステム全体を制御するタッチパネル、バーコードリーダー、無線機能を備えたＩＣカード、バイオメトリクス（指紋、顔、手形、音声、虹彩、網膜、血管、筆跡、ＤＮＡ）によるセキュリティ機能を有した入力装置、音声認識装置、（有線／無線／赤外線）リモコン、マウス、タブレット、トラックボール、もしくはそれらの複合ユニットであっても良い。
【０４１２】
（６）内視鏡１のメモリ８に格納された情報として、前述したデータの他、ズームスケール（近点、遠点情報含む、６５１の情報）、使用開始日、通電回数、点検時期日、点検開始を行なう通電回数、高周波（処置）対応／非対応情報、ＣＣＤの２眼／３眼対応情報、（光学，電子）ズーム対応情報、内視鏡1が画像形状記憶装置３０３／３５２に対応しているかの情報、特殊光観察対応情報（赤外／蛍光など）、ユーザーが任意に入力できるコメント情報、所有者、サービス情報、病院ごとの管理ナンバー、保証期限、保証最終日、メーカー情報、リペアや点検情報、内視鏡固有の情報、鉗子チャネル情報（６５０の情報）などを格納してもよい。また、内視鏡合成画像表示画面やスコープ情報画面への表示、プロセッサ１３からメモリ８の格納情報の修正、メモリ８の格納情報の各周辺機器への出力、各周辺機器からメモリ８の格納情報の修正を行なえるようにしても良い。
【０４１３】
（７）図１７に示したレジスタに設定するデータ（パラメータ）や、前述したプログラム動作のログやメンテナンス情報、設定情報は、ＣＰＵ７４が容易に検索／設定できるようにする為に、
（ｉ）周辺機器（又は周辺機器のシリアルナンバー）ごとに区分したテーブル
（ｉｉ）内視鏡１（又はＣＣＤ２）ごとに区分したテーブル
（ｉｉｉ）画像サイズごとに区分したテーブル
（ｉｖ）表示モード（４：３，５：４，１６：９）ごとに区分したテーブル
（ｖ）インデックス駒数ごとに区分したテーブル
（ｖｉ）上記（ｉ）〜（ｖ）のパラメータを組み合わせて最適に区分したテーブル（例えば図１８〜図２５、表８〜表２０、図１０１〜図１０４）の形式でプログラムＲＯＭ８３又はＢＡＣＫＵＰＲＡＭ７７又はログデータ格納ＲＯＭ８２に格納してもよい。すなわち、管理しやすいように、格納対象のデータを体系付けて、意味のある情報の並びとして格納するようにする。また、上記テーブルの形式で格納すれば、格納する容量も削減され、かつＣＰＵ７４の処理負荷も軽減できる。
【０４１４】
図１０５は、ＳＣＡＬＥキー５２６又はＳＨＩＦＴ＋ＳＣＡＬＥキー５２６入力時に周辺機器に表示記録される、鉗子情報（鉗子チャネル情報：ＳＨＩＦＴ＋ＳＣＡＬＥ時に表示）、スケール情報の表示例を示す。スケール情報６５１は、光学ズーム機能を有する内視鏡１（ＣＣＤ２）にて撮像した被写体像の最大光学ズーム時のスケール幅を示し、ある所定の幅（最小幅６５１ａと最大幅６５１ｂ）がある。例えば、６５１ｃのように「１．０」と表示されている場合は、最大光学ズーム時に、画像マスク内の被写体像がピントの合った状態において、最小幅６５１ａと最大幅６５１ｂの間が１ｍｍであることを示している（詳細は、特許文献３参照）。
【０４１５】
・鉗子情報６５０、スケール情報６５１は、重なっている情報が確認できるように半透明であっても良い。
・鉗子情報６５０の表示については、周辺機器に記録中のみ自動的に鉗子情報６５０の表示を消去して、重なっている内視鏡関連情報を表示できる状態で記録できるようにし、記録が終了した後に再度自動的に鉗子情報６５０を表示するようにしても良い。または鉗子情報６５０の表示を消去した後は、記録が終了しても消去したままであっても良い。また、記録中の自動消去／表示はユーザーに応じて変更可能であってよく、任意に変更可能できるように設定画面上に設定項目を設けても良い。
【０４１６】
・スケール情報６５１の表示については、周辺機器に記録中でも表示されたままでもよく、また記録中の自動消去／表示はユーザーに応じて変更可能であってよく、任意に変更可能できるように設定画面上に設定項目を設けても良い。
【０４１７】
・鉗子情報６５０、スケール情報６５１の表示は、ＲＥＭＯＶＥ  ＤＡＴＡキー５２８による省略表示１／２／全省略の全部又はいずれかにおいて、消去可能であっても良い（図７２，図７３参照）。
【０４１８】
・鉗子情報６５０、スケール情報６５１の表示の両方又はいずれか一方については、図７５の一定時間表示の際に一緒に一定時間表示するようにしても良い。
鉗子情報６５０には、内視鏡画像上での鉗子の位置を示すポインタ６５２，６５２’や、６５２の位置にある鉗子のチャンネル径を示す表示６５３，６５２’の位置にある鉗子のチャンネル径を示す表示６５３’が表示される（鉗子の数は、図１０５では２つの鉗子の表示だが、鉗子の数は限定されるものでなく、１以上の複数であっても良い。）。
【０４１９】
（図示しない）鉗子のハンドル部や内視鏡１の（図示しない）鉗子挿入口近傍には、鉗子チャンネルを識別する為の識別色が付随している。その識別色をポインタ６５２，６５２’や表示６５３，６５３’の色と一致させる事で、ユーザーに使用する鉗子が容易に判断できるようになっている（例えば６５２のポインタ、６５３の文字（又は背景）の表示を鉗子の識別色と同じ黄色。６５２’のポインタ、６５３’の文字（又は背景）の表示を同様にオレンジ色にする。）
６５２，６５２’，６５３，６５３’の情報（各鉗子の位置／チャンネル径／識別色／鉗子チャンネルの数）は内視鏡１内のメモリ８に格納されており、ＣＰＵ７４は６５２，６５２’，６５３，６５３’の情報をＲＥＡＤして６５０のように表示する。メモリ８に格納された識別色の情報は、図１０６に示すようにプロセッサ１３内のテーブル１（１７０）やテーブル２（２１４）に設定される。図１０６の※１についてであるが、メモリ８には、テーブル１（１７０）やテーブル２（２１４）に設定する全てのデータが格納されていても良く、容量削減の為一部のデータ（例えばＲ，Ｇ，Ｂの上位３ビット分のみ）が格納されていても良い。
【０４２０】
そのため、あらかじめ鉗子情報に相当する入力パラメータ値を決めておけば（例えば鉗子チャンネルの数が２の場合は、鉗子チャンネル１の色に関する入力パラメータを“１０１”、鉗子チャンネル２の色に関する入力パラメータを“１０２”としておく）、メモリ８に識別色を格納する事により、６５２，６５２’，６５３，６５３’の識別色を任意に設定可能となる。これより、新規の鉗子が設計され、新規の識別色が決定した場合でも、内視鏡１内のメモリ８の識別色を変更するだけで対応が可能となり、プロセッサ１３のプログラムＲＯＭ８３に格納されたプログラムをバージョンアップする事もなく、容易に対応可能となる。
【０４２１】
図１０７は、スコープ情報画面の表示例を示す（詳細は、特許文献３参照）。また、図１０８は、図１０７の各項目を示す。スコープ情報画面は以下の条件で表示される。
・内視鏡合成画像表示画面表示時にＳｃｏｐｅＩｎｆｏキー５０４を入力すると、図７５のように内視鏡関連情報の一定時間表示となる。（鉗子情報６５０、スケール情報６５１も同様）
・図７５のように内視鏡関連情報の一定時間表示中に、再度ＳｃｏｐｅＩｎｆｏキー５０４を入力すると図１０７のスコープ情報画面が表示される（内視鏡１のメモリ８のデータを受信できなかった場合もしくはＣＰＵ９やメモリ８を持たない内視鏡１と接続時は、図１０７に表示される内視鏡関連情報を有さない為、図１０７のスコープ情報画面に移行せず、図７５の一定表示を消去する動作をしても良い。）。
【０４２２】
・スコープ情報画面の情報の一部は、保守管理用のみに使用するために、容易に見ることができないように、周辺機器と接続するプロセッサ１３側のコネクタに保守管理用キーを接続時のみ表示可能としてもよく、操作デバイス上に専用のキーを設けても良い。
【０４２３】
・スコープ情報画面上の動作は、システム設定画面、ユーザー設定画面、患者データ画面と同様とする。
・スコープ情報画面上の項目の内、Ｃｈｅｃｋ  Ｐｅｒｉｏｄ，Ｓｅｒｖｉｃｅ  Ｃｏｎｔｒａｃｔ，Ｗａｒｒａｎｔｙ  Ｄａｔｅ，Ｍｆｇ．Ｃｏｍｍｅｎｔｓのみ操作デバイス上で修正可能であってもよく、カーソル移動キー（例えば、キーボード１４の↑↓キー）による項目選択時には、修正可能な項目のみカーソルが移動できるようにしても良い（選択された項目及び文字の表示色が変化する）。
【０４２４】
・選択確定キー（例えばキーボード１４のＥＮＴＥＲキー  ｏｒ  文字「ｙ」キー）を入力して選択した項目の修正が確定した時には、内視鏡合成画像表示画面に移行し、かつＣＰＵ７４は信号線１１ｂを経由して、内視鏡１内のメモリ８に、スコープ情報画面で修正した項目のデータ（又は修正可能な項目Ｃｈｅｃｋ  Ｐｅｒｉｏｄ，Ｓｅｒｖｉｃｅ  Ｃｏｎｔｒａｃｔ，Ｗａｒｒａｎｔｙ  Ｄａｔｅ，Ｍｆｇ．Ｃｏｍｍｅｎｔｓ全てのデータ）を上書き（ＷＲＩＴＥ）する。メモリ８に上書き（ＷＲＩＴＥ）中の時は、内視鏡合成画像表示画面下部にＷＲＩＴＥ中であることを示す表示「Ｐｌｅａｓｅ  Ｗａｉｔ」を表示しても良く、操作デバイス上のＬＥＤの点滅／点灯を行なっても良い。
【０４２５】
・図７５，図１０７に表示される、内視鏡１のメモリ８から受信される情報を、内視鏡１内のメモリ８からＲＥＡＤするタイミングは、
（ｉ）電源ＯＮ時にメモリ８の情報を全てＲＥＡＤして（図８１，図８２参照）、ＢＡＣＫＵＰＲＡＭ７７又はＲＡＭ７６、又はログデータ格納ＲＯＭ８２に格納しておき、図７５や図１０７での表示時にはＢＡＣＫＵＰＲＡＭ７７又はＲＡＭ７６、又はログデータ格納ＲＯＭ８２からＲＥＡＤして表示するようにしても良く、
（ｉｉ）図１０７の表示ごとに、内視鏡１内のメモリ８からＲＥＡＤするようにしてもよい。
【０４２６】
ところで、図８１，図８２のホワイトバランス処理において、ＣＰＵ９やメモリ８を持たず通信機能を有さない内視鏡１とプロセッサ１３が接続された場合は、Ｓ３１５又はＳ３４４のフローを通ることになる。その時、ホワイトバランス処理は、前回に（例えば、ＷｈｉｔｅＢａｌａｎｃｅＳＷ４０４の入力で）ＢＡＣＫＵＰＲＡＭ７７に格納されたホワイトバランスデータが設定される事になる。
【０４２７】
これより、ＣＰＵ９やメモリ８を持たず通信機能を有さない内視鏡１のみを使用するユーザーは、その内視鏡１について初回使用時にＷｈｉｔｅＢａｌａｎｃｅＳＷ４０４の入力を行なえば、次回以降からの使用時には、ＢＡＣＫＵＰＲＡＭ７７に格納されたホワイトバランスデータを使用してホワイトバランス処理が行なわれる為、ＷｈｉｔｅＢａｌａｎｃｅＳＷ４０４を使用ごとに入力する必要がなくなる（その場合には、システム設定画面の項目「ＷＢ  Ｍｅｓｓａｇｅ」の設定をＯＦＦし、メッセージが表示されないようにするとよい。）。
【０４２８】
一方、操作デバイス上の専用キーを入力する事により、設定画面で設定されている全ての情報又は重要度の高い一部の情報を一括で表示できるようにしても良い（図１０９参照）。表示画面が複数ページにわたる場合は、矢印キー５４４によりページが切り替わるようにしても良い。これより、ユーザーやサービス担当が設定状況を容易に確認する事ができる。
【０４２９】
また、図７５に表示される情報として、図１５のユーザーリスト画面でＣａｌｌして設定したユーザー項目（“Ｄｒ．Ｔａｎａｋａ”）を表示し、設定されているユーザー設定を容易に確認できるようにしても良い。また、内視鏡１のメモリ８のデータを受信できなかった場合もしくはＣＰＵ９やメモリ８を持たない内視鏡と接続時は、図７５に表示される情報の内、内視鏡１のメモリ８に関する情報のみ表示しないようにしても良い（図７５の一定期間表示メッセージの右側（ＧＩＦ−Ｈ２６０，ＳｅｒｉａｌＮｏ．，ＤｉｓｔａｌＥｎｄ，Ｉｎｓｅｒｔｉｏｎ  Ｔｕｂｅ，Ｃａｎｎｅｌが表示されているメッセージ）のみ表示しないようにしても良い）。
【０４３０】
また、ＲｅｓｅｔＳＷ４００を入力した場合には、図１５のユーザーリスト画面のユーザー項目については、選択されているユーザー項目がそのまま維持されて良く、また、ある特定のユーザー項目（“Ｒｅｓｅｔ  Ｄｅｆａｕｌｔ”）が自動的にＣａｌｌされて設定されるようにしても良い（図１１０参照）。
【０４３１】
また、操作デバイスの特定キーの同時押しをしながらプロセッサ１３の電源をＯＮすることによって、プロセッサ１３の設定が工場出荷値に設定されるようにしても良い。
また、アローポインタ６２４，６２４’が内視鏡合成画像表示画面に表示されている状態で
・ｓｈｉｆｔ＋矢印キー（５４４）入力時、
・プロセッサ１３の電源ＯＦＦ→電源ＯＮ、
・ＲｅｓｅｔＳＷ４００を入力した場合、
・工場出荷値が設定された場合、
・ＥＸＡＭ  ＥＮＤキー５００を入力した場合、
・各設定画面に移行して再び内視鏡合成画像表示画面に移行した場合、
・Ｚｏｏｍキー４１を入力時、
・又はＩＭＡＧＥＳＩＺＥキー５２９を入力時にはアローポインタを消去するようにしても良く、その後、再度アローポインタ６２４，６２４’を表示するようにした場合は、
（ｉ）特定の場所（内視鏡合成画像表示画面にある内視鏡画像の中央）に位置するように表示、又は
（ｉｉ）前回の表示位置をＢＡＣＫＵＰＲＡＭ７７またはログデータ格納ＲＯＭ８２、ＲＡＭ７６に格納しておき、前回の表示位置から表示、又は、
（ｉｉｉ）内視鏡１（又はＣＣＤ２）や画像サイズ、表示モードごとに特定の場所を位置するように表示してもよい。また、内視鏡１（又はＣＣＤ２）がプロセッサ１３に未接続時は、アローポインタ６２４，６２４’を表示しないようにしても良い。
【０４３２】
図１１０（図１１０−０１〜図１１０−３０）は、電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す（変更例に記載されている設定状態「保持」とは、ＢＡＣＫＵＰＲＡＭ７７またはログデータ格納ＲＯＭ８２、ＲＡＭ７６に格納され、設定状態が保存されている状態を示す。）なお、設定状態や設定のタイミングはこの図１１０の変更例の記載に限定するものでない。
【０４３３】
なお、図１１０の※１についてであるが、初期表示とは、ＩＤ  ＮＯ．６０１，６０１’，ＮＡＭＥ６０２，６０２’，ＳＥＸ  ６０３，６０３’，ＡＧＥ  ６０４，６０４’，Ｄ．Ｏ．ＢＩＲＴＨ６０５，６０５’，ＰＨＹＳＩＣＩＡＮ  ６１７，６１７’，ＣＯＭＭＥＮＴ  ６１８，６１８’の各項目の箇所に、“ＩＤ  Ｎｏ．”“Ｎａｍｅ”“Ｓｅｘ”“Ａｇｅ”“Ｄ．ｏ．Ｂｉｒｔｈ”“Ｐｈｙｓｉｃｉａｎ：”“Ｃｏｍｍｅｎｔ：”という文字を表示する事をいう。これらの表示状態で、キー５３２，５４５，５４４，５４２，５４６，５３３などのいずれかの入力があった場合は、カーソル６２３，６２３’が位置している項目の初期表示を自動的に消去するようにしても良い。
【０４３４】
また、図１１０の※２についてであるが、システム設定画面、ユーザー設定画面（ユーザーリスト画面のＮｏ．１“Ｒｅｓｅｔ  Ｄｅｆａｕｌｔ”）の工場出荷値が反映される。
【０４３５】
また、図１１０の※３についてであるが、ＲｅｓｅｔＳＷ４００を入力した場合にＣＡＬＬされるユーザー設定画面は以下の通りである。
・システム設定画面のＬａｎｇｕａｇｅでＧＢ（イギリス英語）／ＦＲ（仏語）／Ｄ（独語）選択時：ＣＡＬＬされているユーザー設定画面の該当項目の設定を反映する。
【０４３６】
・システム設定画面のＬａｎｇｕａｇｅでＪＰ（日本語）／ＵＳ（アメリカ英語）選択時：ユーザーリスト画面のＮｏ．１（“Ｒｅｓｅｔ  Ｄｅｆａｕｌｔ”）のユーザー設定画面の該当項目が自動的にＣａｌｌされる。よって“Ｒｅｓｅｔ  Ｄｅｆａｕｌｔ”の該当項目の設定を反映する。
【０４３７】
また、図１１０の※４についてであるが、図１０１、図１０２、図１０４の表内の“Ｄ．ＦＩＬＥ”（太字かつ下線で示されている）の状態時の場合は、“Ｄ．ＦＩＬＥ”を保持（または“Ｄ．ＦＩＬＥ”に切り替わるように）しても良い。
【０４３８】
また、図１１０の※５についてであるが、図６５のように、キーボード２（４５）が制御することで、超音波装置３５８の映像出力３６０もしくはプロセッサ１３の出力３５９を表示切り替え可能なシステムにおいては、電源ＯＮ又はＲｅｓｅｔＳＷ４００を入力した場合又は工場出荷値が設定された場合には、
・プロセッサ１３の出力３５９の表示状態にするようにしてもよく、
・プロセッサ１３の出力３５９の表示状態／超音波装置３５８の映像出力３６０の表示状態のいずれかをユーザーが任意に選択できるようにしてもよく（例えばシステム設定画面やユーザー設定画面上に項目を設ける）、
・設定直前の表示状態がそのまま保持されるようにしても良い。
【０４３９】
また、図１１０の※６についてであるが、システム設定画面のＬａｎｇｕａｇｅでの設定によっては（例えばＵＳ選択時）、ＯＮであってもよい。
また、図１１０の※７についてであるが、一部のＵｓｅｒ（ユーザー名）（例えば、ユーザーリスト画面のＮｏ．１のみ）のみ保持するようにしてもよく、固定名を自動的に入力するようにしても良い（例えば、ユーザーリスト画面のＮＯ．１のみ“Ｒｅｓｅｔ  Ｄｅｆａｕｌｔ”を入力）。
【０４４０】
また、図１１０の※８についてであるが、プログラムＲＯＭ８３、ＢＡＣＫＵＰＲＡＭ７７またはログデータ格納ＲＯＭ８２上に、ＪＰ，ＵＳ，ＧＢ，Ｒ，Ｄのいずれかを示すフラグデータを設けてもよい。その場合、工場出荷値の設定時に、まずＣＰＵ７４がフラグデータをＲＥＡＤし、フラグデータから、ＪＰ，ＵＳ，ＧＢ，ＦＲ，Ｄに相当する工場出荷値を設定することになる（例えば、プロセッサ１３を日本に出荷する場合には、“ＪＰ”を示すフラグデータをＶｅｒＵＰ機器４５０などでプログラムＲＯＭ８３、ＢＡＣＫＵＰＲＡＭ７７またはログデータ格納ＲＯＭ８２に設定した後、電源ＯＦＦし、操作デバイスの特定キーの同時押しをしながらプロセッサ１３の電源をＯＮすることによって、ＪＰに相当する工場出荷値（ＹＹＹＹ／ＭＭ／ＤＤなど）が設定される。）。なお、仕向け地別に設定変更するタイミングは、本例のように工場出荷値が設定される場合の他、項目「Ｌａｎｇｕａｇｅ」の設定状態に変更後すぐに設定変更しても良く、また変更される設定項目は各設定画面の全ての（又は一部の）設定項目であってもよい。
【０４４１】
また、図１１０の※９についてであるが、項目「Ｐｒｉｎｔｅｒ」Ｔｉｍｅは、項目「Ｐｒｉｎｔｅｒ」Ｔｙｐｅ（プリンター機種）の設定に応じて自動的に変更されても良いし（Ｅｘ「ＯＥＰ３」選択時は、自動的に４０ｓに設定される。）、その後、操作デバイスからの操作によって、任意に変更可能であっても良い。
【０４４２】
また、図１１０の※１０についてであるが、項目「Ｒｅｌｅａｓｅ  Ｔｉｍｅ」は、上記例のように複数の周辺機器についてまとめて設定する他、各周辺機器ごとに設定項目を設ける事で、各周辺機器ごとに設定できるようにしても良い。
【０４４３】
また、図１１０の※１１についてであるが、システム設定画面の項目「Ｒｅｍｏｔｅ  Ｃｏｎｔｒｏｌ」Ｄ．Ｆ．の設定状態がＴＹＰＥＣを選択時は、保持しても良い。
また、図１１０の※１２についてであるが、設定項目Ｒｅｍｏｔｅ  ＣｏｎｔｒｏｌのＤ．ＦでＴＹＰＥＢを選択時には、自動的にＯＮに切り替わるように設定しても良い。
【０４４４】
また、図１１０の※１３についてであるが、各Ｓｅｒｉａｌ  Ｎｏ．，Ｐａｒａｍｅｔｅｒ，ＦＰＧＡの情報は、プログラムＲＯＭ８３、ＢＡＣＫＵＰＲＡＭ７７またはログデータ格納ＲＯＭ８２上に格納するようにしても良い。
【０４４５】
また、図１１０の※１４についてであるが、項目内に、通信速度（例えば１２００ｂｐｓ〜９６００ｂｐｓ）を設定するような項目を設けても良い。
また、図１１０の※１５についてであるが、写真撮影装置３０７，３５６から記録枚数コマンドを受信した場合は、その記録枚数を反映する。
【０４４６】
また、図１１０の※１６についてであるが、ファイリング装置３０８，３５７から記録枚数コマンドを受信した場合は、その記録枚数を反映する。
また、図１１０の※１７についてであるが、操作デバイス上の専用キーもしくは、複数キーの同時押しで０にリセットできるようにしてもよく、ＶｅｒＵＰ機器４５０からリセット処理を行なえるようにしても良い。
【０４４７】
さて、タイトルスクリーン１，２，３の表示方法は以下であってもよい。
（ｉ）内視鏡合成画像表示画面表示時にＴＩＴＬＥＳＣＲＥＥＮキー５０５を入力すると、タイトルスクリーン１が表示される。タイトルスクリーン１で表示される内容は、日付時刻６０６，６０６’、ＩＤ  ＮＯ．６０１，６０１’、ＮＡＭＥ６０２，６０２’である。
【０４４８】
（ｉｉ）タイトルスクリーン１の表示状態で、ＴＩＴＬＥＳＣＲＥＥＮキー５０５を入力すると、タイトルスクリーン２が表示される。タイトルスクリーン２で表示される内容は、日付時刻６０６，６０６’、ＩＤ  ＮＯ．６０１，６０１’、ＮＡＭＥ６０２，６０２’、ＳＥＸ  ６０３，６０３’、ＡＧＥ  ６０４，６０４’、Ｄ．Ｏ．ＢＩＲＴＨ６０５，６０５’、ＰＨＹＳＩＣＩＡＮ  ６１７，６１７’である。
【０４４９】
（ｉｉｉ）タイトルスクリーン２の表示状態で、ＴＩＴＬＥＳＣＲＥＥＮキー５０５を入力すると、タイトルスクリーン３が表示される。タイトルスクリーン３では、操作デバイス上から任意の文字列（例えば１８文字×１０行）が入力可能である（入力された文字列は、ＢＡＣＫＵＰＲＡＭ７７またはログデータ格納ＲＯＭ８２上に格納される。再度タイトルスクリーン３を表示した時は、入力されていた文字列が表示される。）。
【０４５０】
（ｉｖ）タイトルスクリーン３の表示状態で、ＴＩＴＬＥＳＣＲＥＥＮキー５０５を入力すると、内視鏡合成画像表示画面表示に移行する。
（ｖ）上記（ｉ），（ｉｉ），（ｉｉｉ）の表示状態でＳＨＩＦＴ＋ＴＩＴＬＥＳＣＲＥＥＮキー５０５を入力した場合は、カラーバー画面を表示する。
【０４５１】
（ｖｉ）カラーバー画面の表示状態でＳＨＩＦＴ＋ＴＩＴＬＥＳＣＲＥＥＮキー５０５を入力した場合は、５０％白画面を表示する。
（ｖｉｉ）５０％白画面の表示状態で、ＳＨＩＦＴ＋ＴＩＴＬＥＳＣＲＥＥＮキー５０５を入力した場合は、内視鏡合成画像表示画面表示に移行する。
【０４５２】
（ｖｉｉｉ）上記（ｖ），（ｖｉ）の表示状態で、ＴＩＴＬＥＳＣＲＥＥＮキー５０５を入力した場合は、タイトルスクリーン１が表示される。
（ｉｘ）上記（ｉ），（ｉｉ），（ｉｉｉ），（ｖ），（ｖｉ），（ｖｉｉｉ）の表示状態で、解除キー（ＥＳＣ５３１）を入力時、電源ＯＦＦ→電源ＯＮした時、ＲｅｓｅｔＳＷ４００を入力した場合、工場出荷値が設定された場合、またはＥＸＡＭＥＮＤキー５００入力時は、内視鏡合成画像表示画面表示に移行する。
【０４５３】
以上述べたように本発明によれば、
・周辺機器が、内視鏡１又は光源１７又はプロセッサ１３に関する設定情報（プログラム動作のログやメンテナンス情報（履歴情報）や設定情報）を取得可能であり、周辺機器側からも前記設定情報を変更可能である。これより周辺機器側で適切な制御を行なう事ができる。
【０４５４】
・前記設定情報はモニタ３０４，３５３より表示可能である（例えば、図１１〜１６，図７０〜７３，図７５〜８０、図９６〜図１００、図１０５，図１０７，図１０９）。これよりユーザーは，設定情報を容易かつ確実に得る事が可能となる。
【０４５５】
・記憶装置（記録装置、記録機器）（例えば、ＶＴＲ３０５，３５４、プリンタ３０６，３５５、写真撮影装置３０７，３５６、ファイリング装置３０８，３５７、記録装置８６，８７，１００）を含む周辺機器に表示記録される前記設定情報（メッセージ、鉗子情報、スケール情報含む）のそれぞれについて、周辺機器への記録期間中に、表示／非表示（＝記録させるか否か）を独立に設定可能となる（図１００）。これよりユーザーは、適切な設定情報のみを記録可能となる。
【０４５６】
・前記設定情報は、メッセージ表示であり、また内視鏡１や光源１７や周辺機器に関連するメッセージ表示である為（図１００）、ユーザーは内視鏡１や光源１７や周辺機器に関する設定情報を容易かつ確実に得る事が可能となる。
【０４５７】
・鉗子情報６５０の表示色が、（図示しない）鉗子や内視鏡１に付随する識別色（鉗子のハンドル部や内視鏡１の（図示しない）鉗子挿入口近傍に付随している、鉗子識別の為の識別色）と一致させる事で、ユーザーに使用する鉗子が容易に判断できるようになっている。
【０４５８】
・前記設定情報は、周辺機器（例えばＶｅｒＵＰ機器４５０）とプロセッサ１３を接続し、周辺機器側にて（例えばＶｅｒＵＰ機器４５０上のソフトウェアにて）又はプロセッサ１３側にて、内視鏡１のシリアルナンバー、光源１７のシリアルナンバー、プロセッサ１３のシリアルナンバーごとに保存、管理、表示可能である為、内視鏡１・光源１７・プロセッサ１３や周辺機器を含めたシステム全体のログ情報、メンテナンス情報、設定データの保存、管理やデータベース作成が容易に行なえると共に、データベースからユーザーに最適なカスタマイズを統計的に行なう事ができる。
【０４５９】
・前記設定情報は、バックアップデータやチェックデータも含み、前記設定情報が不正である場合は、復帰処理（再設定処理）を行なう（図９２，図９３）。これより、設定情報データをＷＲＩＴＥ中にプロセッサ１３の電源ＯＦＦされたことにより、一部の設定情報データが不正にＷＲＩＴＥされた場合でも、その後のプロセッサ１３の電源ＯＮ時では、正常に設定可能となる。
【０４６０】
・周辺機器がプロセッサ１３の設定状態（例えばＩＭＡＧＥ  ＳＯＵＲＣＥ（４０８〜４１１））を変更可能である（図１０１〜１０４）。これより、ユーザーに操作性の良いシステムを提供できる。
【０４６１】
・前記設定情報は、例えば図１８〜図２５、表８〜表２０、図１０１〜１０４の形式で体系付けられたデータ構造でプログラムＲＯＭ８３又はＢＡＣＫＵＰＲＡＭ７７又はログデータ格納ＲＯＭ８２に格納する。これより、ＣＰＵ７４が容易に検索／設定でき、格納する容量も削減され、かつＣＰＵ７４の処理負荷も軽減できる。
【０４６２】
・前記設定情報のそれぞれについて、プロセッサ１３の状態変更ごとに（＝プロセッサ１３の状態に応じて）独立して保持／特定値（所定値）に変更可能である（図１１０）。これより、ユーザーに操作性の良いシステムを提供できる。
【０４６３】
・前記設定情報の一部は時系列に格納可能であり、処理時の日時と共に格納可能である（図８８）。これより設定データを効率的にデータを格納する事が可能となる。
【図面の簡単な説明】
【０４６４】
【図１Ａ】内視鏡システムの全体構成を示す図である。
【図１Ｂ】通信機能を有さない光源１７ａと組み合わせたシステム全体図である。
【図２−１】プロセッサ１３の詳細を示す図（その１）である。
【図２−２】プロセッサ１３の詳細を示す図（その２）である。
【図２−３】プロセッサ１３の詳細を示す図（その３）である。
【図２−４】プロセッサ１３の詳細を示す図（その４）である。
【図３】映像処理回路５５，５７、合成回路１０２の詳細ブロック図である。
【図４】プロセッサ１３と周辺機器の接続構成を示す図（その１）である。
【図５】プロセッサ１３と周辺機器の接続構成を示す図（その２）である。
【図６】映像処理回路８９，９４、映像＋合成回路９３の詳細ブロック図である。
【図７】制御回路６７の詳細ブロック図である。
【図８】文字・マスク・画像合成２１１の詳細ブロック図である。
【図９】テーブル２（２１４）のテーブルの構成を示す図である。
【図１０】プロセッサ１３の各回路に割り当てられたアドレスマップを示す図である。
【図１１】プロセッサ１３の各設定を行う為に、モニタ３０４，３５３や周辺機器に出力される設定画面（その１）である。
【図１２】プロセッサ１３の各設定を行う為に、モニタ３０４，３５３や周辺機器に出力される設定画面（その２）である。
【図１３】プロセッサ１３の各設定を行う為に、モニタ３０４，３５３や周辺機器に出力される設定画面（その３）である。
【図１４】プロセッサ１３の各設定を行う為に、モニタ３０４，３５３や周辺機器に出力される設定画面（その４）である。
【図１５】プロセッサ１３を使用するユーザーごとに設定可能な項目をまとめたユーザー設定画面（その１）である。
【図１６】プロセッサ１３を使用するユーザーごとに設定可能な項目をまとめたユーザー設定画面（その２）である。
【図１７Ａ】図１０のアドレスマップ内の各レジスタの詳細を示す図（その１）である。
【図１７Ｂ】図１０のアドレスマップ内の各レジスタの詳細を示す図（その２）である。
【図１７Ｃ】図１０のアドレスマップ内の各レジスタの詳細を示す図（その３）である。
【図１７Ｄ】図１０のアドレスマップ内の各レジスタの詳細を示す図（その４）である。
【図１７Ｅ】図１０のアドレスマップ内の各レジスタの詳細を示す図（その５）である。
【図１７Ｆ−１】図１０のアドレスマップ内の各レジスタの詳細を示す図（その６−１）である。
【図１７Ｆ−２】図１０のアドレスマップ内の各レジスタの詳細を示す図（その６−２）である。
【図１７Ｇ】図１０のアドレスマップ内の各レジスタの詳細を示す図（その７）である。
【図１７Ｈ】図１０のアドレスマップ内の各レジスタの詳細を示す図（その８）である。
【図１７Ｉ】図１０のアドレスマップ内の各レジスタの詳細を示す図（その９）である。
【図１７Ｊ】図１０のアドレスマップ内の各レジスタの詳細を示す図（その１０）である。
【図１７Ｋ】図１０のアドレスマップ内の各レジスタの詳細を示す図（その１１）である。
【図１７Ｌ】図１０のアドレスマップ内の各レジスタの詳細を示す図（その１２）である。
【図１７Ｍ】図１０のアドレスマップ内の各レジスタの詳細を示す図（その１３）である。
【図１７Ｎ】図１０のアドレスマップ内の各レジスタの詳細を示す図（その１４）である。
【図１７Ｏ】図１０のアドレスマップ内の各レジスタの詳細を示す図（その１５）である。
【図１７Ｐ】図１０のアドレスマップ内の各レジスタの詳細を示す図（その１６）である。
【図１７Ｑ】図１０のアドレスマップ内の各レジスタの詳細を示す図（その１７）である。
【図１７Ｒ】図１０のアドレスマップ内の各レジスタの詳細を示す図（その１８）である。
【図１８】ＭＯＮＩＴの設定の一例を示す図である。
【図１９】ＨＭＯＮＩＴの設定の一例を示す図である。
【図２０】インデックス関連レジスタｒｅｄの設定例（画面アスペクト比４：３，１６：９設定時）を示す図である。
【図２１】インデックス関連レジスタｒｅｄの設定例（画面アスペクト比５：４設定時）を示す図である。
【図２２】インデックス関連レジスタ（表示モード４：３設定、インデックス画像４駒時）を示す図である。
【図２３】インデックス関連レジスタ（表示モード１６：９設定、インデックス画像４駒時）を示す図である。
【図２４】インデックス関連レジスタ（表示モード４：３設定、インデックス画像１駒時）を示す図である。
【図２５】インデックス関連レジスタ、インデックス一覧表示時、表示モード４：３設定（表示モード５：４、１６：９時には、値が異なる）を示す図である。
【図２６−１】Ｓ２４６，Ｓ２４７動作時の内視鏡画面の表示状態の変化を示す図（その１−１）である。
【図２６−２】Ｓ２４６，Ｓ２４７動作時の内視鏡画面の表示状態の変化を示す図（その１−２）である。
【図２６−３】Ｓ２４６，Ｓ２４７動作時の内視鏡画面の表示状態の変化を示す図（その１−３）である。
【図２７−１】Ｓ２４６，Ｓ２４７動作時の内視鏡画面の表示状態の変化を示す図（その２−１）である。
【図２７−２】Ｓ２４６，Ｓ２４７動作時の内視鏡画面の表示状態の変化を示す図（その２−２）である。
【図２８Ａ−１】Ｓ２４６，Ｓ２４７動作時の内視鏡画面の表示状態の変化を示す図（その３−１）である。
【図２８Ａ−２】Ｓ２４６，Ｓ２４７動作時の内視鏡画面の表示状態の変化を示す図（その３−２）である。
【図２８Ｂ−１】Ｓ２４６，Ｓ２４７動作時の内視鏡画面の表示状態の変化を示す図（その３−３）である。
【図２８Ｂ−２】Ｓ２４６，Ｓ２４７動作時の内視鏡画面の表示状態の変化を示す図（その３−４）である。
【図２９−１】Ｓ２４６，Ｓ２４７動作時の内視鏡画面の表示状態の変化を示す図（その４−１）である。
【図２９−２】Ｓ２４６，Ｓ２４７動作時の内視鏡画面の表示状態の変化を示す図（その４−２）である。
【図３０】画面アスペクト比４：３，５：４  インデックス４駒時のｏｄｉｓｐ，ｓｄｉｓｐ，ｔｄｉｓｐ，ｆｄｉｓｐの位置を示す図である。
【図３１】画面アスペクト比４：３，５：４  インデックス１駒時の位置（ｏｄｉｓｐのみ使用）を示す図である。
【図３２】画面アスペクト比１６：９  インデックス４駒時のｏｄｉｓｐ，ｓｄｉｓｐ，ｔｄｉｓｐ，ｆｄｉｓｐの位置を示す図である。
【図３３】画面アスペクト比１６：９インデックス1駒時の位置（ｆｄｉｓｐのみ使用）を示す図である。
【図３４】インデックス一覧画面での位置（ａｄｉｓｐのみ使用）を示す図である。
【図３５】画面アスペクト比４：３，５：４  インデックス４駒時（ｏｄｉｓｐ，ｓｄｉｓｐ，ｔｄｉｓｐ，ｆｄｉｓｐＯＦＦ時）の表示状態を示す図である。
【図３６】画面アスペクト比４：３，５：４  インデックス１駒時（ｏｄｉｓｐ  ＯＦＦ時）の表示状態を示す図である。
【図３７】画面アスペクト比１６：９  インデックス４駒時（ｏｄｉｓｐ，ｓｄｉｓｐ，ｔｄｉｓｐ，ｆｄｉｓｐＯＦＦ時）の表示状態を示す図である。
【図３８】画面アスペクト比１６：９インデックス１駒時（ｆｄｉｓｐ  ＯＦＦ時）の表示状態を示す図である。
【図３９】映像信号のフリーズ動作のフローチャート図である。
【図４０Ａ】周辺機器への記録動作を示すフローチャート図（その１）である。
【図４０Ｂ】周辺機器への記録動作を示すフローチャート図（その２）である。
【図４１】インデックス処理（Ｓ１９）の詳細フローチャート図である。
【図４２】インデックス画像ＷＲＩＴＥ処理のフローチャート図である。
【図４３】ｗｓｔａｒｔｖ，ｗｓｔａｒｔｈ，ｗｅｎｄｖ，ｗｅｎｄｈ，ｒｓｔａｒｔｖ，ｒｓｔａｒｔｈ，ｒｓｔａｒｔｈ２，ｒｓｔａｒｔｈ３，ｒｓｔａｒｔｈ４の説明図（画面アスペクト比４：３，５：４の場合）である。
【図４４】ｒｓｔａｒｔｈ，ｒｓｔａｒｔｖ，ｒｓｔａｒｔｖ２，ｒｓｔａｒｔｖ３，ｒｓｔａｒｔｖ４の説明図（画面アスペクト比１６：９の場合）である。
【図４５】メモリ８（１１２）のメモリ構成の一例を示す図である。
【図４６】インデックス画像ＲＥＡＤ処理のフローチャート図である。
【図４７】図４５の各ＰＯＳＩＴＩＯＮ内のインデックス画像のＲＥＡＤ領域及びマスク設定（ｗｍｓｋｘ０，ｗｍｓｋｙ０，ｗｍｓｋｘ１，ｗｍｓｋｙ１，ｗｍｓｋｔ，ｒａｒｅａｖ，ｒａｒｅａｈの説明図）である。
【図４８】インデックス処理２のフローチャート図である。
【図４９】画像サイズ変更処理のフローチャート図である。
【図５０】ＨＤマスクサイズ設定のフローチャート図である。
【図５１Ａ】周辺機器（プリンタ）への記録動作を示すフローチャート図（その１）である。
【図５１Ｂ】周辺機器（プリンタ）への記録動作を示すフローチャート図（その２）である。
【図５２】メモリ８（１１２）とレジスタＩｎｄｅｘ０との関係を示す図である。
【図５３Ａ】インデックス一覧表示動作のフローチャート図（その１）である。
【図５３Ｂ】インデックス一覧表示動作のフローチャート図（その２）である。
【図５４】ｒｓｔａｒｔｈ，ｒｓｔａｒｔｈ２，ｒｓｔａｒｔｈ３，ｒｓｔａｒｔｈ４，ｒｓｔａｒｔｈ５，ｒｓｔａｒｔｖ，ｒｓｔａｒｔｖ２，ｒｓｔａｒｔｖ３，ｒｓｔａｒｔｖ４の説明図（インデックス一覧表示の場合）である。
【図５５Ａ】インデックス一覧のページ切り替え動作のフローチャート図（その１）である。
【図５５Ｂ】インデックス一覧のページ切り替え動作のフローチャート図（その２）である。
【図５６】インデックス一覧表示例１（Ｚ＝１５）を示す図である。
【図５７】インデックス一覧表示例２（Ｚ＝４２）を示す図である。
【図５８】インデックス画像連続作成の一連の動作を示すフローチャート図である。
【図５９】Ｓ２４５の通常処理の一部の処理を示すフローチャート図である。
【図６０】ＷＲＩＴＥ用レジスタ設定の処理を示すフローチャート図である。
【図６１】ＲＥＡＤ用レジスタ設定の処理を示すフローチャート図である。
【図６２】インデックスマスクレジスタ設定の処理を示すフローチャート図である。
【図６３】画面アスペクト比４：３，５：４  インデックス４駒時に内視鏡画像がかかる場合のインデックス画像消去を示す図である。
【図６４】画面アスペクト比４：３，５：４  インデックス１駒時に内視鏡画像がかかる場合の一部の内視鏡関連情報消去を示す図である。
【図６５】超音波装置３５８とキーボード２（４５）との組み合わせの例を示す図である。
【図６６】操作デバイスの内、フロントパネル６９の一例を示す図である。
【図６７Ａ】図６６の説明図（その１）である。
【図６７Ｂ】図６６の説明図（その２）である。
【図６７Ｃ−１】図６６の説明図（その３−１）である。
【図６７Ｃ−２】図６６の説明図（その３−２）である。
【図６７Ｄ】図６６の説明図（その４）である。
【図６７Ｅ】図６６の説明図（その５）である。
【図６７Ｆ−１】図６６の説明図（その６−１）である。
【図６７Ｆ−２】図６６の説明図（その６−２）である。
【図６８】操作デバイスの内、キーボード１４，キーボード２（４５）の一例を示す図である。
【図６９Ａ】図６８の説明図（その１）である。
【図６９Ｂ】図６８の説明図（その２）である。
【図６９Ｃ】図６８の説明図（その３）である。
【図６９Ｄ】図６８の説明図（その４）である。
【図６９Ｅ】図６８の説明図（その５）である。
【図６９Ｆ】図６８の説明図（その６）である。
【図６９Ｇ】図６８の説明図（その７）である。
【図７０−１】映像＋合成処理（９３）出力の内視鏡画像でのストップウォッチ制御図（その１）である。
【図７０−２】映像＋合成処理（９３）出力の内視鏡画像でのストップウォッチ制御図（その２）である。
【図７０−３】映像＋合成処理（９３）出力の内視鏡画像でのストップウォッチ制御図（その３）である。
【図７１】映像処理２（５７）出力の内視鏡画像でのストップウォッチ制御図である。
【図７２−１】映像＋合成処理（９３）出力の内視鏡画像でのＲＥＭＯＶＥ  ＤＡＴＡ制御図（その１）である。
【図７２−２】映像＋合成処理（９３）出力の内視鏡画像でのＲＥＭＯＶＥ  ＤＡＴＡ制御図（その２）である。
【図７３】映像処理２（５７）出力の内視鏡画像でのＲＥＭＯＶＥ  ＤＡＴＡ制御図である。
【図７４Ａ】内視鏡合成画像表示画面に表示される内視鏡関連情報の一例を示す図（その１）である。
【図７４Ｂ】内視鏡合成画像表示画面に表示される内視鏡関連情報の一例を示す図（その２）である。
【図７４Ｃ】内視鏡合成画像表示画面に表示される内視鏡関連情報の一例を示す図（その３）である。
【図７５】内視鏡関連情報の一部を一定期間表示する例を示す図である。
【図７６】インデックス一覧表示中であることを示すメッセージ表示の一例を示す図である。
【図７７】ホワイトバランス処理が未設定であることを通知するメッセージの一例である。
【図７８】ホワイトバランス処理設定が完了であることを通知するメッセージの一例である。
【図７９】ホワイトバランス処理設定が失敗であることを通知するメッセージの一例である。
【図８０】内視鏡１、光源１７のプログラムのバージョン及び通信結果を表示するメッセージの一例である。
【図８１Ａ】ホワイトバランス処理を示すフローチャート図（初期化時、光源１７が電源ＯＮ時）（その１）である。
【図８１Ｂ】ホワイトバランス処理を示すフローチャート図（初期化時、光源１７が電源ＯＮ時）（その２）である。
【図８２】ホワイトバランス処理を示すフローチャート図（光源１７途中で電源ON時）である。
【図８３】画面アスペクト比１６：９表示の別の例を示す図である。
【図８４】プロセッサ１３のプログラム、ＦＰＧＡデータ、パラメータのバージョンアップ例を示す図である。
【図８５】プログラムモード判別のフローチャート図である。
【図８６−０１】ＢＡＣＫＵＰＲＡＭ７７またはログデータ格納ＲＯＭ８２に格納するデータの一部に関し、その格納するときの形式の一例を示す図（その１）である。
【図８６−０２】ＢＡＣＫＵＰＲＡＭ７７またはログデータ格納ＲＯＭ８２に格納するデータの一部に関し、その格納するときの形式の一例を示す図（その２）である。
【図８６−０３】ＢＡＣＫＵＰＲＡＭ７７またはログデータ格納ＲＯＭ８２に格納するデータの一部に関し、その格納するときの形式の一例を示す図（その３）である。
【図８６−０４】ＢＡＣＫＵＰＲＡＭ７７またはログデータ格納ＲＯＭ８２に格納するデータの一部に関し、その格納するときの形式の一例を示す図（その４）である。
【図８６−０５】ＢＡＣＫＵＰＲＡＭ７７またはログデータ格納ＲＯＭ８２に格納するデータの一部に関し、その格納するときの形式の一例を示す図（その５）である。
【図８６−０６】ＢＡＣＫＵＰＲＡＭ７７またはログデータ格納ＲＯＭ８２に格納するデータの一部に関し、その格納するときの形式の一例を示す図（その６）である。
【図８６−０７】ＢＡＣＫＵＰＲＡＭ７７またはログデータ格納ＲＯＭ８２に格納するデータの一部に関し、その格納するときの形式の一例を示す図（その７）である。
【図８６−０８】ＢＡＣＫＵＰＲＡＭ７７またはログデータ格納ＲＯＭ８２に格納するデータの一部に関し、その格納するときの形式の一例を示す図（その８）である。
【図８６−０９】ＢＡＣＫＵＰＲＡＭ７７またはログデータ格納ＲＯＭ８２に格納するデータの一部に関し、その格納するときの形式の一例を示す図（その９）である。
【図８６−１０】ＢＡＣＫＵＰＲＡＭ７７またはログデータ格納ＲＯＭ８２に格納するデータの一部に関し、その格納するときの形式の一例を示す図（その１０）である。
【図８６−１１】ＢＡＣＫＵＰＲＡＭ７７またはログデータ格納ＲＯＭ８２に格納するデータの一部に関し、その格納するときの形式の一例を示す図（その１１）である。
【図８６−１２】ＢＡＣＫＵＰＲＡＭ７７またはログデータ格納ＲＯＭ８２に格納するデータの一部に関し、その格納するときの形式の一例を示す図（その１２）である。
【図８６−１３】ＢＡＣＫＵＰＲＡＭ７７またはログデータ格納ＲＯＭ８２に格納するデータの一部に関し、その格納するときの形式の一例を示す図（その１３）である。
【図８６−１４】ＢＡＣＫＵＰＲＡＭ７７またはログデータ格納ＲＯＭ８２に格納するデータの一部に関し、その格納するときの形式の一例を示す図（その１４）である。
【図８６−１５】ＢＡＣＫＵＰＲＡＭ７７またはログデータ格納ＲＯＭ８２に格納するデータの一部に関し、その格納するときの形式の一例を示す図（その１５）である。
【図８６−１６】ＢＡＣＫＵＰＲＡＭ７７またはログデータ格納ＲＯＭ８２に格納するデータの一部に関し、その格納するときの形式の一例を示す図（その１６）である。
【図８６−１７】ＢＡＣＫＵＰＲＡＭ７７またはログデータ格納ＲＯＭ８２に格納するデータの一部に関し、その格納するときの形式の一例を示す図（その１７）である。
【図８６−１８】ＢＡＣＫＵＰＲＡＭ７７またはログデータ格納ＲＯＭ８２に格納するデータの一部に関し、その格納するときの形式の一例を示す図（その１８）である。
【図８６−１９】ＢＡＣＫＵＰＲＡＭ７７またはログデータ格納ＲＯＭ８２に格納するデータの一部に関し、その格納するときの形式の一例を示す図（その１９）である。
【図８６−２０】ＢＡＣＫＵＰＲＡＭ７７またはログデータ格納ＲＯＭ８２に格納するデータの一部に関し、その格納するときの形式の一例を示す図（その２０）である。
【図８６−２１】ＢＡＣＫＵＰＲＡＭ７７またはログデータ格納ＲＯＭ８２に格納するデータの一部に関し、その格納するときの形式の一例を示す図（その２１）である。
【図８６−２２】ＢＡＣＫＵＰＲＡＭ７７またはログデータ格納ＲＯＭ８２に格納するデータの一部に関し、その格納するときの形式の一例を示す図（その２２）である。
【図８６−２３】ＢＡＣＫＵＰＲＡＭ７７またはログデータ格納ＲＯＭ８２に格納するデータの一部に関し、その格納するときの形式の一例を示す図（その２３）である。
【図８６−２４】ＢＡＣＫＵＰＲＡＭ７７またはログデータ格納ＲＯＭ８２に格納するデータの一部に関し、その格納するときの形式の一例を示す図（その２４）である。
【図８６−２５】ＢＡＣＫＵＰＲＡＭ７７またはログデータ格納ＲＯＭ８２に格納するデータの一部に関し、その格納するときの形式の一例を示す図（その２５）である。
【図８６−２６】ＢＡＣＫＵＰＲＡＭ７７またはログデータ格納ＲＯＭ８２に格納するデータの一部に関し、その格納するときの形式の一例を示す図（その２６）である。
【図８６−２７】ＢＡＣＫＵＰＲＡＭ７７またはログデータ格納ＲＯＭ８２に格納するデータの一部に関し、その格納するときの形式の一例を示す図（その２７）である。
【図８６−２８】ＢＡＣＫＵＰＲＡＭ７７またはログデータ格納ＲＯＭ８２に格納するデータの一部に関し、その格納するときの形式の一例を示す図（その２８）である。
【図８６−２９】ＢＡＣＫＵＰＲＡＭ７７またはログデータ格納ＲＯＭ８２に格納するデータの一部に関し、その格納するときの形式の一例を示す図（その２９）である。
【図８６−３０】ＢＡＣＫＵＰＲＡＭ７７またはログデータ格納ＲＯＭ８２に格納するデータの一部に関し、その格納するときの形式の一例を示す図（その３０）である。
【図８６−３１】ＢＡＣＫＵＰＲＡＭ７７またはログデータ格納ＲＯＭ８２に格納するデータの一部に関し、その格納するときの形式の一例を示す図（その３１）である。
【図８６−３２】ＢＡＣＫＵＰＲＡＭ７７またはログデータ格納ＲＯＭ８２に格納するデータの一部に関し、その格納するときの形式の一例を示す図（その３２）である。
【図８６−３３】ＢＡＣＫＵＰＲＡＭ７７またはログデータ格納ＲＯＭ８２に格納するデータの一部に関し、その格納するときの形式の一例を示す図（その３３）である。
【図８６−３４】ＢＡＣＫＵＰＲＡＭ７７またはログデータ格納ＲＯＭ８２に格納するデータの一部に関し、その格納するときの形式の一例を示す図（その３４）である。
【図８６−３５】ＢＡＣＫＵＰＲＡＭ７７またはログデータ格納ＲＯＭ８２に格納するデータの一部に関し、その格納するときの形式の一例を示す図（その３５）である。
【図８６−３６】ＢＡＣＫＵＰＲＡＭ７７またはログデータ格納ＲＯＭ８２に格納するデータの一部に関し、その格納するときの形式の一例を示す図（その３６）である。
【図８６−３７】ＢＡＣＫＵＰＲＡＭ７７またはログデータ格納ＲＯＭ８２に格納するデータの一部に関し、その格納するときの形式の一例を示す図（その３７）である。
【図８６−３８】ＢＡＣＫＵＰＲＡＭ７７またはログデータ格納ＲＯＭ８２に格納するデータの一部に関し、その格納するときの形式の一例を示す図（その３８）である。
【図８６−３９】ＢＡＣＫＵＰＲＡＭ７７またはログデータ格納ＲＯＭ８２に格納するデータの一部に関し、その格納するときの形式の一例を示す図（その３９）である。
【図８６−４０】ＢＡＣＫＵＰＲＡＭ７７またはログデータ格納ＲＯＭ８２に格納するデータの一部に関し、その格納するときの形式の一例を示す図（その４０）である。
【図８６−４１】ＢＡＣＫＵＰＲＡＭ７７またはログデータ格納ＲＯＭ８２に格納するデータの一部に関し、その格納するときの形式の一例を示す図（その４２）である。
【図８７Ａ】ログデータ格納ＲＯＭ８２への格納方法の一例を示す図（その１）である。
【図８７Ｂ】ログデータ格納ＲＯＭ８２への格納方法の一例を示す図（その２）である。
【図８８】ログデータ格納ＲＯＭ８２へ時系列にデータを格納する例を示す図である。
【図８９−０１】ログデータ格納ＲＯＭ８２への別の格納方法の例を示す図（その１）である。
【図８９−０２】ログデータ格納ＲＯＭ８２への別の格納方法の例を示す図（その２）である。
【図８９−０３】ログデータ格納ＲＯＭ８２への別の格納方法の例を示す図（その３）である。
【図８９−０４】ログデータ格納ＲＯＭ８２への別の格納方法の例を示す図（その４）である。
【図８９−０５】ログデータ格納ＲＯＭ８２への別の格納方法の例を示す図（その５）である。
【図８９−０６】ログデータ格納ＲＯＭ８２への別の格納方法の例を示す図（その６）である。
【図８９−０７】ログデータ格納ＲＯＭ８２への別の格納方法の例を示す図（その７）である。
【図８９−０８】ログデータ格納ＲＯＭ８２への別の格納方法の例を示す図（その８）である。
【図９０Ａ】ＢＡＣＫＵＰＲＡＭ７７のログ情報、メンテナンス情報、各設定情報（設定データ）に関するアドレス構成の一例を示す図（その１）である。
【図９０Ｂ】ＢＡＣＫＵＰＲＡＭ７７のログ情報、メンテナンス情報、各設定情報（設定データ）に関するアドレス構成の一例を示す図（その２）である。
【図９１Ａ】ＢＡＣＫＵＰＲＡＭ７７の設定データ（図９０）をＷＲＩＴＥするタイミングの一例を示す図（その１）である。
【図９１Ｂ】ＢＡＣＫＵＰＲＡＭ７７の設定データ（図９０）をＷＲＩＴＥするタイミングの一例を示す図（その２）である。
【図９２】ＢＡＣＫＵＰＲＡＭ７７内の設定情報を設定する方法に関するフローチャートを示す図である。
【図９３】ＢＡＣＫＵＰＲＡＭ７７内の設定情報を設定する方法に関するフローチャート（図９２の詳細）を示す図である。
【図９４Ａ】設定データをＷＲＩＴＥ（格納／更新）するタイミングを示す図（その１）である。
【図９４Ｂ】設定データをＷＲＩＴＥ（格納／更新）するタイミングを示す図（その２）である。
【図９５】システム設定画面の他の表示例である図である。
【図９６Ａ】図９５のシステム設定画面のデータ項目の詳細を示す図（その２）である。
【図９６Ｂ】図９５のシステム設定画面のデータ項目の詳細を示す図（その２）である。
【図９７】患者データリスト画面の表示例を示す図である。
【図９８】患者データ画面の表示例を示す図である。
【図９９】患者データ設定画面に表示されるデータ項目を示す。
【図１００Ａ】画面上に表示されるメッセージ情報及び条件の詳細を示す図（その１）である。
【図１００Ｂ】画面上に表示されるメッセージ情報及び条件の詳細を示す図（その２）である。
【図１００Ｃ】画面上に表示されるメッセージ情報及び条件の詳細を示す図（その３）である。
【図１００Ｄ】画面上に表示されるメッセージ情報及び条件の詳細を示す図（その４）である。
【図１００Ｅ】画面上に表示されるメッセージ情報及び条件の詳細を示す図（その５）である。
【図１００Ｆ】画面上に表示されるメッセージ情報及び条件の詳細を示す図（その６）である。
【図１００Ｇ】画面上に表示されるメッセージ情報及び条件の詳細を示す図（その７）である。
【図１０１】フロントパネル６９のＩＭＡＧＥ  ＳＯＵＲＣＥ（４０８〜４１１）と周辺機器との関係（プロセッサ１３の電源ＯＮ時に、内視鏡１を外した場合）を示す図である。
【図１０２】フロントパネル６９のＩＭＡＧＥ  ＳＯＵＲＣＥ（４０８〜４１１）と周辺機器との関係（プロセッサ１３側が、ファイリング装置３５７との通信でＤＳＲ通信信号のＯＦＦ→ＯＮを検知時）を示す図である。
【図１０３】フロントパネル６９のＩＭＡＧＥ  ＳＯＵＲＣＥ（４０８〜４１１）と周辺機器との関係（プロセッサ１３側が、ファイリング装置３５７との通信でＤＳＲ通信信号のＯＮ→ＯＦＦを検知時）を示す図である。
【図１０４Ａ】フロントパネル６９のＩＭＡＧＥ  ＳＯＵＲＣＥ（４０８〜４１１）と周辺機器との関係（図６５のように、プロセッサ１３とキーボード２（４５）と超音波装置３５８を組み合わせた場合において、キーボード２（４５）が（ＳＩＯ２５０又はＰＩＯ２５１を経由してモニタ３５３を制御することで）制御して、超音波装置３５８の映像出力３６０の表示状態からプロセッサ１３の出力３５９の表示状態に切り替えた時）を示す図（その１）である。
【図１０４Ｂ】フロントパネル６９のＩＭＡＧＥ  ＳＯＵＲＣＥ（４０８〜４１１）と周辺機器との関係（図６５のように、プロセッサ１３とキーボード２（４５）と超音波装置３５８を組み合わせた場合において、キーボード２（４５）が（ＳＩＯ２５０又はＰＩＯ２５１を経由してモニタ３５３を制御することで）制御して、超音波装置３５８の映像出力３６０の表示状態からプロセッサ１３の出力３５９の表示状態に切り替えた時）を示す図（その２）である。
【図１０５】ＳＣＡＬＥキー５２６又はＳＨＩＦＴＳＣＡＬＥキー５２６入力時に表示される、鉗子情報（ＳＨＩＦＴ＋ＳＣＡＬＥ時）、スケール情報の表示例を示す図である。
【図１０６】テーブル１（１７０）やテーブル２（２１４）のテーブルの別の構成例を示す図である。
【図１０７】スコープ情報画面の表示例を示す図である。
【図１０８】図１０７の各項目を示す図である。
【図１０９】設定画面情報の一括表示例を示す図である。
【図１１０−０１】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１）である。
【図１１０−０２】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２）である。
【図１１０−０３】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その３）である。
【図１１０−０４】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その４）である。
【図１１０−０５】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その５）である。
【図１１０−０６】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その６）である。
【図１１０−０７】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その７）である。
【図１１０−０８】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その８）である。
【図１１０−０９】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その９）である。
【図１１０−１０】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１０）である。
【図１１０−１１】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１１）である。
【図１１０−１２】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１２）である。
【図１１０−１３】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１３）である。
【図１１０−１４】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１４）である。
【図１１０−１５】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１５）である。
【図１１０−１６】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１６）である。
【図１１０−１７】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１７）である。
【図１１０−１８】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１８）である。
【図１１０−１９】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その１９）である。
【図１１０−２０】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２０）である。
【図１１０−２１】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２１）である。
【図１１０−２２】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２２）である。
【図１１０−２３】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２３）である。
【図１１０−２４】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２４）である。
【図１１０−２５】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２５）である。
【図１１０−２６】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２６）である。
【図１１０−２７】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２７）である。
【図１１０−２８】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２８）である。
【図１１０−２９】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その２９）である。
【図１１０−３０】電源ＯＦＦ→電源ＯＮした時、ＲｅｓｅｔＳＷ４００を入力した場合、工場出荷値が設定された場合、ＥＸＡＭＥＮＤキー５００入力時、各設定画面に移行して再び内視鏡合成画像表示画面に移行した場合、それぞれについて（以下プロセッサ１３の状態変更という）の設定状態の変更例を示す図（その３０）である。
【符号の説明】
【０４６５】
１      内視鏡
２      ＣＣＤ
３      操作スイッチ部
４ａ，４ｂ，５ａ，５ｂ，６ａ，６ｂ，１２ｂ，３８ｂ  信号線
７      ライトガイド
８      メモリ
９      ＣＰＵ
１０    ＲＥＳＥＴ回路
１３    プロセッサ
１４    キーボード
１５，２６，２６ａ，３１，３３  コネクタ
１６    しぼり
１７，１７ａ  光源
１８    ランプ
１９    ＲＧＢフィルタ
２０ａ，２０ｂ，２０ｃ  特殊光フィルタ
２１    フィルタ切替＋しぼり制御
２２    Ｄ／Ａ変換器
２３    メモリ
２４，２４ａ  ＣＰＵ
２５    操作パネル
２８ａ，２８ｂ  信号線
２９ａ，２９ｂ  検知信号
３２，３４，３４ａ  ケーブル
３７    Ｄ／Ａ変換器
４５    キーボード２
５０    ＳＳＧ
５１    ＣＤＳ回路
５２    Ａ／Ｄ変換器
５３    周波数変換器
５４    絶縁回路
５５    映像処理回路１
５６    メモリ１
５７    映像処理回路２
５８    メモリ２
５９    Ｄ／Ａ変換器
６０    調整回路
６１    合成処理回路１
６２    デジタルエンコーダー
６３    駆動回路
６４    パラシリ回路
６５    調光回路
６６    絶縁回路
６７    制御回路
６８    Ａ／Ｄ変換器
６９    フロントパネル
７０    パラシリ回路２
７１    ブザー
７２    コンフィグレーションＩＣ４
７３    コンフィグレーションメモリ４
７４    ＣＰＵ
７５    ＲＥＳＥＴ回路
７６    ＲＡＭ
７７    ＢＡＣＫＵＰ  ＲＡＭ
７８    バッファドライバＢＵＦ１
７９    バッファドライバＢＵＦ２
８０    アドレスデコーダー
８１    ＲＴＣ
８２    ログデータ格納ＲＯＭ
８３    プログラムＲＯＭ
８４    ＥＴＨＥＲＮＥＴ回路部
８５    ＵＳＢ回路
８６    記録装置
８７    記録装置
８８    パラメータメモリ２
８９    映像処理回路３
９０    ＳＳＧ
９１    コンフィグレーションＩＣ３
９２    コンフィグレーションメモリ３
９３    映像＋合成処理回路
９４    映像処理回路４
９５    パラメータメモリ３
９６    Ｓｅｒｉａｌ  ＤＲＶ
９７    Ｄ／Ａ変換器
９８    調整回路
９９    合成処理回路２
１００  記録装置
１０１  メモリ６
１０３  グラフィック処理回路１
１０２  合成処理回路
１０３  グラフィック処理回路１
１０４  メモリ３
１０５  コンフィグレーションIC２
１０６  コンフィグレーションメモリ２
１０８  メモリ５
１０９  コンフィグレーションＩＣ１
１１０  コンフィグレーションメモリ１
１１１  メモリ７
１１２  メモリ８
１１３  メモリ９
１１４  パラメータメモリ１
１１５  周波数変換３
１１６  脱着可能なオプション基板
１１７  オプション基板検知信号
１１８  システムバス
１５０  パラメータメモリ制御１
１５１  ＯＢクランプ部
１５２  周波数変換部
１５３  ホワイトバランス処理部
１５４  ＡＧＣ
１５５  フリーズ部
１５６  セレクタ１
１５７  コンフィグレーション回路
１５８  ＣＰＵＩ／Ｆ
１５９  コンフィグレーション回路
１６０  色調回路
１６１  γ補正部
１６２  ＣＰＵＩ／Ｆ
１６３  拡大・強調・同時化回路
１６４  カラーバー回路
１６５  パラメータメモリ制御２
１６６  セレクタ２
１６８  画像キャプチャー部
１６９  ＣＰＵＩ／Ｆ
１７０  テーブル１
１７１  文字・マスク・画像合成回路
１７２  コンフィグレーション回路
２１０  コンフィグレーション回路
２１１  文字・マスク・画像合成回路
２１２  グラフィック処理回路２
２１３  インデックス画像作成部
２１４  テーブル２
２１５  画像キャプチャー部
２１６  カラーバー回路
２１７  セレクタ３
２１８  パラメータメモリ制御4
２５０  ＳＩＯ
２５１  ＰＩＯ
２５２  ＣＰＵＩ／Ｆ
２５３  シリパラ回路１
２５４  コンフィグレーション回路
２６２  メモリ制御
２６３  マスク処理
２６４  マスク処理回路
２６５  画像移動用メモリ
２６６  マスク処理
２６７  マスク信号生成
２６８  合成回路
２６９  縮小処理回路
２７０  双方向バッファ
２７１  カウンタ生成回路
２７２  メモリ制御
２７３  合成回路
３０１  画像合成回路
３０２  セレクタ
３０３，３５２  画像形状記憶装置
３０５，３５４  ＶＴＲ
３０６，３５５  プリンタ
３０７，３５６  写真撮影装置
３０８，３５７  ファイリング装置
３０９  磁気装置
３１０  拡大コントローラ
３１１  フットスイッチ
３１２  ＰＵＭＰ
３１３  信号線
３１４  信号線
３１５  集中制御装置
３５０  セレクタ
３５１  画像合成回路
３５８  超音波装置
３５９  画像合成回路３５１出力
３６０  超音波装置３５８出力
３９９  インデックス画像と内視鏡関連情報が重なる箇所
４００  フロントパネルＲＥＳＥＴ  ＳＷ
４０１  フロントパネルＥＮＨ．ＳＷ
４０２  フロントパネルIＨＢ  ＳＷ
４０３  フロントパネルＩＲＩＳ  ＳＷ
４０４  フロントパネルＷＨＩＴＥ  ＢＡＬ．ＳＷ
４０５  フロントパネルＳＥＬＥＣＴ  ＳＷ
４０６  フロントパネル  <  ＳＷ
４０７  フロントパネル  >  ＳＷ
４０８  フロントパネルＩＭＡＧＥ  ＳＯＵＲＣＥ  ＶＴＲ．ＳＷ
４０９  フロントパネルＩＭＡＧＥ  ＳＯＵＲＣＥ  Ｄ．ＦＩＬＥ．ＳＷ
４１０  フロントパネルＩＭＡＧＥ  ＳＯＵＲＣＥ  ＰＲＩＮＴＥＲ．ＳＷ
４１１  フロントパネルＳＣＯＰＥ  ＬＥＤ
４１２  フロントパネルＺＯＯＭ  ＳＷ
４１３  フロントパネルＰＲＩＮＴ  ＳＷ
４１４  フロントパネルＨＤＴＶ  ＬＥＤ
４１５  フロントパネルＲ，Ｂ色調レベルセンターＬＥＤ
４１６  フロントパネル色調レベル  Ｒ  ＬＥＤ
４１７  フロントパネル色調レベル  Ｂ  ＬＥＤ
４５０  ＷＰＯＳＩ＝４示す矢印
４５１  ＩＯＰＯＳＩ＝０示す矢印
４５２  ＩＳＰＯＳＩ＝１示す矢印
４５３  ＩＴＰＯＳＩ＝２示す矢印
４５４  ＩＦＰＯＳＩ＝３示す矢印
４５５  ＣＡＰＳ＝７示す矢印
４５６  ＣＡＰＮ＝１１示す矢印
５００  ＥＸＡＭ  ＥＮＤキー
５０１  ＳＹＳＴＥＭ  ＳＥＴＵＰキー
５０２  ＵＳＥＲ  ＰＲＥＳＥＴキー
５０３  ＰＡＴＩＥＮＴ  ＤＡＴＡキー
５０４  ＳＣＯＰＥ  ＩＮＦＯキー
５０５  ＴＩＴＬＥ  ＳＣＲＥＥＮキー
５０６  ＳＥＡＲＣＨキー
５０７  ＣＯＵＮＴＥＲ  ＲＥＳＥＴキー
５０８  ＃ＰＥＲ  ＰＡＧＥキー
５０９  ＰＲＩＮＴ  ＱＴＹキー
５１０  ＫＥＹ  ＬＯＣＫキー
５１１  Ｂ／Ｗキー
５１２  ＯＰＴＩＯＮ１キー
５１３  ＣＯＮＴＲＡＳＴキー
５１４  ＤＦキー
５１５  ＶＴＲキー
５１６  ＰＲＩＮＴＥＲキー
５１７  ＢＳキー
５１８  Ｃキー
５１９  ＣＡＰキー
５２０  ＭＰキー
５２１  ＰＲＩキー
５２２  Ｓ／Ｍキー
５２３  ＲＥＬＥＡＳＥキー
５２４  ＦＲＥＥＺＥキー
５２５  ＩＨＢ  ＣＨＡＲＴキー
５２６  ＳＣＡＬＥキー
５２７  ＳＴＯＰ  ＷＡＴＣＨキー
５２８  ＲＥＭＯＶＥ  ＤＡＴＡキー
５２９  ＩＭＡＧＥ  ＳＩＺＥキー
５３０  ＯＰＴＩＯＮ２キー
５３１  ＥＳＣキー
５３２，５４５  アルファベット，記号，数字，スペースキー
５３３  ＴＡＢキー
５３４  ＣＡＰＳ  ＬＯＣＫキー
５３５，５３９  ＳＨＩＦＴキー
５３６  ＦＮキー
５３７  ＣＴＲＬキー
５３８  ＤＥＬ（ＤＥＬＥＴＥ）キー
５４０  ＩＮＳ（ＩＮＳＥＲＴ）キー
５４１  ＢＳ（ＢＡＣＫ  ＳＰＡＣＥ）キー
５４３  ＣＵＲＳＯＲキー
５４４  ↑←→↓キー
５４２，５４６  ＥＮＴＥＲキー
５４７  ＣＡＰＳＬＯＣＫ選択時に点灯するＬＥＤ
６００，６００’  内視鏡画像
６０１，６０１’  ＩＤ  ＮＯ．
６０２，６０２’  ＮＡＭＥ
６０３，６０３’  ＳＥＸ
６０４，６０４’  ＡＧＥ
６０５，６０５’  Ｄ．Ｏ．ＢＩＲＴＨ
６０６，６０６’  日付，時刻／ストップウォッチ
６０７，６０７’  ＳＣＶ：カウンタ
６０８，６０８’  ＣＶＰ：カウンタ
６０９，６０９’  Ｄ．Ｆ：カウンタ
６１０，６１０’  ＶＴＲ表示
６１１，６１１’  ＣＴ（コントラスト）表示
６１２，６１２’  ＣＥ（色彩強調）表示
６１３，６１３’  ＩＨＢ＝−−−表示
６１４，６１４’  ＰＵＭＰ表示
６１５，６１５’  ＥＨ：構造強調，ＥＤ：輪郭強調
６１６，６１６’  Ｚ（電子拡大）
６１７，６１７’  ＰＨＹＳＩＣＩＡＮ
６１８，６１８’  ＣＯＭＭＥＮＴ
６１９  内視鏡スイッチ情報
６２０  内視鏡関連情報表示
６２１  インデックス画像
６２２，６２２’  周辺機器用エリア
６２３，６２３’  カーソル
６２４，６２４’  アローポインタ
６５０  鉗子情報
６５１（６５１ａ，６５１ｂ，６５１ｃ）  スケール情報
６５２    内視鏡画像上での鉗子の位置を示すポインタ（鉗子チャンネル１と定義）
６５２’  内視鏡画像上での鉗子の位置を示すポインタ（鉗子チャンネル２と定義）
６５３  ６５２の位置にある鉗子のチャンネル径を示す表示（鉗子チャンネル１と定義）
６５３’  ６５２’の位置にある鉗子のチャンネル径を示す表示（鉗子チャンネル２と定義）
【図１Ａ】
2005349142.tif 000044
【図１Ｂ】
2005349142.tif 000045
【図２−１】
2005349142.tif 000046
【図２−２】
2005349142.tif 000047
【図２−３】
2005349142.tif 000048
【図２−４】
2005349142.tif 000049
【図３】
2005349142.tif 000050
【図４】
2005349142.tif 000051
【図５】
2005349142.tif 000052
【図６】
2005349142.tif 000053
【図７】
2005349142.tif 000054
【図８】
2005349142.tif 000055
【図９】
2005349142.tif 000056
【図１０】
2005349142.tif 000057
【図１１】
2005349142.tif 000058
【図１２】
2005349142.tif 000059
【図１３】
2005349142.tif 000060
【図１４】
2005349142.tif 000061
【図１５】
2005349142.tif 000062
【図１６】
2005349142.tif 000063
【図１７Ａ】
2005349142.tif 000064
【図１７Ｂ】
2005349142.tif 000065
【図１７Ｃ】
2005349142.tif 000066
【図１７Ｄ】
2005349142.tif 000067
【図１７Ｅ】
2005349142.tif 000068
【図１７Ｆ−１】
2005349142.tif 000069
【図１７Ｆ−２】
2005349142.tif 000070
【図１７Ｇ】
2005349142.tif 000071
【図１７Ｈ】
2005349142.tif 000072
【図１７Ｉ】
2005349142.tif 000073
【図１７Ｊ】
2005349142.tif 000074
【図１７Ｋ】
2005349142.tif 000075
【図１７Ｌ】
2005349142.tif 000076
【図１７Ｍ】
2005349142.tif 000077
【図１７Ｎ】
2005349142.tif 000078
【図１７Ｏ】
2005349142.tif 000079
【図１７Ｐ】
2005349142.tif 000080
【図１７Ｑ】
2005349142.tif 000081
【図１７Ｒ】
2005349142.tif 000082
【図１８】
2005349142.tif 000083
【図１９】
2005349142.tif 000084
【図２０】
2005349142.tif 000085
【図２１】
2005349142.tif 000086
【図２２】
2005349142.tif 000087
【図２３】
2005349142.tif 000088
【図２４】
2005349142.tif 000089
【図２５】
2005349142.tif 000090
【図２６−１】
2005349142.tif 000091
【図２６−２】
2005349142.tif 000092
【図２６−３】
2005349142.tif 000093
【図２７−１】
2005349142.tif 000094
【図２７−２】
2005349142.tif 000095
【図２８Ａ−１】
2005349142.tif 000096
【図２８Ａ−２】
2005349142.tif 000097
【図２８Ｂ−１】
2005349142.tif 000098
【図２８Ｂ−２】
2005349142.tif 000099
【図２９−１】
2005349142.tif 000100
【図２９−２】
2005349142.tif 000101
【図３０】
2005349142.tif 000102
【図３１】
2005349142.tif 000103
【図３２】
2005349142.tif 000104
【図３３】
2005349142.tif 000105
【図３４】
2005349142.tif 000106
【図３５】
2005349142.tif 000107
【図３６】
2005349142.tif 000108
【図３７】
2005349142.tif 000109
【図３８】
2005349142.tif 000110
【図３９】
2005349142.tif 000111
【図４０Ａ】
2005349142.tif 000112
【図４０Ｂ】
2005349142.tif 000113
【図４１】
2005349142.tif 000114
【図４２】
2005349142.tif 000115
【図４３】
2005349142.tif 000116
【図４４】
2005349142.tif 000117
【図４５】
2005349142.tif 000118
【図４６】
2005349142.tif 000119
【図４７】
2005349142.tif 000120
【図４８】
2005349142.tif 000121
【図４９】
2005349142.tif 000122
【図５０】
2005349142.tif 000123
【図５１Ａ】
2005349142.tif 000124
【図５１Ｂ】
2005349142.tif 000125
【図５２】
2005349142.tif 000126
【図５３Ａ】
2005349142.tif 000127
【図５３Ｂ】
2005349142.tif 000128
【図５４】
2005349142.tif 000129
【図５５Ａ】
2005349142.tif 000130
【図５５Ｂ】
2005349142.tif 000131
【図５６】
2005349142.tif 000132
【図５７】
2005349142.tif 000133
【図５８】
2005349142.tif 000134
【図５９】
2005349142.tif 000135
【図６０】
2005349142.tif 000136
【図６１】
2005349142.tif 000137
【図６２】
2005349142.tif 000138
【図６３】
2005349142.tif 000139
【図６４】
2005349142.tif 000140
【図６５】
2005349142.tif 000141
【図６６】
2005349142.tif 000142
【図６７Ａ】
2005349142.tif 000143
【図６７Ｂ】
2005349142.tif 000144
【図６７Ｃ−１】
2005349142.tif 000145
【図６７Ｃ−２】
2005349142.tif 000146
【図６７Ｄ】
2005349142.tif 000147
【図６７Ｅ】
2005349142.tif 000148
【図６７Ｆ−１】
2005349142.tif 000149
【図６７Ｆ−２】
2005349142.tif 000150
【図６８】
2005349142.tif 000151
【図６９Ａ】
2005349142.tif 000152
【図６９Ｂ】
2005349142.tif 000153
【図６９Ｃ】
2005349142.tif 000154
【図６９Ｄ】
2005349142.tif 000155
【図６９Ｅ】
2005349142.tif 000156
【図６９Ｆ】
2005349142.tif 000157
【図６９Ｇ】
2005349142.tif 000158
【図７０−１】
2005349142.tif 000159
【図７０−２】
2005349142.tif 000160
【図７０−３】
2005349142.tif 000161
【図７１】
2005349142.tif 000162
【図７２−１】
2005349142.tif 000163
【図７２−２】
2005349142.tif 000164
【図７３】
2005349142.tif 000165
【図７４Ａ】
2005349142.tif 000166
【図７４Ｂ】
2005349142.tif 000167
【図７４Ｃ】
2005349142.tif 000168
【図７５】
2005349142.tif 000169
【図７６】
2005349142.tif 000170
【図７７】
2005349142.tif 000171
【図７８】
2005349142.tif 000172
【図７９】
2005349142.tif 000173
【図８０】
2005349142.tif 000174
【図８１Ａ】
2005349142.tif 000175
【図８１Ｂ】
2005349142.tif 000176
【図８２】
2005349142.tif 000177
【図８３】
2005349142.tif 000178
【図８４】
2005349142.tif 000179
【図８５】
2005349142.tif 000180
【図８６−０１】
2005349142.tif 000181
【図８６−０２】
2005349142.tif 000182
【図８６−０３】
2005349142.tif 000183
【図８６−０４】
2005349142.tif 000184
【図８６−０５】
2005349142.tif 000185
【図８６−０６】
2005349142.tif 000186
【図８６−０７】
2005349142.tif 000187
【図８６−０８】
2005349142.tif 000188
【図８６−０９】
2005349142.tif 000189
【図８６−１０】
2005349142.tif 000190
【図８６−１１】
2005349142.tif 000191
【図８６−１２】
2005349142.tif 000192
【図８６−１３】
2005349142.tif 000193
【図８６−１４】
2005349142.tif 000194
【図８６−１５】
2005349142.tif 000195
【図８６−１６】
2005349142.tif 000196
【図８６−１７】
2005349142.tif 000197
【図８６−１８】
2005349142.tif 000198
【図８６−１９】
2005349142.tif 000199
【図８６−２０】
2005349142.tif 000200
【図８６−２１】
2005349142.tif 000201
【図８６−２２】
2005349142.tif 000202
【図８６−２３】
2005349142.tif 000203
【図８６−２４】
2005349142.tif 000204
【図８６−２５】
2005349142.tif 000205
【図８６−２６】
2005349142.tif 000206
【図８６−２７】
2005349142.tif 000207
【図８６−２８】
2005349142.tif 000208
【図８６−２９】
2005349142.tif 000209
【図８６−３０】
2005349142.tif 000210
【図８６−３１】
2005349142.tif 000211
【図８６−３２】
2005349142.tif 000212
【図８６−３３】
2005349142.tif 000213
【図８６−３４】
2005349142.tif 000214
【図８６−３５】
2005349142.tif 000215
【図８６−３６】
2005349142.tif 000216
【図８６−３７】
2005349142.tif 000217
【図８６−３８】
2005349142.tif 000218
【図８６−３９】
2005349142.tif 000219
【図８６−４０】
2005349142.tif 000220
【図８６−４１】
2005349142.tif 000221
【図８７Ａ】
2005349142.tif 000222
【図８７Ｂ】
2005349142.tif 000223
【図８８】
2005349142.tif 000224
【図８９−０１】
2005349142.tif 000225
【図８９−０２】
2005349142.tif 000226
【図８９−０３】
2005349142.tif 000227
【図８９−０４】
2005349142.tif 000228
【図８９−０５】
2005349142.tif 000229
【図８９−０６】
2005349142.tif 000230
【図８９−０７】
2005349142.tif 000231
【図８９−０８】
2005349142.tif 000232
【図９０Ａ】
2005349142.tif 000233
【図９０Ｂ】
2005349142.tif 000234
【図９１Ａ】
2005349142.tif 000235
【図９１Ｂ】
2005349142.tif 000236
【図９２】
2005349142.tif 000237
【図９３】
2005349142.tif 000238
【図９４Ａ】
2005349142.tif 000239
【図９４Ｂ】
2005349142.tif 000240
【図９５】
2005349142.tif 000241
【図９６Ａ】
2005349142.tif 000242
【図９６Ｂ】
2005349142.tif 000243
【図９７】
2005349142.tif 000244
【図９８】
2005349142.tif 000245
【図９９】
2005349142.tif 000246
【図１００Ａ】
2005349142.tif 000247
【図１００Ｂ】
2005349142.tif 000248
【図１００Ｃ】
2005349142.tif 000249
【図１００Ｄ】
2005349142.tif 000250
【図１００Ｅ】
2005349142.tif 000251
【図１００Ｆ】
2005349142.tif 000252
【図１００Ｇ】
2005349142.tif 000253
【図１０１】
2005349142.tif 000254
【図１０２】
2005349142.tif 000255
【図１０３】
2005349142.tif 000256
【図１０４Ａ】
2005349142.tif 000257
【図１０４Ｂ】
2005349142.tif 000258
【図１０５】
2005349142.tif 000259
【図１０６】
2005349142.tif 000260
【図１０７】
2005349142.tif 000261
【図１０８】
2005349142.tif 000262
【図１０９】
2005349142.tif 000263
【図１１０−０１】
2005349142.tif 000264
【図１１０−０２】
2005349142.tif 000265
【図１１０−０３】
2005349142.tif 000266
【図１１０−０４】
2005349142.tif 000267
【図１１０−０５】
2005349142.tif 000268
【図１１０−０６】
2005349142.tif 000269
【図１１０−０７】
2005349142.tif 000270
【図１１０−０８】
2005349142.tif 000271
【図１１０−０９】
2005349142.tif 000272
【図１１０−１０】
2005349142.tif 000273
【図１１０−１１】
2005349142.tif 000274
【図１１０−１２】
2005349142.tif 000275
【図１１０−１３】
2005349142.tif 000276
【図１１０−１４】
2005349142.tif 000277
【図１１０−１５】
2005349142.tif 000278
【図１１０−１６】
2005349142.tif 000279
【図１１０−１７】
2005349142.tif 000280
【図１１０−１８】
2005349142.tif 000281
【図１１０−１９】
2005349142.tif 000282
【図１１０−２０】
2005349142.tif 000283
【図１１０−２１】
2005349142.tif 000284
【図１１０−２２】
2005349142.tif 000285
【図１１０−２３】
2005349142.tif 000286
【図１１０−２４】
2005349142.tif 000287
【図１１０−２５】
2005349142.tif 000288
【図１１０−２６】
2005349142.tif 000289
【図１１０−２７】
2005349142.tif 000290
【図１１０−２８】
2005349142.tif 000291
【図１１０−２９】
2005349142.tif 000292
【図１１０−３０】
2005349142.tif 000293